(57)【要約】      （修正有）【課題】装置および方法は、非ホワイトスペース（ＮＷＳ）とホワイトスペース（ＷＳ）ネットワークとを組み合わせたものを利用して、通信サービスを提供する。【解決手段】装置および方法は、第１の基地局（ＢＳ）において、ライセンスされている周波数上で、ネットワークアクセスに対する通信要求をワイヤレスアクセス端末（ＡＴ）から受信する。ワイヤレスＡＴのロケーションに対応する、少なくとも１つの利用可能なライセンスされていない周波数を決定する。少なくとも１つの利用可能なライセンスされていない周波数を介することになるワイヤレスＡＴに対して、ネットワークアクセスの少なくとも一部分をパーティションする。ネットワークアクセスの少なくとも一部分を取得するのに使用する少なくとも１つの利用可能なライセンスされていない周波数をワイヤレスＡＴに対して報知する。【選択図】図１
2014039271.tif 000002
【特許請求の範囲】
【請求項１】
通信サービスを提供する方法において、
第１の基地局において、ライセンスされている周波数上で、ネットワークアクセスに対する通信要求をワイヤレスアクセス端末から受信することと、
前記ワイヤレスアクセス端末のロケーションに対応する、少なくとも１つの利用可能なライセンスされていない周波数を決定することと、
前記少なくとも１つの利用可能なライセンスされていない周波数を介することになる前記ワイヤレスアクセス端末に対して、前記ネットワークアクセスの少なくとも一部分をパーティションすることと、
前記ネットワークアクセスの少なくとも一部分を取得するのに使用する前記少なくとも１つの利用可能なライセンスされていない周波数を前記ワイヤレスアクセス端末に対して報知することとを含む方法。
【請求項２】
複数の所望の通信サービスタイプの識別子を受信することと、
前記ライセンスされている周波数と前記少なくとも１つの利用可能なライセンスされていない周波数との間で使用するために、前記複数の所望の通信サービスタイプをパーティションすることと、
前記パーティションに基づいて、前記複数の所望の通信サービスタイプのうちの第１のものとともに使用する前記少なくとも１つの利用可能なライセンスされていない周波数と、前記ライセンスされている周波数とともに使用する前記複数の所望の通信サービスタイプのうちの第２のものとを、前記ワイヤレスアクセス端末に対して報知することとをさらに含む請求項１記載の方法。
【請求項３】
前記パーティションすることは、ネットワーク負荷、あるいはワイヤレスアクセス端末に対応するサービスプラン、あるいは前記ネットワーク負荷と組み合わせた、前記ワイヤレスアクセス端末に対応するサービスプラン、あるいは前記ワイヤレスアクセス端末または前記第１の基地局の信号強度、あるいは前記ネットワーク負荷と組み合わせた、前記ワイヤレスアクセス端末の信号強度、あるいは所望のサービス品質および利用可能なサービス品質、のうちの少なくとも１つに基づいている請求項１記載の方法。
【請求項４】
前記決定することは、
前記通信要求を受信することに応答して、ＷＳ情報サーバからのＷＳ情報を要求することか、または、
前記ロケーションに対応し、前記利用可能なライセンスされていない周波数上で動作する第２の基地局を決定することのうちの少なくとも１つをさらに含み、
前記報知することは、前記第２の基地局にどのようにコンタクトするかを前記ワイヤレスアクセス端末に伝えることをさらに含む請求項１記載の方法。
【請求項５】
異なるサービスに対して、アクティブコールを前記ワイヤレスアクセス端末と確立することをさらに含む請求項１記載の方法。
【請求項６】
前記通信要求を受信するより前に、ＷＳ情報サーバからのＷＳ情報を取得することをさらに含む請求項１記載の方法。
【請求項７】
前記通信要求を受信することは、前記ワイヤレスアクセス端末上でのロケーション決定モジュールの動作に基づいている前記ワイヤレスアクセス端末のロケーションを受信することをさらに含む請求項１記載の方法。
【請求項８】
通信サービスを提供するように構成されている少なくとも１つのプロセッサにおいて、
第１の基地局において、ライセンスされている周波数上で、ネットワークアクセスに対する通信要求をワイヤレスアクセス端末から受信する第１のモジュールと、
前記ワイヤレスアクセス端末のロケーションに対応する、少なくとも１つの利用可能なライセンスされていない周波数を決定する第２のモジュールと、
前記少なくとも１つの利用可能なライセンスされていない周波数を介することになる前記ワイヤレスアクセス端末に対して、前記ネットワークアクセスの少なくとも一部分をパーティションする第３のモジュールと、
前記ネットワークアクセスの少なくとも一部分を取得するのに使用する前記少なくとも１つの利用可能なライセンスされていない周波数を前記ワイヤレスアクセス端末に対して報知する第４のモジュールとを具備する少なくとも１つのプロセッサ。
【請求項９】
通信サービスを提供するように構成されているコンピュータプログラムプロダクトにおいて、
第１の基地局において、ライセンスされている周波数上で、ネットワークアクセスに対する通信要求をワイヤレスアクセス端末からコンピュータに受信させるように動作可能な少なくとも１つの命令と、
前記ワイヤレスアクセス端末のロケーションに対応する、少なくとも１つの利用可能なライセンスされていない周波数を前記コンピュータに決定させるように動作可能な少なくとも１つの命令と、
前記少なくとも１つの利用可能なライセンスされていない周波数を介することになる前記ワイヤレスアクセス端末に対して、前記ネットワークアクセスの少なくとも一部分を前記コンピュータにパーティションさせるように動作可能な少なくとも１つの命令と、
前記ネットワークアクセスの少なくとも一部分を取得するのに使用する前記少なくとも１つの利用可能なライセンスされていない周波数を前記ワイヤレスアクセス端末に対して、前記コンピュータに報知させるように動作可能な少なくとも１つの命令とを含むコンピュータ読み取り可能媒体を具備するコンピュータプログラムプロダクト。
【請求項１０】
通信サービスを提供する装置において、
第１の基地局において、ライセンスされている周波数上で、ネットワークアクセスに対する通信要求をワイヤレスアクセス端末から受信する手段と、
前記ワイヤレスアクセス端末のロケーションに対応する、少なくとも１つの利用可能なライセンスされていない周波数を決定する手段と、
前記少なくとも１つの利用可能なライセンスされていない周波数を介することになる前記ワイヤレスアクセス端末に対して、前記ネットワークアクセスの少なくとも一部分をパーティションする手段と、
前記ネットワークアクセスの少なくとも一部分を取得するのに使用する前記少なくとも１つの利用可能なライセンスされていない周波数を前記ワイヤレスアクセス端末に対して報知する手段とを具備する装置。
【請求項１１】
基地局において、
ライセンスされている周波数上で、ネットワークアクセスに対する通信要求をワイヤレスアクセス端末から受信するようにと、
前記ワイヤレスアクセス端末のロケーションに対応する、少なくとも１つの利用可能なライセンスされていない周波数を決定するようにと、
前記少なくとも１つの利用可能なライセンスされていない周波数を介することになる前記ワイヤレスアクセス端末に対して、前記ネットワークアクセスの少なくとも一部分をパーティションするようにと、
前記ネットワークアクセスの少なくとも一部分を取得するのに使用する前記少なくとも１つの利用可能なライセンスされていない周波数を前記ワイヤレスアクセス端末に対して報知するように構成されているプロセッサを具備する基地局。
【請求項１２】
前記プロセッサは、
複数の所望の通信サービスタイプの識別子を受信するようにと、
前記ライセンスされている周波数と前記少なくとも１つの利用可能なライセンスされていない周波数との間で使用するために、前記複数の所望の通信サービスタイプをパーティションするようにと、
前記パーティションに基づいて、前記複数の所望の通信サービスタイプのうちの第１のものとともに使用する前記少なくとも１つの利用可能なライセンスされていない周波数と、前記ライセンスされている周波数とともに使用する前記複数の所望の通信サービスタイプのうちの第２のものとを、前記ワイヤレスアクセス端末に対して報知するようにさらに構成されている請求項１１記載の基地局。
【請求項１３】
前記プロセッサは、ネットワーク負荷、あるいはワイヤレスアクセス端末に対応するサービスプラン、あるいは前記ネットワーク負荷と組み合わせた、前記ワイヤレスアクセス端末に対応するサービスプラン、あるいは前記ワイヤレスアクセス端末または前記第１の基地局の信号強度、あるいは前記ネットワーク負荷と組み合わせた、前記ワイヤレスアクセス端末の信号強度、あるいは所望のサービス品質および利用可能なサービス品質、のうちの少なくとも１つに基づいてパーティションするようにさらに構成されている請求項１１記載の基地局。
【請求項１４】
前記決定することは、前記プロセッサが、
前記通信要求を受信することに応答して、ＷＳ情報サーバからのＷＳ情報を要求することか、または、
前記ロケーションに対応し、前記利用可能なライセンスされていない周波数上で動作する第２の基地局を決定することのうちの少なくとも１つを実行することをさらに含み、
前記報知することは、前記第２の基地局にどのようにコンタクトするかを前記ワイヤレスアクセス端末に伝えることをさらに含む請求項１１記載の基地局。
【請求項１５】
前記プロセッサは、異なるサービスに対して、アクティブコールを前記ワイヤレスアクセス端末と確立するようにさらに構成されている請求項１１記載の基地局。
【請求項１６】
前記プロセッサは、前記通信要求を受信するより前に、ＷＳ情報サーバからのＷＳ情報を取得するようにさらに構成されている請求項１１記載の基地局。
【請求項１７】
前記通信要求は、前記ワイヤレスアクセス端末上でのロケーション決定モジュールの動作に基づいている前記ワイヤレスアクセス端末のロケーションをさらに含む請求項１１記載の基地局。
【請求項１８】
通信コールのハンドオフを実行する方法において、
ライセンスされている周波数上で動作している第１の基地局において、ワイヤレスアクセス端末の通信コールのハンドオフを実行する必要性の通知を受信することと、
前記ワイヤレスアクセス端末のロケーションを取得することと、
ライセンスされていない周波数スペクトル中で動作し、前記ワイヤレスアクセス端末のロケーションに対応するサービスエリアを持っている何らかの基地局を識別することと、
前記識別に基づいて、前記通信コールをハンドオフする際に使用するターゲット基地局に対する識別情報を前記ワイヤレスアクセス端末に対して提供することとを含み、
前記通信コールは、第１のライセンスされていない周波数上でのものであり、第２の基地局によってサービス提供される方法。
【請求項１９】
前記識別情報を決定することは、ホワイトスペース情報を取得することと、前記ワイヤレスアクセス端末のロケーションを、前記ホワイトスペース情報と相関付けることをさらに含む請求項１８記載の方法。
【請求項２０】
前記ターゲット基地局は、前記ライセンスされていない周波数スペクトル中で動作し、前記ワイヤレスアクセス端末のロケーションに対応するサービスエリアを持っている第３の基地局を含み、
前記第１の基地局を通して、前記第２の基地局から前記ターゲット基地局にトンネルを確立することと、
前記トンネルを通して、前記第２の基地局から前記第３の基地局に、前記通信コールに対応している通信をトンネルすることとをさらに含む請求項１８記載の方法。
【請求項２１】
前記提供することは、ライセンスされていない周波数スペクトル中で動作し、前記ワイヤレスアクセス端末のロケーションに対応するサービスエリアを持っている基地局が識別されなかった場合に、前記第１の基地局に対応する識別情報を提供することと、前記通信コールのハンドオフを受信することとを含む請求項１８記載の方法。
【請求項２２】
ライセンスされていない周波数スペクトル中で動作し、前記ワイヤレスアクセス端末のロケーションに対応するサービスエリアを持っている識別された基地局に、前記第１の基地局から前記通信コールをハンドオフすることをさらに含む請求項２１記載の方法。
【請求項２３】
前記通知を受信することは、前記ワイヤレスアクセス端末または前記第２の基地局によって行われた決定に基づいて受信することをさらに含む請求項１８記載の方法。
【請求項２４】
前記提供することは、識別された基地局に対応するサービス情報にさらに基づいて、前記識別された基地局を選択することをさらに含む請求項１８記載の方法。
【請求項２５】
前記選択することは、通信リンク品質またはサービスのコストのうちの少なくとも１つに基づいて選択することをさらに含む請求項２４記載の方法。
【請求項２６】
前記第１のライセンスされていない周波数上での前記通信コールが、前記第２の基地局のセクタの第１のセクタに対応し、前記第２の基地局は、前記第１のライセンスされていない周波数とは異なる第２のライセンスされていない周波数上で動作する第２のセクタをさらに含み、
ＡＴに特有な互換性または非互換性のライセンスされていない周波数情報を取得することをさらに含み、
前記識別することは、前記ＡＴに特有な互換性または非互換性のライセンスされていない周波数情報にしたがって、前記第２のライセンスされていない周波数が前記ＡＴと互換性がある場合に、前記第２のセクタの前記第２のライセンスされていない周波数を識別することをさらに含む請求項１８記載の方法。
【請求項２７】
前記通信コールは、複数の通信サービスタイプを含み、
前記ライセンスされている周波数上で動作する前記第１の基地局と、少なくとも１つの利用可能なライセンスされていない周波数上で動作する第２の基地局との間で使用するために、前記複数の通信サービスタイプをパーティションすることをさらに含み、
前記ターゲット基地局の提供は、前記複数の通信サービスタイプのパーティションを識別する請求項１８記載の方法。
【請求項２８】
通信コールのハンドオフを実行するように構成されている少なくとも１つのプロセッサにおいて、
ライセンスされている周波数上で動作している第１の基地局において、ワイヤレスアクセス端末の通信コールのハンドオフを実行する必要性の通知を受信する第１のモジュールと、
前記ワイヤレスアクセス端末のロケーションを取得する第２のモジュールと、
ライセンスされていない周波数スペクトル中で動作し、前記ワイヤレスアクセス端末のロケーションに対応するサービスエリアを持っている何らかの基地局を識別する第３のモジュールと、
前記識別に基づいて、前記通信コールをハンドオフする際に使用するターゲット基地局に対する識別情報を前記ワイヤレスアクセス端末に対して提供する第４のモジュールとを具備し、
前記通信コールは、第１のライセンスされていない周波数上でのものであり、第２の基地局によってサービス提供される少なくとも１つのプロセッサ。
【請求項２９】
通信コールのハンドオフを実行するように構成されているコンピュータプログラムプロダクトにおいて、
ライセンスされている周波数上で動作している第１の基地局において、ワイヤレスアクセス端末の通信コールのハンドオフを実行する必要性の通知をコンピュータに受信させるように動作可能な少なくとも１つの命令と、
前記ワイヤレスアクセス端末のロケーションを前記コンピュータに取得させるように動作可能な少なくとも１つの命令と、
ライセンスされていない周波数スペクトル中で動作し、前記ワイヤレスアクセス端末のロケーションに対応するサービスエリアを持っている何らかの基地局を前記コンピュータに識別させるように動作可能な少なくとも１つの命令と、
前記識別に基づいて、前記通信コールをハンドオフする際に使用するターゲット基地局に対する識別情報を前記ワイヤレスアクセス端末に対して前記コンピュータに提供させるように動作可能な少なくとも１つの命令とを含むコンピュータ読み取り可能媒体を具備し、
前記通信コールは、第１のライセンスされていない周波数上でのものであり、第２の基地局によってサービス提供されるコンピュータプログラムプロダクト。
【請求項３０】
通信コールのハンドオフを実行するように構成されている装置において、
ライセンスされている周波数上で動作している第１の基地局において、ワイヤレスアクセス端末の通信コールのハンドオフを実行する必要性の通知を受信する手段と、
前記ワイヤレスアクセス端末のロケーションを取得する手段と、
ライセンスされていない周波数スペクトル中で動作し、前記ワイヤレスアクセス端末のロケーションに対応するサービスエリアを持っている何らかの基地局を識別する手段と、
前記識別に基づいて、前記通信コールをハンドオフする際に使用するターゲット基地局に対する識別情報を前記ワイヤレスアクセス端末に対して提供する手段とを具備し、
前記通信コールは、第１のライセンスされていない周波数上でのものであり、第２の基地局によってサービス提供される装置。
【請求項３１】
基地局において、
ライセンスされている周波数上で動作している第１の基地局において、ワイヤレスアクセス端末の通信コールのハンドオフを実行する必要性の通知を受信するようにと、
前記ワイヤレスアクセス端末のロケーションを取得するようにと、
ライセンスされていない周波数スペクトル中で動作し、前記ワイヤレスアクセス端末のロケーションに対応するサービスエリアを持っている何らかの基地局を識別するようにと、
前記識別に基づいて、前記通信コールをハンドオフする際に使用するターゲット基地局に対する識別情報を前記ワイヤレスアクセス端末に対して提供するように構成されているプロセッサを具備し、
前記通信コールは、第１のライセンスされていない周波数上でのものであり、第２の基地局によってサービス提供される基地局。
【請求項３２】
ホワイトスペース情報を取得する方法において、
第１のインフラストラクチャ階層レベルに位置付けられている第１のネットワークインフラストラクチャデバイスにおいて、前記ホワイトスペース情報の第１のバージョンをキャッシュすることと、
前記ホワイトスペース情報の前記第１のバージョンに対応する無効化メッセージを受信することと、
前記無効化メッセージに基づいて、前記キャッシュしたホワイトスペース情報の前記第１のバージョンを無効化することと、
インフラストラクチャ更新プロトコルに基づいて、前記ネットワークインフラストラクチャデバイスにおいて、前記ホワイトスペース情報の更新された第２のバージョンを取得することと、
前記インフラストラクチャ更新プロトコルにしたがって、前記ホワイトスペース情報の前記更新された第２のバージョンを、第２のインフラストラクチャ階層レベルに位置付けられている第２のインフラストラクチャデバイスに対して報知することとを含む方法。
【請求項３３】
前記第１のネットワークインフラストラクチャデバイスおよび前記第２のネットワークインフラストラクチャデバイスは、非ホワイトスペースインフラストラクチャデバイスを含む請求項３２記載の方法。
【請求項３４】
前記第１のネットワークインフラストラクチャデバイスおよび前記第２のネットワークインフラストラクチャデバイスは、ホワイトスペースインフラストラクチャデバイスを含む請求項３２記載の方法。
【請求項３５】
前記第２のネットワークインフラストラクチャデバイスは、基地局を含み、前記第１のネットワークインフラストラクチャデバイスは、第２のネットワークインフラストラクチャデバイスよりも、前記キャッシュしたホワイトスペース情報に階層的に、より近いコンポーネントを含む請求項３２記載の方法。
【請求項３６】
前記無効化メッセージを受信することは、ホワイトスペース情報サーバが更新されたホワイトスペース情報を受信することによってトリガされる請求項３２記載の方法。
【請求項３７】
ホワイトスペース情報を取得するように構成されている少なくとも１つのプロセッサにおいて、
第１のインフラストラクチャ階層レベルに位置付けられている第１のネットワークインフラストラクチャデバイスにおいて、前記ホワイトスペース情報の第１のバージョンをキャッシュする第１のモジュールと、
前記ホワイトスペース情報の前記第１のバージョンに対応する無効化メッセージを受信する第２のモジュールと、
前記無効化メッセージに基づいて、前記キャッシュしたホワイトスペース情報の前記第１のバージョンを無効化する第３のモジュールと、
インフラストラクチャ更新プロトコルに基づいて、前記ネットワークインフラストラクチャデバイスにおいて、前記ホワイトスペース情報の更新された第２のバージョンを取得する第４のモジュールと、
前記インフラストラクチャ更新プロトコルにしたがって、前記ホワイトスペース情報の前記更新された第２のバージョンを、第２のインフラストラクチャ階層レベルに位置付けられている第２のインフラストラクチャデバイスに対して報知する第５のモジュールとを具備する少なくとも１つのプロセッサ。
【請求項３８】
ホワイトスペース情報を取得するように構成されているコンピュータプログラムプロダクトにおいて、
第１のインフラストラクチャ階層レベルに位置付けられている第１のネットワークインフラストラクチャデバイスにおいて、前記ホワイトスペース情報の第１のバージョンをコンピュータにキャッシュさせるように動作可能な少なくとも１つの命令と、
前記ホワイトスペース情報の前記第１のバージョンに対応する無効化メッセージを前記コンピュータに受信させるように動作可能な少なくとも１つの命令と、
前記無効化メッセージに基づいて、前記キャッシュしたホワイトスペース情報の前記第１のバージョンを前記コンピュータに無効化させるように動作可能な少なくとも１つの命令と、
インフラストラクチャ更新プロトコルに基づいて、前記ネットワークインフラストラクチャデバイスにおいて、前記ホワイトスペース情報の更新された第２のバージョンを前記コンピュータに取得させるように動作可能な少なくとも１つの命令と、
前記インフラストラクチャ更新プロトコルにしたがって、前記ホワイトスペース情報の前記更新された第２のバージョンを、第２のインフラストラクチャ階層レベルに位置付けられている第２のインフラストラクチャデバイスに対して前記コンピュータに報知させるように動作可能な少なくとも１つの命令とを含むコンピュータ読み取り可能媒体を具備するコンピュータプログラムプロダクト。
【請求項３９】
ホワイトスペース情報を取得する装置において、
第１のインフラストラクチャ階層レベルに位置付けられている第１のネットワークインフラストラクチャデバイスにおいて、前記ホワイトスペース情報の第１のバージョンをキャッシュする手段と、
前記ホワイトスペース情報の前記第１のバージョンに対応する無効化メッセージを受信する手段と、
前記無効化メッセージに基づいて、前記キャッシュしたホワイトスペース情報の前記第１のバージョンを無効化する手段と、
インフラストラクチャ更新プロトコルに基づいて、前記ネットワークインフラストラクチャデバイスにおいて、前記ホワイトスペース情報の更新された第２のバージョンを取得する手段と、
前記インフラストラクチャ更新プロトコルにしたがって、前記ホワイトスペース情報の前記更新された第２のバージョンを、第２のインフラストラクチャ階層レベルに位置付けられている第２のインフラストラクチャデバイスに対して報知する手段とを具備する装置。
【請求項４０】
コンピュータデバイスにおいて、
第１のインフラストラクチャ階層レベルに位置付けられている第１のネットワークインフラストラクチャデバイスにおいて、前記ホワイトスペース情報の第１のバージョンをキャッシュするようにと、
前記ホワイトスペース情報の前記第１のバージョンに対応する無効化メッセージを受信するようにと、
前記無効化メッセージに基づいて、前記キャッシュしたホワイトスペース情報の前記第１のバージョンを無効化するようにと、
インフラストラクチャ更新プロトコルに基づいて、前記ネットワークインフラストラクチャデバイスにおいて、前記ホワイトスペース情報の更新された第２のバージョンを取得するようにと、
前記インフラストラクチャ更新プロトコルにしたがって、前記ホワイトスペース情報の前記更新された第２のバージョンを、第２のインフラストラクチャ階層レベルに位置付けられている第２のインフラストラクチャデバイスに対して報知するように構成されているプロセッサを具備するコンピュータデバイス。
【請求項４１】
ピアツーピア（Ｐ２Ｐ）通信の方法において、
ライセンスされている周波数上で動作している第１の基地局において、ライセンスされていない周波数スペクトルにおける通信セッションに対する通信要求を受信することと、
第１のロケーション情報と第２のロケーション情報とに対応する１つ以上の利用可能なラインセンスされていない周波数を送信することと、
前記利用可能なライセンスされていない周波数のそれぞれに対する干渉レベルを受信することと、
ピアツーピア（Ｐ２Ｐ）通信を確立するために、前記利用可能なライセンスされていない周波数のそれぞれの決定された干渉レベルに基づいて、前記１つ以上の利用可能なライセンスされていない周波数を識別することとを含み、
前記通信要求は、前記第１のロケーション情報を持つ第１のワイヤレス通信デバイスに対応し、前記通信要求は、前記第２のロケーション情報を持つ第２のワイヤレス通信デバイスを、前記通信セッションに対する宛先として識別する方法。
【請求項４２】
前記Ｐ２Ｐ通信を確立する、前記１つ以上の利用可能なライセンスされていない周波数のうちの１つに対する訂正された干渉レベルに基づいて、前記１つ以上の利用可能なライセンスされていない周波数のうちの別のものへの前記Ｐ２Ｐ通信の切り替えを指示することをさらに含む請求項４１記載の方法。
【請求項４３】
前記Ｐ２Ｐ通信を確立する、前記１つ以上の利用可能なライセンスされていない周波数のうちの１つ上で、訂正された干渉レベルを受信することをさらに含む請求項４１記載の方法。
【請求項４４】
好ましい利用可能なライセンスされていない周波数を受信することをさらに含み、
前記１つ以上の利用可能なライセンスされていない周波数の識別は、ピアツーピア（Ｐ２Ｐ）通信を確立するために、前記好ましい利用可能なライセンスされていない周波数を識別することをさらに含む請求項４１記載の方法。
【請求項４５】
ピアツーピア（Ｐ２Ｐ）通信のために構成されている少なくとも１つのプロセッサにおいて、
ライセンスされている周波数上で動作している第１の基地局において、ライセンスされていない周波数スペクトルにおける通信セッションに対する通信要求を受信する第１のモジュールと、
第１のロケーション情報と第２のロケーション情報とに対応する１つ以上の利用可能なラインセンスされていない周波数を送信する第２のモジュールと、
前記利用可能なライセンスされていない周波数のそれぞれに対する干渉レベルを受信する第３のモジュールと、
ピアツーピア（Ｐ２Ｐ）通信を確立するために、前記利用可能なライセンスされていない周波数のそれぞれの決定された干渉レベルに基づいて、前記１つ以上の利用可能なライセンスされていない周波数のうちの１つを識別する第４のモジュールとを具備し、
前記通信要求は、前記第１のロケーション情報を持つ第１のワイヤレス通信デバイスに対応し、前記通信要求は、前記第２のロケーション情報を持つ第２のワイヤレス通信デバイスを、前記通信セッションに対する宛先として識別する少なくとも１つのプロセッサ。
【請求項４６】
ピアツーピア（Ｐ２Ｐ）通信のために構成されているコンピュータプログラムプロダクトにおいて、
ライセンスされている周波数上で動作している第１の基地局において、ライセンスされていない周波数スペクトルにおける通信セッションに対する通信要求をコンピュータに受信させるように動作可能な少なくとも１つの命令と、
第１のロケーション情報と第２のロケーション情報とに対応する１つ以上の利用可能なラインセンスされていない周波数を前記コンピュータに送信させるように動作可能な少なくとも１つの命令と、
前記利用可能なライセンスされていない周波数のそれぞれに対する干渉レベルを前記コンピュータに受信させるように動作可能な少なくとも１つの命令と、
ピアツーピア（Ｐ２Ｐ）通信を確立するために、前記利用可能なライセンスされていない周波数のそれぞれの決定された干渉レベルに基づいて、前記１つ以上の利用可能なライセンスされていない周波数のうちの１つを前記コンピュータに識別させるように動作可能な少なくとも１つの命令とを含むコンピュータ読み取り可能媒体を具備し、
前記通信要求は、前記第１のロケーション情報を持つ第１のワイヤレス通信デバイスに対応し、前記通信要求は、前記第２のロケーション情報を持つ第２のワイヤレス通信デバイスを、前記通信セッションに対する宛先として識別するコンピュータプログラムプロダクト。
【請求項４７】
ピアツーピア（Ｐ２Ｐ）通信のための装置において、
ライセンスされている周波数上で動作している第１の基地局への、ライセンスされていない周波数スペクトルにおける通信セッションに対する通信要求を受信する手段と、
第１のロケーション情報と第２のロケーション情報とに対応する１つ以上の利用可能なラインセンスされていない周波数を送信する手段と、
前記利用可能なライセンスされていない周波数のそれぞれに対する干渉レベルを受信する手段と、
ピアツーピア（Ｐ２Ｐ）通信を確立するために、前記利用可能なライセンスされていない周波数のそれぞれの決定された干渉レベルに基づいて、前記１つ以上の利用可能なライセンスされていない周波数のうちの１つを識別する手段とを具備し、
前記通信要求は、前記第１のロケーション情報を持つ第１のワイヤレス通信デバイスに対応し、前記通信要求は、前記第２のロケーション情報を持つ第２のワイヤレス通信デバイスを、前記通信セッションに対する宛先として識別する装置。
【請求項４８】
基地局において、
ライセンスされている周波数上で動作している第１の基地局において、ライセンスされていない周波数スペクトルにおける通信セッションに対する通信要求を受信するようにと、
第１のロケーション情報と第２のロケーション情報とに対応する１つ以上の利用可能なラインセンスされていない周波数を送信するようにと、
前記利用可能なライセンスされていない周波数のそれぞれに対する干渉レベルを受信するようにと、
ピアツーピア（Ｐ２Ｐ）通信を確立するために、前記利用可能なライセンスされていない周波数のそれぞれの決定された干渉レベルに基づいて、前記１つ以上の利用可能なライセンスされていない周波数のうちの１つを識別するように構成されているプロセッサを具備し、
前記通信要求は、前記第１のロケーション情報を持つ第１のワイヤレス通信デバイスに対応し、前記通信要求は、前記第２のロケーション情報を持つ第２のワイヤレス通信デバイスを、前記通信セッションに対する宛先として識別する基地局。
【請求項４９】
現場に特有な情報を受信する方法において、
アクセス端末において、ライセンスされている周波数上で動作している第１の基地局から、ライセンスされていないスペクトル中で動作している第２の基地局に対するブロードキャストチャネル情報を取得することと、
前記ブロードキャストチャネル情報に基づいて、前記第２の基地局の前記ブロードキャストチャネルに同調することと、
前記ブロードキャストチャネル上で、現場特有メッセージを受信することと、
前記現場特有メッセージを記憶または提示することとを含む方法。
【請求項５０】
前記現場特有メッセージの適用可能性のレベルを決定することと、
前記適用可能性のレベルに基づいて、前記現場特有メッセージを削除することとをさらに含む請求項１記載の方法。
【請求項５１】
現場に特有な情報を受信する少なくとも１つのプロセッサにおいて、
アクセス端末において、ライセンスされている周波数上で動作している第１の基地局から、ライセンスされていないスペクトル中で動作している第２の基地局に対するブロードキャストチャネル情報を取得する第１のモジュールと、
前記ブロードキャストチャネル情報に基づいて、前記第２の基地局の前記ブロードキャストチャネルに同調する第２のモジュールと、
前記ブロードキャストチャネル上で、現場特有メッセージを受信する第３のモジュールと、
前記現場特有メッセージを記憶または提示する第４のモジュールとを具備する少なくとも１つのプロセッサ。
【請求項５２】
現場に特有な情報を受信するためのコンピュータプログラムプロダクトにおいて、
ライセンスされている周波数上で動作している第１の基地局から、ライセンスされていないスペクトル中で動作している第２の基地局に対するブロードキャストチャネル情報をコンピュータに取得させるように動作可能な少なくとも１つの命令と、
前記ブロードキャストチャネル情報に基づいて、前記コンピュータに、前記第２の基地局の前記ブロードキャストチャネルに同調させるように動作可能な少なくとも１つの命令と、
前記ブロードキャストチャネル上で、現場特有メッセージを前記コンピュータに受信させるように動作可能な少なくとも１つの命令と、
前記現場特有メッセージを前記コンピュータに記憶または提示させるように動作可能な少なくとも１つの命令とを含むコンピュータ読み取り可能媒体を具備するコンピュータプログラムプロダクト。
【請求項５３】
現場に特有な情報を受信する装置において、
アクセス端末において、ライセンスされている周波数上で動作している第１の基地局から、ライセンスされていないスペクトル中で動作している第２の基地局に対するブロードキャストチャネル情報を取得する手段と、
前記ブロードキャストチャネル情報に基づいて、前記第２の基地局の前記ブロードキャストチャネルに同調する手段と、
前記ブロードキャストチャネル上で、現場特有メッセージを受信する手段と、
前記現場特有メッセージを記憶または提示する手段とを具備する装置。
【請求項５４】
アクセス端末において、
ライセンスされている周波数上で動作している第１の基地局から、ライセンスされていないスペクトル中で動作している第２の基地局に対するブロードキャストチャネル情報を取得するようにと、
前記ブロードキャストチャネル情報に基づいて、前記第２の基地局の前記ブロードキャストチャネルに同調するようにと、
前記ブロードキャストチャネル上で、現場特有メッセージを受信するようにと、
前記現場特有メッセージを記憶または提示するように構成されているプロセッサを具備するアクセス端末。
【発明の詳細な説明】
【優先権の主張】
【０００１】
本特許出願は、「ホワイトスペース通信の装置および方法」と題し、２００９年３月２６日に出願され、仮出願番号６１／１６３，７０６号に対して優先権を主張し、この出願は、本発明の譲受人に譲渡され、ここでの参照によりここに明確に組み込まれている。
【背景】
【０００２】
分野
記述した態様は、通信に関連し、さらに詳細には、ライセンスされていないスペクトル中での通信に関連する。
【０００３】
背景
ライセンスされているスペクトル中で加入者をサポートするのに利用可能な、ワイヤレスネットワークオペレータおよびキャリアのワイヤレス容量には限界がある。ライセンスされていないデバイスが、一般的に「ホワイトスペース」と呼ばれる、使用されていないテレビルールスペクトル中で動作することを可能にするルールを、アメリカ合衆国政府が、最近、通信に採用した。したがって、新しく利用可能なライセンスされていないホワイトスペーススペクトル中で移動体ブロードバンドサービスを使用可能にするために、新しい通信装置および方法が必要とされるだろう。
【０００４】
概要 
以下では、この態様の基本的な理解を提供するために、１つ以上の態様の簡略化した概要を示している。この概要は、すべて検討した態様の多彩な概略ではなく、すべての態様の重要なまたは不可欠なエレメントを識別することにも、何らかの態様またはすべての態様の範囲を詳細に述べることにも向けられていない。この唯一の目的は、後に示すより詳細な説明に対する前置きとして、１つ以上の態様のうちのいくつかの概念を簡単な形態で示すことである。
【０００５】
態様では、通信サービスを提供する方法は、第１の基地局において、ライセンスされている周波数上で、ネットワークアクセスに対する通信要求をワイヤレスアクセス端末から受信することを含む。方法は、ワイヤレスアクセス端末のロケーションに対応する、少なくとも１つの利用可能なライセンスされていない周波数を決定することをさらに含む。また、方法は、少なくとも１つの利用可能なライセンスされていない周波数を介することになるワイヤレスアクセス端末に対して、ネットワークアクセスの少なくとも一部分をパーティションすることを含む。加えて、方法は、ネットワークアクセスの少なくとも一部分を取得するのに使用する少なくとも１つの利用可能なライセンスされていない周波数をワイヤレスアクセス端末に対して報知することを含む。
【０００６】
他の態様は、上述した方法動作を実行するように構成されているモジュールを具備する少なくとも１つのプロセッサ、または上述した方法動作を実行するための命令を含むコンピュータ読み取り可能媒体を具備するコンピュータプログラムプロダクト、または上述した方法動作を実行する手段を具備する装置、または上述した方法動作を実行するように構成されているプロセッサ具備する基地局を含む。
【０００７】
別の態様では、通信コールのハンドオフを実行する方法は、ライセンスされている周波数上で動作している第１の基地局において、ワイヤレスアクセス端末の通信コールのハンドオフを実行する必要性の通知を受信することを含み、通信コールは、第１のライセンスされていない周波数上でのものであり、第２の基地局によってサービス提供される。さらに、方法は、ワイヤレスアクセス端末のロケーションを取得することと、ライセンスされていない周波数スペクトル中で動作し、ワイヤレスアクセス端末のロケーションに対応するサービスエリアを持っている何らかの基地局を識別することとを含む。加えて、方法は、識別に基づいて、通信コールをハンドオフする際に使用するターゲット基地局に対する識別情報をワイヤレスアクセス端末に対して提供することを含む。
【０００８】
さらなる態様では、ホワイトスペース情報を取得する方法は、第１のインフラストラクチャ階層レベルに位置付けられている第１のネットワークインフラストラクチャデバイスにおいて、ホワイトスペース情報の第１のバージョンをキャッシュすることを含む。また、方法は、ホワイトスペース情報の第１のバージョンに対応する無効化メッセージを受信することを含む。さらに、方法は、無効化メッセージに基づいて、キャッシュしたホワイトスペース情報の第１のバージョンを無効化することを含む。さらには、方法は、インフラストラクチャ更新プロトコルに基づいて、ネットワークインフラストラクチャデバイスにおいて、ホワイトスペース情報の更新された第２のバージョンを取得することを含む。加えて、方法は、インフラストラクチャ更新プロトコルにしたがって、ホワイトスペース情報の更新された第２のバージョンを、第２のインフラストラクチャ階層レベルに位置付けられている第２のインフラストラクチャデバイスに対して報知することを含む。
【０００９】
別の態様では、ピアツーピア（Ｐ２Ｐ）通信の方法は、ライセンスされている周波数上で動作している第１の基地局において、ライセンスされていない周波数スペクトルにおける通信セッションに対する通信要求を受信することを含み、通信要求は、第１のロケーション情報を持つ第１のワイヤレス通信デバイスに対応し、通信要求は、第２のロケーション情報を持つ第２のワイヤレス通信デバイスを、通信セッションに対する宛先として識別する。方法は、第１のロケーション情報と第２のロケーション情報とに対応する１つ以上の利用可能なラインセンスされていない周波数を送信することも含む。さらに、方法は、利用可能なライセンスされていない周波数のそれぞれに対する干渉レベルを受信することを含む。加えて、方法は、ピアツーピア（Ｐ２Ｐ）通信を確立するために、利用可能なライセンスされていない周波数のそれぞれの決定された干渉レベルに基づいて、１つ以上の利用可能なライセンスされていない周波数を識別することを含む。
【００１０】
さらなる態様では、現場に特有な情報を受信する方法は、アクセス端末において、ライセンスされている周波数上で動作している第１の基地局から、ライセンスされていないスペクトル中で動作している第２の基地局に対するブロードキャストチャネル情報を取得することを含む。方法は、ブロードキャストチャネル情報に基づいて、第２の基地局のブロードキャストチャネルに同調することも含む。さらに、方法は、ブロードキャストチャネル上で、現場特有メッセージを受信することを含む。加えて、方法は、現場特有メッセージを記憶または提示することとを含む。
【００１１】
上述した方法のうちの任意のものの他の態様は、上述した方法動作を実行するように構成されているモジュールを具備する少なくとも１つのプロセッサ、または上述した方法動作を実行するための命令を含むコンピュータ読み取り可能媒体を具備するコンピュータプログラムプロダクト、または上述した方法動作を実行する手段を具備する装置、または上述した方法動作を実行するように構成されているプロセッサをそれぞれ具備するサーバまたはアクセス端末のような、基地局またはネットワークコンポーネントを含む。
【００１２】
先述の関連した目的の達成のために、詳細な説明および添付した図面とともに、１つ以上の態様は、以下で完全に記述した特徴および特許請求の範囲において特に指摘した特徴を含む。以下の説明および添付した図面では、１つ以上の態様のいくつかの例示的な特徴を詳細に述べている。しかしながら、これらの特徴は、ほんの数例のさまざまな方法を示しているにすぎず、ここでは、さまざまな態様の原理が用いられ、この記述はこのようなすべての態様および均等物を含むことを意図している。
【図面の簡単な説明】
【００１３】
開示した態様を図示するように提供されているが、開示した態様を限定するものではない、添付した図面に関連して、開示した態様を以下で記述する。同様な呼称は、同じエレメントを意味する。  
【図１】図１は、ハイブリッド通信ネットワークの態様の概略図である。
【図２】図２は、図１に類似しており、付加的なシステムの詳細を含む概略図である。
【図３】図３は、図１のシステムのハイブリッドＷＷＡＮ技術に特有なアークテクチャの階層の態様の概略図である。
【図４】図４は、図１のシステムのハイブリッドＷＷＡＮ技術に特有なアークテクチャの階層の態様の概略図である。
【図５】図５は、図１のシステムのハイブリッドＷＷＡＮ技術に特有なアークテクチャの階層の態様の概略図である。
【図６】図６は、ネットワークアクセスおよび／またはサービスを動的にパーティションする方法の態様のフローチャートである。
【図７】図７は、ネットワークアクセスを動的にパーティションする方法の態様に関連するメッセージフローダイアグラムである。
【図８】図８は、通信サービスを動的にパーティションする方法の態様に関連するメッセージフローダイアグラムである。
【図９】図９は、図６−図８の方法を実行するように動作可能な、アクセス端末および非ホワイトスペース基地局の論理コンポーネントの態様の概略ダイアグラムである。
【図１０】図１０は、ネットワークアクセスおよび／またはサービスをパーティションするコンポーネントのシステムの態様の概略ダイアグラムである。
【図１１】図１１は、ネットワークアクセスおよび／またはサービスをパーティションする論理コンポーネントのシステムの態様の概略ダイアグラムである。
【図１２】図１２は、図１のネットワーク内のアクセス端末の動きの態様の概略ダイアグラムである。
【図１３】図１３は、付加的な非ホワイトスペース基地局を含む図１のネットワークによる、アクセス端末の動きの態様の概略ダイアグラムである。
【図１４】図１４は、ホワイトスペースコールの周波数間ハンドオフを実行する方法の態様のフローチャートである。
【図１５】図１５は、ホワイトスペース通信セッションまたはコールの、非ホワイトスペース基地局支援ハンドオフの態様に関連するメッセージフローダイアグラムである。
【図１６】図１６は、図１４および図１５のフローで動作可能な非ホワイトスペース基地局の態様の概略ダイアグラムである。
【図１７】図１７は、図１４および図１５のフローに関連する周波数間ハンドオフに関与する論理コンポーネントの態様の概略ダイアグラムである。
【図１８】図１８は、ホワイトスペースコールの周波数間ハンドオフを実行する論理コンポーネントのシステムの態様の概略ダイアグラムである。
【図１９】図１９は、ホワイトスペース情報をキャッシュする方法の態様のフローチャートである。
【図２０】図２０は、ホワイトスペース情報をキャッシュする態様に関連するメッセージフローダイアグラムである。
【図２１】図２１は、図１９および図２０のフローで動作可能な、図１のコンポーネントの態様の概略ダイアグラムである。
【図２２】図２２は、ホワイトスペース情報をキャッシュする論理コンポーネントのシステムの態様の概略ダイアグラムである。
【図２３】図２３は、ピアツーピア（Ｐ２Ｐ）ホワイトスペース通信の方法の態様のフローチャートである。
【図２４】図２４は、ピアツーピア（Ｐ２Ｐ）ホワイトスペース通信の態様に関連するメッセージフローダイアグラムである。
【図２５】図２５は、図２３および図２４のフローで動作可能な、図１の非ホワイトスペース基地局およびアクセス端末の態様の概略ダイアグラムである。
【図２６】図２６は、ピアツーピア（Ｐ２Ｐ）ホワイトスペース通信のための論理コンポーネントのシステムの態様の概略ダイアグラムである。
【図２７】図２７は、ホワイトスペース基地局からの現場キャスティング情報の方法の態様のフローチャートである。
【図２８】図２８は、ホワイトスペース基地局からの現場キャスティング情報の態様に関連するメッセージフローダイアグラムである。
【図２９】図２９は、図２７および図２８のフローで動作可能な、図１の非ホワイトスペース基地局およびアクセス端末の態様の概略ダイアグラムである。
【図３０】図３０は、ホワイトスペース基地局からの現場キャスティング情報のための論理コンポーネントのシステムの態様の概略ダイアグラムである。
【図３１】図３１は、記述した態様で動作可能なコンピュータデバイスの概略ダイアグラムである。
【詳細な説明】
【００１４】
これから、図面を参照して、さまざまな態様を記述する。以下の記述では、説明の目的のために、１つ以上の態様の全体的な理解を提供するために、多数の特定の詳細な説明を述べている。しかしながら、これらの特定の詳細な説明がなくても、このような態様を実施できることは明らかである。
【００１５】
記述する、通信の装置および方法は、利用可能なライセンスされていない周波数スペクトルの１つ以上の帯域中で動作可能な通信デバイスを持つ通信システムに関連する。この利用可能なライセンスされていない周波数スペクトルを、「ホワイトスペース」と呼ぶ。例えば、アメリカ合衆国では、例えば、約５４メガヘルツ（ＭＨｚ）から約８００ＭＨｚに及ぶさまざまな周波数帯域中でブロードキャストアナログテレビ信号によって以前に排他的に占有されていた周波数に、ホワイトスペースは対応している。エリア中のブロードキャスタの数に依存して、利用可能なホワイトスペースの量は地理領域によって異なる。例えば、地方エリアでは利用可能なホワイトスペースはより多く、都市エリアでは利用可能なホワイトスペースはより少ないかもしれない。
【００１６】
セルラ音声コールおよびデータコールのような移動体ブロードバンドサービスに対する容量を増加させるために、記述する装置および方法は、協働するホワイトスペースネットワークおよび非ホワイトスペースネットワークを利用する。特に、記述する態様は、ハイブリッド通信ネットワークを含み、このハイブリッド通信ネットワークでは、ライセンスされていないホワイトスペースワイドエリアネットワークが、移動体ブロードバンドサービスを提供するために、ライセンスされているセルラワイドエリアネットワークとともに働く。すなわち、協働するネットワークは、ライセンスされていないＷＷＡＮと、ライセンスされているＷＷＡＮである。例えば、このようなＷＷＡＮは、１００メートルよりも長い距離を、または、２００メートルよりも長い距離を、または５００メートルよりも長い距離を持つことがあり、このような距離は、約３キロメートルに、または、約５キロメートルに及ぶことがある。長距離配備が典型的であるが、このようなワイヤレスワイドエリアネットワーキング技術は、例えば、ピコセル中またはフェムトセルにおけるように、数１００メートルの短距離または数１０メートルの短距離またはより短い距離にわたって配備することができる。
【００１７】
１つの態様では、例えば、記述する装置および方法は、ホワイトスペース（ＷＳ）ネットワークと非ホワイトスペース（ＮＷＳ）またはセルラネットワークとの間で、アクセス端末（ＡＴ）に対するネットワークアクセスを、または通信サービスを、またはこの両方を、動的にパーティションするように動作可能である。パーティションは、ＡＴ関連制約またはネットワーク関連（ＷＳネットワークおよび／またはＮＷＳネットワーク）制約のうちの、１つあるいは任意のものを組み合わせたものに基づいていてもよい。特に、ハイブリッドＡＴは、ＷＳネットワークに対する接続情報を取得するために、そして、ＷＳネットワークとＮＷＳネットワークとの間での、ＡＴに対するネットワークアクセスおよび／または通信サービスのパーティショニングに関する情報をさらに取得するために、ＮＷＳネットワークと通信してもよい。このように、この態様は、ＡＴが、所望の通信サービスならびに／あるいは所定のＡＴ関連および／またはネットワーク関連制約に依存して、ＮＷＳネットワークを利用してＷＳネットワークにアクセスすることを、そして、いずれかのネットワークまたは両方のネットワークと通信することを可能にする。
【００１８】
さらなる態様では、例えば、いったん、ホワイトスペース通信コールが確立されると、記述する装置および方法は、例えば、セルラｅノードＢまたは基地局のような非ホワイトスペース基地局（ＮＷＳ ＢＳ）の支援によりホワイトスペース基地局（ＷＳ ＢＳ）間でホワイトスペース通信コールのハンドオフを実行するために、あるいは、ＷＳ ＢＳとＮＷＳ ＢＳとの間でハンドオフを実行するために、通信セッション情報を交換するように動作可能である。特に、ＮＷＳ ＢＳは、ホワイトスペース通信コールのハンドオフのために利用可能なＷＳ ＢＳを決定する際に、ＮＷＳ ＢＳがＡＴを支援できるように、隣接しているＷＳ ＢＳに関する情報と隣接しているＷＳ ＢＳの動作周波数とを維持してもよい。他の態様では、例えば、ＡＴが別のＷＳ ＢＳの範囲内でないときには、ハンドオフは、ＷＳ ＢＳからＮＷＳ ＢＳへのものであるかもしれず、そして、ＡＴが別のＷＳ ＢＳサービスエリアに到達するまで、ＮＷＳ ＢＳがコールを維持してもよい。さらなる態様では、例えば、ＷＳ ＢＳの周囲のサービスエリアが、潜在的にわずかにオーバーラップしている、３つの異なる（２次元で）パイの形をしたＷＳ ＢＳセクタによってカバーされ、干渉を防ぐためにそれぞれのセクタが異なるＷＳ周波数帯域中で動作する場合、ハンドオフは、ＷＳ ＢＳの、異なるセクタ間での、異なるＷＳ動作周波数のものであるかもしれない。このように、この態様は、１つのＷＳ ＢＳから別のものへの、または、ＮＷＳ ＢＳへの、またはＷＳ ＢＳのセクタ間の、ホワイトスペース通信コールのハンドオフのためのメカニズムを提供する。
【００１９】
別の態様では、例えば、記述する装置および方法は、ＮＷＳネットワークインフラストラクチャの１つ以上のレベルにおいて、ホワイトスペース情報をキャッシュするように動作可能である。特に、ホワイトスペース情報は、これらのものに限定されないが、例えば、アナログテレビブロードキャスタのような登録されたＷＳ送信機の識別子に関連する１つ以上のデータや、登録された送信機の、対応するブロードキャスティング周波数またはスペクトル範囲や、ＷＳサービスプロバイダ情報を含んでいてもよい。例えば、ＷＳサービスプロバイダ情報は、ＷＳ ＢＳの識別子や、ＷＳ ＢＳの地理サービスエリアや、ＷＳ ＢＳの動作周波数や、ＷＳ ＢＳから利用可能な通信サービスといったものがある。キャッシュされるホワイトスペース情報は、ホワイトスペース情報サーバから取得されてもよく、ホワイトスペース情報サーバは、ホワイトスペース情報のオフィシャルバージョンを維持するエンティティと、または、マスターサーバと言われることもある。したがって、キャッシュされたホワイトスペース情報は、さまざまなメカニズムにしたがって、ＮＷＳネットワークインフラストラクチャの１つ以上のレベルにおいて維持および更新されてもよい。このように、この態様が、ＮＷＳネットワークインフラストラクチャの１つ以上のレベルにおいてホワイトスペース情報を分散させることによって、ホワイトスペース情報サーバにおける負荷を減少させ、これにより、ホワイトスペース通信を確立しようとしているＡＴのようなホワイトスペースデバイスへのホワイトスペース情報の配信に対する待ち時間を減少させる。
【００２０】
さらに別の態様では、例えば、記述する装置および方法は、１つ以上のＮＷＳ ＢＳからの支援により、２つのＡＴ間でのＷＳピアツーピア（Ｐ２Ｐ）通信を可能にするように動作可能である。特に、１つ以上のＮＷＳ ＢＳは、同じホワイトスペース通信サービスエリア内でコールを確立したい要望を持つ２つ以上のＡＴに対して、ホワイトスペース情報を供給してもよい。それぞれのＡＴは、ホワイトスペース情報を利用して、利用可能なホワイトスペースと、対応する干渉のレベルとを決定する。これらの決定に基づいて、ＡＴは、Ｐ２Ｐ通信コールに対する利用可能なホワイトスペース周波数を選択する。さらに、ＡＴは、選択した利用可能なホワイトスペースにおける干渉のレベルの決定を周期的に更新してもよく、このような干渉がしきい値を超えた場合、ＡＴは、異なる利用可能なホワイトスペース周波数に切り替えるために、受信したホワイトスペース情報に基づいて、あるいは、ＮＷＳ ＢＳまたはＷＳ ＢＳのいずれかから新しく受信して更新したホワイトスペース情報に基づいて、選択プロセスを反復してもよい。このように、この態様は、ＮＷＳまたはＷＳ ＷＷＡＮによって支援されるＰ２Ｐホワイトスペース通信に対して効率的なスキームを提供し、ここでは、適したホワイトスペース周波数を見出すのに、ホワイトスペーススペクトル全体を評価したならば消費されるであろうエネルギーよりも、消費するエネルギーを実質的により少なくするために、ＡＴは、ＮＷＳ ＢＳにより提供されるホワイトスペース情報を利用する。
【００２１】
加えて、別の態様において、ＡＴとＷＳ ＢＳとの間の任意の通信では、ＷＳ周波数のインクリメント的な再交渉が行われる可能性がある。例えば、ＷＳ ＢＳは、複数のＷＳ周波数帯域を同時に使用する能力を持つことがある。そのため、ＡＴが１つの周波数帯域に問題を持つ場合、例えば、スペクトルを感知する際に、ＡＴは、マイクロフォンが存在していることを感知し、または、他の何らかの干渉を感知し、その後、ＡＴは、異なる利用可能なＷＳ周波数帯域をＷＳ ＢＳに求めることがある。干渉が、ＷＳ ＢＳと通信する能力をＡＴに喪失させるほど強かったならば、このような再交渉は、ＡＴからＮＷＳ ＢＳへと、ＷＳ ＢＳへとルーティングされるかもしれず、これにより、ＮＷＳ通信リンクを利用する。
【００２２】
さらには、態様では、ハイブリッド通信システムは、ホワイトスペース基地局による、現場に特有な情報のブロードキャスティングを許容してもよい。このブロードキャスティングを、現場キャスティングと呼ぶ。例えば、ＡＴは、ＮＷＳ ＢＳと通信し、ＡＴの付近で、ＷＳ ＢＳに関する情報を取得してもよい。このような情報は、ブロードキャスト周波数を、または、チャネル情報を含んでいてもよい。ブロードキャスト周波数またはチャネル情報を受信すると、ＡＴは、各周波数／チャネルに同調し、１つ以上の現場特有メッセージのブロードキャストを取得してもよい。ＷＳ ＢＳが、比較的大きいサービスエリアを持っているかもしれないので、ブロードキャストは、ＷＳサービスエリア内の地理的に異なるエリアに対して多くの異なる現場特有メッセージを含んでいてもよい。したがって、いくつかの態様では、ＡＴに関連性のある現場特有メッセージだけを記憶するように、ＡＴは、ＡＴロケーションに基づいて、１つ以上の現場特有メッセージをフィルタリングしてもよい。他の態様では、現場特有メッセージの選択をユーザから受け取ることができるように、ＡＴは、ＡＴのユーザに対する現場特有メッセージを識別してもよい。さらに別の態様では、ＡＴは、どの現場特有メッセージを記憶するかを自動的に選択する論理を備えていてもよい。例えば、ＡＴは、例えば、ユーザにより入力される、または、例えば、履歴ユーザ対話や、ユーザにとって関心のあるエリアに基づいて自動的に決定される、ユーザプリファレンスを含んでいてもよく、ＡＴは、その後、一致を見出すために、現場特有メッセージを規定しているメタデータを、ユーザプリファレンスと比較し、その後、一致している現場特有メッセージを保存してもよい。いずれのケースにおいても、現場特有メッセージのうちの１つ以上は、ユーザによる消費のために出力されてもよく、または、ユーザによる選択的リコールのために記憶されてもよい。
【００２３】
図１を参照すると、１つの態様では、ハイブリッド通信システム１０は、アクセス端末（ＡＴ）１２に対する通信を可能にするように、非ホワイトスペース（ＮＷＳ）ネットワーク１３と協働して動作するホワイトスペース（ＷＳ）ネットワーク１１を備えている。ホワイトスペースネットワーク１１は、少なくとも１つのＷＳ基地局（ＷＳ ＢＳ）によってサービス提供される少なくとも１つのＷＳサービスエリアを含み、例えば、この少なくとも１つのＷＳサービスエリアは、各ＷＳ ＢＳ１８および２０によってサービス提供されるＷＳサービスエリア１４および１６といったものがある。さらに、非ホワイトスペース（ＮＷＳ）ネットワーク１３は、少なくとも１つのＮＷＳ ＢＳによってサービス提供される少なくとも１つのＮＷＳサービスエリアを含む。例えば、この少なくとも１つのＮＷＳサービスエリアは、各ＮＷＳ ＢＳ３２、３４、３６、３８、および４０によってサービス提供されるＮＷＳサービスエリア２２、２４、２６、２８、および３０といったものがある。ＷＳサービスエリア１４および１６は、それぞれ、ＷＳ ＢＳ１８および２０を完全に囲んでいるが、説明を容易にするために、ＷＳサービスエリア１４および１６の、境界４２および４４は、ＷＳ ＢＳ１８および２０を部分的しか含んでいないことに留意すべきである。加えて、説明を容易にするために、ＷＳ ＢＳ１８および２０、ならびにＮＷＳ ＢＳ３２、３４、３６、３８、および４０の各サービスエリアがオーバーラップするように、これらは線形的に整列され、間隔をおいて配置されているが、ＢＳ、および、これらの対応するサービスエリアは、他のコンフィギュレーションで配置可能であり、このコンフィギュレーションは、ネットワークオペレータのプリファレンスによって変わり得ることに留意すべきである。さらには、ＮＷＳ ＢＳおよびＷＳ ＢＳは別個にすることができ、または、ハイブリッドユニットに組み込むことができることに留意すべきである。
【００２４】
ハイブリッドシステム１０では、ＡＴ１２は、ＮＷＳ ＢＳ３２のような少なくとも１つのＮＷＳ ＢＳと通信し、ネットワークインフラストラクチャ５０とインターネットプロトコルネットワーク５２とを通してホワイトスペース情報サーバ４８から直接的に、または、ＮＷＳ ＢＳ上の記憶装置から直接的に、のいずれかでホワイトスペース情報４６を取得するように動作可能である。ホワイトスペース情報４６に基づいて、ＡＴ１２は、同じホワイトスペースサービスエリア内では端末５４のようなものと、異なるホワイトスペースサービスエリア中では端末５６のようなものと、または、１つ以上のネットワークにわたっては端末５８のようなものといったように、１つ以上の他のデバイスと通信してもよい。このような通信は、１つ以上の通信サービスを含んでいてもよく、利用可能なＷＳ周波数、ＮＷＳ周波数、またはこれらを任意に組み合わせたものを利用してもよい。
【００２５】
図２を参照すると、さらに詳細には、ホワイトスペース情報サーバ４８は、所定の地理領域に対するホワイトスペース情報４６を管理および更新するように動作可能である。例えば、所定の地理領域は、これらのものに限定されないが、少なくとも１つの都市、少なくとも１つの地区、少なくとも１つの州、少なくとも１つの国等のうちの、１つまたは任意のものを組み合わせたものを含んでいてもよい。先に述べたように、ホワイトスペース情報４６は、これらのものに限定されないが、アナログテレビブロードキャスタのような登録されたＷＳ送信機の識別子に関連する１つ以上のデータや、登録された送信機の、対応するブロードキャスティング周波数またはスペクトル範囲や、ＷＳサービスプロバイダ情報を含んでいてもよい。例えば、ＷＳサービスプロバイダ情報は、ＷＳ ＢＳの識別子や、ＷＳ ＢＳの地理サービスエリアや、ＷＳ ＢＳの動作周波数や、ＷＳ ＢＳから利用可能な通信サービスといったものがある。したがって、ホワイトスペース情報４６は、所定の地理エリア中で避けるべきホワイトスペースに関する情報と、所定の地理エリア中で利用可能なホワイトスペースに関する情報とを含んでいてもよい。
【００２６】
ＩＰネットワーク５２は、ワイヤードリンクおよび／またはワイヤレスリンクのような１つ以上の通信リンク６０によって、ホワイトスペース情報サーバ４８に接続されている。ＩＰネットワーク５２は、パケット交換ネットワークを含む。パケット交換ネットワークは、これに限定されないが、インターネットのようなものがある。
【００２７】
ワイヤードリンクおよび／またはワイヤレスリンクのような１つ以上の通信リンク６２によって、ネットワークインフラストラクチャ５０はＩＰネットワーク５２に接続されている。ネットワークインフラストラクチャ５０は、ＮＷＳ ＢＳ３２またはＷＳ ＢＳ１８のうちの少なくとも１つに対応する通信ネットワークの、バックホールまたはネットワーク側部分を含む。ＮＷＳ ＢＳ３２およびネットワークインフラストラクチャ５０は、任意の技術であってもよいが、１つの適した技術は、セルラまたはＷＷＡＮネットワーク技術を含む。例えば、ネットワークインフラストラクチャ５０は、これらのものに限定されないが、３Ｇネットワーク、ロングタームエボリューション（ＬＴＥ）技術ネットワーク、４Ｇネットワーク等のうちの、１つまたは任意のものを組み合わせたものに対応するネットワークコンポーネントを含んでいてもよい。このようなセルラまたはＷＷＡＮネットワークは、幅広く変わるサービスエリアおよび能力を持ち得るＷＳネットワークに関連して動作するように、コヒーレントな、かつ幅広く利用可能な接続性バックボーンを提供する。
【００２８】
ＮＷＳ ＢＳ３２は、ＮＷＳプロトコルにしたがって動作し、例えば、ワイヤードまたはワイヤレス通信リンク６４のようなものを通してネットワークインフラストラクチャ５０と通信する何らかの基地局を含んでいてもよい。さらに、ＮＷＳ ＢＳ３２は、ＮＷＳ通信能力を持っているＡＴ１２と、ワイヤレスに、または、無線で通信するように動作可能である。ＮＷＳ ＢＳ３２は、ＡＴ１２と通信するときにはセルラまたはＷＷＡＮの無線プロトコルにしたがって動作し、ネットワークインフラストラクチャ５０または他のＢＳと通信するときにはセルラまたはＷＷＡＮのインフラストラクチャプロトコルにより動作する。加えて、いくつかの代替実施形態では、ＮＷＳ ＢＳ３２は、セルラまたはＷＷＡＮのインフラストラクチャプロトコル、あるいはＷＳプロトコルのいずれかを使用して、ＷＳ ＢＳ１８のようなＷＳ ＢＳと通信してもよい。例えば、いくつかのオプション的なケースでは、通信データを交換できるように、記述する態様は、ＮＷＳ ＢＳ３２とＷＳ ＢＳ１８との間で通信トンネル６６を形成できるようにする。例えば、ハンドオフを実行する間に、ＡＴから発信するデータパケットまたはＡＴに宛てられているデータパケットが確実に欠落しないようにするために、例えば、ハンドオフ処理の際にトンネル６６を使用してもよい。あるいは、他の管理通信を、例えば、ホワイトスペース情報、ＢＳ能力情報、ＮＷおよびＮＷＳネットワーク能力情報を交換するために、トンネル６６を使用してもよい。
【００２９】
ＷＳ ＢＳ１８は、ＷＳプロトコルにしたがって動作し、例えば、ワイヤードまたはワイヤレス通信リンク６８のようなものを通して、ネットワークインフラストラクチャ５０と通信する何らかの基地局を含んでいてもよい。ＷＳ ＢＳ１８は、１つ以上のネットワークにわたって、１つ以上のＡＴに対する１つ以上の通信セッションをサービス提供してもよい。ＷＳ ＢＳ１８のようなそれぞれのＷＳ ＢＳは、ＢＳに特有なホワイトスペース情報７０を含んでいてもよい。例えば、ＢＳに特有なホワイトスペース情報７０は、これらのものに限定されるものではないが、ＷＳ ＢＳ識別子や、ＷＳ ＢＳロケーションや、ＷＳ ＢＳが動作できる１つ以上のホワイトスペース周波数や、ＷＳ ＢＳによってサポートできる１つ以上のタイプの通信サービスや、ＷＳ ＢＳの各ＷＳサービスエリア中での１つ以上の利用可能なホワイトスペース周波数や、隣接しているＷＳ ＢＳを識別し、位置付けし、隣接しているＷＳ ＢＳに接続するための情報や、ホワイトスペース通信を確立する際に役立ち得る他の何らかの情報、のうちの１つ以上のもののようなものがある。それぞれのＷＳ ＢＳは、そのＢＳに特有な情報７０をホワイトスペース情報サーバ４８に通信するように動作可能であってもよく、ホワイトスペース情報サーバ４８は、ホワイトスペース情報４５の一部として、このような情報を含んでいてもよい。
【００３０】
ＮＷＳ ＢＳ３２またはＷＳ ＢＳ１８のいずれか、あるいは、ＮＷＳ ＢＳ３２またはＷＳ ＢＳ１８の双方とＡＴ１２が通信することを可能にする通信モジュール７２を持つ任意のタイプの、移動体、ワイヤレスデバイスを、ＡＴ１２は含む。例えば、通信モジュール７２は、ＷＳ通信コンポーネント７４およびＮＷＳ通信コンポーネント７６のような、別個なまたは組み込まれたハードウェアおよびソフトウェアを含んでいてもよい。例えば、通信モジュール７２は、ＷＳおよびＮＷＳの送信および受信チェーンのそれぞれに対して１本のアンテナを備えていてもよく、または、ＮＷＳネットワークおよびＷＳネットワークの双方とのタイムシェアリング通信のスケジューリングを可能にするために、単一のアンテナおよび対応するハードウェアおよびソフトウェアを備えていてもよい。さらに、例えば、通信モジュール７２は、データパケットを処理するために、別個なまたは組み込まれたプロトコルスタックを備えていてもよい。
【００３１】
さらに、ＡＴ１２は、ホワイトスペース周波数をスキャンし、１つ以上のホワイトスペース周波数に対するＷＳ周波数干渉レベル８０の値を測定および記憶するように動作可能なＷＳ感知モジュール７８を付加的に備えていてもよい。すなわち、ＷＳ感知モジュール７８は、１つ以上のホワイトスペース周波数上でのブロードキャスト送信をリッスンするためにＷＳコンポーネント７４からの受信機を利用する。このようなホワイトスペース周波数は、例えば、ホワイトスペース情報サーバ４８および／またはＮＷＳ ＢＳ３２のようなものから、ＷＳ感知モジュール７８に提供されてもよく、あるいは、ＷＳ感知モジュール７８は、すべての可能性あるホワイトスペース周波数をスキャンおよび測定するように動作可能であってもよい。ホワイトスペース通信コールを確立するために複数の利用可能なホワイトスペース周波数から選択するために、ＡＴ１２は、その後、収集されたＷＳ周波数干渉レベル８０を利用してもよい。代替的に、ＡＴ１２は、ネットワーク記憶および決定実施のめに、ＷＳ周波数干渉レベル８０情報をネットワークに転送してもよい。
【００３２】
加えて、これには限定されないが、ＡＴのポジションまたは地理ロケーションのようなＡＴロケーション情報８４を取得または決定するように動作可能なロケーションモジュール８２を、ＡＴ１２は備えていてもよい。例えば、ロケーションモジュール８２は、衛星から、および／または、地上ベースデバイスからタイミング信号を取得するように、通信モジュール８４の送信機および受信機と関連して動作してもよい。例えば、衛星には、ＮＡＶＳＴＡＲ、ＧＰＳ、ＧＬＯＳＮＡＳＳ、ＢＥＩＤＯＵ、またはＧＡＬＩＬＥＯシステム衛星といったものがあり、例えば、地上ベースデバイスは、これには限定されないが、ＮＷＳ ＢＳ３２および／またはＷＳ ＢＳ１８を含むネットワークデバイスのようなものがある。ロケーションモジュール８２は、その後、これらの信号に基づいて、例えば、三角測量または三辺測量によってＡＴロケーション情報８４を計算してもよく、あるいは、遠隔的に決定されたＡＴロケーション情報８４を受信するために、このような計算のためのネットワークベースのポジションロケーションエンティティに対して、これらの信号を転送してもよい。例えば、ＡＴロケーション情報８４は、これらのものに限定されないが、経度、緯度、そしてオプション的には、標高および／または速度および／または方向のような、地理ポジション；基地局またはセルに対応するロケーションのような、ネットワークロケーション；あるいは、領域の、名前の識別子または識別情報、自然地理の特徴、ブロック、ストリートアドレス、建物名、またはロケーションの他の何らかの理解可能な識別子のような、地形上のロケーション；のうちの１つ以上のものを含んでいてもよい。さらに以下で説明するように、本装置および方法では、ＡＴロケーション情報８４を利用して、ＡＴの付近の、利用可能なまたは利用不可能なホワイトスペース周波数を識別してもよく、ならびに／あるいは、ＡＴが位置付けられているエリアを担当しているＷＳ ＢＳを識別してもよい。
【００３３】
図１−図２は、例えば、ＷＳ ＢＳ１８およびＷＳ ＢＳ ３２のレベルより上に階層的に位置付けられている、ネットワークインフラストラクチャ５０のレベルにおいてマージされている、ＷＳネットワーク１１とＮＷＳネットワーク１３とのハイブリッドシステムを図示しているが、ＷＳネットワーク１１およびＮＷＳネットワーク１３のハイブリッドＷＷＡＮ構成を、任意の階層レベルにおいてマージすることがあることに留意すべきである。加えて、ＷＳネットワーク１１およびＮＷＳネットワーク１３は、ｃｄｍａ２０００、ＵＭＴＳ、ＬＴＥ等のような同じ技術を利用してもよく、または、ＷＳネットワーク１１およびＮＷＳネットワーク１３は、異なる技術を利用してもよいことに留意すべきである。しかしながら、いずれにせよ、何らかの階層レベルにおいて、各ネットワークの何らかのマージングが存在していてもよい。
【００３４】
例えば、図３−図６を参照すると、ハイブリッドネットワーク１５、１７、および１９は、ＷＳネットワーク１１およびＮＷＳネットワーク１３と、同じネットワーク技術または異なるネットワーク技術との異なる組み合わせを示している。さらに、それぞれの階層的レイヤを相互に接続している破線は、任意の階層レベルにおいて各ネットワークがマージされ得ることを示している。とはいっても、基地局１８および３２のような最低レベルにおいて、マージングは、各基地局の、集積化または同じ位置の配置を含んでいることがあるが、含むことは要求されていない。しかしながら、いくつかの態様では、各ネットワーク１１および１３の基地局１８および３２が、たとえ、同じ位置に配置されていたとしても、各ネットワークアーキテクチャによって伝送されるデータパケットは、より高い、あるネットワークレベルに到達するまでマージされ得ない。
【００３５】
図３を参照すると、ハイブリッドＷＷＡＮネットワーク１５は、ＷＳネットワーク１１およびＮＷＳネットワーク１３を含み、双方とも、例えば、ＵＭＴＳ技術のような同じ技術を利用している。各階層レベルは、それぞれ、ノードＢ１８および３２と通信する無線ネットワーク制御装置（ＲＮＣ）２３および／または３３のようなネットワークコンポーネントのうちの、１つまたは任意のものを組み合わせたものを含んでいてもよい。担当ＧＰＲＳサポートノード（ＳＧＳＮ）２５および／または３５は、それぞれ、ＲＮＣ２３および／または３３と通信する。ゲートウェイＧＰＲＳサポートノード（ＧＧＳＮ）２７および／または３７は、それぞれ、ＳＧＳＮ２５および／または３５と通信する。パケットデータネットワークゲートウェイ（ＰＤＮＧＷ）２９および／または３９は、それぞれ、ＧＧＳＮ２７および／または３７と通信し、そしてさらにＩＰネットワーク５２と通信する。
【００３６】
図４を参照すると、ハイブリッドＷＷＡＮネットワーク１７は、ＷＳネットワーク１１とＮＷＳネットワーク１３とを含み、双方とも、例えば、ＬＴＥ技術のような同じ技術を利用している。ハイブリッドネットワーク１７は、ハイブリッドネットワーク１５に類似しているが、各ＲＮＣ機能性を基地局中に組み合わせており、これにより、各エンハンスドノードＢ（ｅノードＢ）１８および３２を規定している。
【００３７】
図５を参照すると、ハイブリッドＷＷＡＮネットワーク１７は、ＷＳネットワーク１１およびＮＷＳネットワーク１３を含み、それぞれ、ＷＳネットワーク１１ではＵＭＴＳ技術を、ＮＷＳネットワーク１３ではＬＴＥ技術を利用するといったように、異なる技術を利用しているが、これらのものに限定されるものではない。ＷＳネットワーク１１とＮＷＳネットワーク１３との異なる技術の組み合わせたものでは、それぞれのネットワークは、他のネットワークに対して任意の異なる技術を利用してもよいことに留意すべきである。加えて、異なる技術のハイブリッドＷＷＡＮネットワーク１７では、ＬＴＥベースのｅノードＢ３２がＲＮＣの機能性を備えているように、ｅノードＢ３２は、ＷＳネットワーク１１の、ＵＭＴＳベースのＲＮＣ２３およびノードＢ１８の双方と、一体化されていてもよく、または、同じ位置に配置されていてもよい。
【００３８】
加えて、図３−図６を参照すると、ハイブリッドアーキテクチャの任意の１つ以上の階層レベルにおいて、トンネル６６（図２）を形成してもよいことに留意すべきである。
【００３９】
動的アクセスおよび／またはサービスのパーティショニング
図６−図１１を参照すると、別個の態様において、または、組み合わせた態様において、記述する装置および方法は、ＷＳ ＢＳ１８によってサービス提供されるＷＳネットワークとＮＷＳ ＢＳ３２によってサービス提供されるＮＷＳネットワークとの間で、または、両方のものを組み合わせたものの間で、ＡＴ１２に対する通信サービスを動的にパーティションするように動作可能である。さらに詳細には、通信サービスのパーティショニングは、ＷＳネットワークまたはＮＷＳネットワークのような間で、ネットワークへのアクセスをパーティションすること、あるいは、ＷＳネットワークとＮＷＳネットワークとの間で、または、両方のものを組み合わせたもの間で、個々のタイプの通信サービスをパーティションすることを含んでいてもよい。
【００４０】
図６を参照すると、態様では、通信サービスを提供する方法４００は、第１の基地局において、ライセンスされている周波数上で、ネットワークアクセスに対する通信要求をワイヤレスアクセス端末から受信することを含む（ブロック４０２）。例えば、電源投入されると、または、ＮＷＳ ＢＳによってサービス提供されているエリアに入ると、ＡＴは、ＮＷＳ ＢＳのパイロット信号を検出し、これに基づいて、ＮＷＳ ＢＳとの通信を確立するように試行する。
【００４１】
さらに、方法は、ワイヤレスアクセス端末のロケーションに対応する、少なくとも１つの利用可能なライセンスされていない周波数を決定することを含む（ブロック４０４）。例えば、ＮＷＳ ＢＳは、ＮＷＳ ＢＳの付近のＡＴと１つ以上のＷＳ ＢＳとをどのように取り扱うかを決定するために周囲のＷＳ ＢＳに関する情報を取得してもよい。
【００４２】
また、方法は、少なくとも１つの利用可能なライセンスされていない周波数を介することになるワイヤレスアクセス端末に対して、ネットワークアクセスの少なくとも一部分をパーティションすることを含む（ブロック４０６）。例えば、ＡＴとの通信を取り扱うために、ＷＳ ＢＳの能力を利用することが好ましいと、ＮＷＳ ＢＳが決定してもよい。この決定を行うために、ＢＳ負荷、ＡＴによって要求されるサービス品質（ＱｏＳ）、ＡＴとＢＳとの間のエアリンク品質等のような１つ以上のファクタを考慮してもよい。
【００４３】
加えて、方法は、ネットワークアクセスの少なくとも一部分を取得するのに使用する少なくとも１つの利用可能なライセンスされていない周波数をワイヤレスアクセス端末に対して報知することを含む（ブロック４０８）。例えば、ＮＷＳ ＢＳが、メッセージをＡＴに送り、メッセージは、ＷＳ ＢＳまたはＮＷＳ ＢＳのいずれかを通して、あるいは両方のものの何らかの組み合わせたものを通して、ネットワークまたはネットワークサービスにアクセスするためのデータをＡＴに提供する。
【００４４】
図７および図９を参照すると、ＷＣＤＭＡ(登録商標）／ＵＭＴＳシステムにおける例として、４１０において、例えば、ＮＷＳスペクトル中で共有ＲＡＣＨ（ランダムアクセスチャネル）を通して、ＡＴ１２がＮＷＳ ＢＳ３２と通信することを可能にすることによって、アクセスパーティショニングを達成することができる。オプション的に、４１２において、ＮＷＳ ＢＳ３２が、例えば、利用可能なＷＳ ＢＳおよび対応する周波数、アクセス情報等のようなＷＳ情報をＷＳ情報サーバ４８から取得してもよい。さらに、４１４において、ＮＷＳ ＢＳ３２が、ＡＴによって利用され得る利用可能なＷＳ周波数を決定する。例えば、ＮＷＳ ＢＳは、ＡＴロケーション情報８０に基づいて、ＡＴ１２によって使用する１つ以上の利用可能なＷＳ周波数１０４を識別するように動作可能なＷＳ周波数相関器１０２を実行するＷＳサービス決定器１００を持つパーティショニングモジュール９８を備えていてもよい。
【００４５】
加えて、４１６において、例えば、ＮＷＳ ＢＳの現在の負荷、またはＡＴによって要求されるＱｏＳ、またはＡＴのリンク条件のうちの１つ以上のもののようなパラメータに依存して、例えば、ＮＷＳ ＢＳ３２またはＷＳ ＢＳ１８のようなものの間で、ＡＴ１２へのネットワークアクセスの提供をパーティションすることを、ＮＷＳ ＢＳ３２が決定する。例えば、ＮＷＳ ＢＳ３２は、ネットワークアクセスをパーティションするためのパーティショニング情報１２４を決定するためにパーティショニングルール１２２を実行するように動作可能なパーティション決定器１２０をさらに備えていてもよい。例えば、ＮＷＳ ＢＳ３２が、しきい値を超えている負荷を有する場合、またはＡＴによって要求されるＱｏＳが、ＷＳにおける利用可能なＱｏＳと一致するとき、またはＮＷＳ ＢＳ の利用可能なＱｏＳと一致しないとき、またはＮＷＳ ＢＳとのＡＴのリンク条件がしきい値よりも下であるとき、パーティショニングルール１２２は、ＷＳ ＢＳ１８を通してネットワークアクセスを提供する決定を発生させるように機能することができる。他のケースでは、例えば、ＮＷＳ ＢＳ３２がしきい値よりも下の負荷を有する場合、またはＷＳ ＢＳ１８がしきい値よりも上の負荷を有する場合、またはＡＴによって要求されるＱｏＳが、ＮＷＳ ＢＳにおける利用可能なＱｏＳと一致するとき、またはＷＳ ＢＳ１８の利用可能なＱｏＳと一致しないとき、またはＮＷＳ ＢＳとのＡＴのリンク条件がしきい値を満たしているとき、パーティショニングルール１２２は、ＮＷＳ ＢＳ１８を通してネットワークアクセスを提供する決定を発生させるように機能することができる。
【００４６】
その後、４１８において、ＮＷＳ ＢＳ３２が、例えば、ＮＷＳスペクトル中で、ＦＡＣＨ（フォワードアクセスチャネル）を通して、パーティショニング情報１２４をＡＴ１２に提供する。１つのケースでは、例えば、ＮＷＳ ＢＳ３２が、しきい値を超えている負荷を有するとき、またはＡＴによって要求されるＱｏＳが、ＷＳにおける利用可能なＱｏＳと一致するとき、またはＮＷＳ ＢＳの利用可能なＱｏＳとが一致しないとき、またはＮＷＳ ＢＳとのＡＴのリンク条件がしきい値よりも下であるようなときに、例えば、パーティショニング情報１２４は、ＷＳを通してのアクセス情報に関する情報をＡＴ１２に提供する。このようなパーティショニング情報１２４は、ＷＳ ＢＳ ３２にアクセスするのにＡＴ１２により使用されるその他の情報の中でも、使用するＷＳ搬送波周波数と、利用可能なＷＳチャネル帯域幅と、使用するのに利用可能なＷＷＡＮプロトコルとを含むことができる。いくつかの態様では、ＷＳを通しての利用可能なＷＷＡＮプロトコルは、ＮＷＳ中でのものと同じもの（このケースでは、ＷＣＤＭＡ／ＵＭＴＳ）とすることができる一方で、他のケースでは、ＬＴＥのような異なるプロトコルとすることができる。
【００４７】
４２０において、ＡＴ１２が、例えば、ＷＳスペクトル中で、ＲＡＣＨチャネルのようなものを通して、ＷＳ ＢＳ１８に対してアクセス要求を行うことができる。アクセス要求は、オプション的にＡＴのＱｏＳ要件を含む。例えば、ＡＴ１２は、通信要求９０の形態でアクセス要求を提供するようにコール確立モジュール１２８を実行することができる。４２２において、ＷＳ ＢＳ１８が、ＷＳを通してのアクセス要求を承認し、そしてその後、４２４において、ＷＳを通してのＡＴ１２に対する専用無線ベアラを確立し、これにより、ＡＴに対するＷＳ通信セッションを確立する。
【００４８】
いくつかの変形では、ＡＴ１２が、そのアクセスのために、ＷＳを通してのＲＡＣＨ／ＦＡＣＨチャネルをまったく使用する必要がないように、ＡＴ１２は、ＮＷＳを通してのＲＡＣＨ／ＦＡＣＨチャネルを利用しながら、ＷＳを通しての専用ベアラを直接的に確立してもよい。他の変形では、ＡＴのＱｏＳ要件、ＡＴのリンク条件、またはＮＷＳ ＢＳ上での現在の負荷に依存して、ＮＷＳ ＢＳは、ＮＷＳ中でＡＴを保持だけし、ＷＳを通してのそのアクセス要求を完了するようにＡＴに依頼することはできない。付加的な変形では、ＮＷＳ ＢＳは、最初に、ＷＳを通してのアクセス要求を完了させ、ＷＳを通しての専用ベアラをＡＴが使用することを可能にすることができる。そして、ＡＴのＱｏＳ要件が変わったとき、または、ＡＴのリンク条件が変わった場合、または、ＮＷＳ ＢＳに対してＮＷＳの負荷が減少した場合、ＮＷＳ ＢＳは、ＡＴをＮＷＳに移動させ、ＷＳを通してのそれに対して確立されたベアラをティアダウンさせることができる。代替的に、ＮＷＳ ＢＳ は、最初に、ＮＷＳを通してのアクセス要求を完了させ、ＮＷＳを通しての専用ベアラをＡＴが使用することを可能にすることができる。そして、ＡＴのＱｏＳ要件またはリンク条件が変わったとき、または、ＮＷＳ ＢＳに対してＮＷＳの負荷が増加した場合、ＮＷＳ ＢＳは、ＡＴをＷＳに移動させ、ＮＷＳを通してのそれに対して確立されたベアラをティアダウンさせることができる。さらなる変形では、ＮＷＳ ＢＳは、ＮＷＳを通してのＡＴのＱｏＳ要件の一部分を満たし、残りの要件を満たすためにＷＳを利用する。これにより、ＡＴに対してＮＷＳおよびＷＳの双方を同時に使用することによって、ＮＷＳを通して到着したアクセス要求は満たされる。ＮＷＳおよびＷＳの双方をＡＴに対して使用するときに、ＮＷＳ ＢＳは、ＮＷＳ ＢＳ上での負荷が変わったとき、またはＱｏＳ要件が変わったとき、またはＡＴに対してリンク条件が変わったとき、ＮＷＳとＷＳとに割り振られたワイヤレスチャネルリソースを再パーティションするために、経時的なフレキシビリティを有する。
【００４９】
図８および図９を参照すると、サービスタイプをパーティションする態様では、例えば、９１において、ＮＷＳ ＢＳ３２のような、ライセンスされている周波数上の第１の基地局が、ＡＴ１２のようなワイヤレスアクセス端末から通信要求９０を受信する。通信要求９０は、複数の所望の通信サービスタイプ９２を識別し、ＡＴロケーション情報８０のようなワイヤレスアクセス端末のロケーションをさらに含む。例えば、複数の所望の通信サービスタイプ９２は、これらのものに限定されるものではないが、例えば、データコールに関係し得るようなベストエフォートサービスや、例えば、音声コールまたはリアルタイムストリーミングサービスに関係し得るような少ない待ち時間サービスや、所望の帯域幅またはスループット／グッドプット、待ち時間、ジッター、パケットエラーレート等のような他の何らかのサービス品質ファクタを含んでいてもよい。さらに、複数の所望の通信サービスタイプ９２は、ＡＴ１２上の１つ以上の通信関連アプリケーション９４に対応していてもよい。１つ以上の通信関連アプリケーションには、これらのものに限定されないが、例えば、音声コールアプリケーション、ショートメッセージサービス（ＳＭＳ）アプリケーション、インターネットブラウザアプリケーション、（図２のロケーションモジュール７８とともに使用し得るような）ポジションロケーションアプリケーション、移動体ウィジェットアプリケーションのうちの任意のものを組み合わせたものや、情報を送信または受信するために、ＡＴ上のプロセッサによって実行可能な、および、通信モジュール７２（図２）を使用して実行可能な他の何らかのアプリケーションといったものがある。さらに、１つ以上の通信関連アプリケーション９４のそれぞれは、少なくとも１つの対応する通信サービスタイプ９６を有する。
【００５０】
さらに、９３において、ワイヤレスアクセス端末のロケーションに対応する、少なくとも１つの利用可能なライセンスされていない周波数を、例えば、利用可能なホワイトスペースを、ＮＷＳ ＢＳ３２が決定する。例えば、ＮＷＳ ＢＳは、ＡＴロケーション情報８０に基づいて、ＡＴ１２によって使用するために、１つ以上の利用可能なＷＳ周波数１０４を識別するように動作可能なＷＳ周波数相関器１０２を実行するＷＳサービス決定器１００を持つパーティショニングモジュール９８を備えていてもよい。例えば、ＷＳ周波数相関器１０２は、例えば、９５では、ホワイトスペース情報サーバ４８から取得したホワイトスペース情報４６のすべてまたは何らかの部分と、ＡＴロケーション情報８０との相互参照を行ってもよい。しかしながら、ＮＷＳ ＢＳ３２が、単に通信要求を受信することに応答するのでなく、ホワイトスペース情報４６のすべてまたは何らかの部分をいつでも取得してもよく、ＮＷＳ ＢＳ３２が、後の使用のために、この取得した情報を記憶してもよいことに留意すべきである。
【００５１】
加えて、９７において、ＮＷＳ ＢＳ３２が、ライセンスされている周波数と少なくとも１つの利用可能なライセンスされていない周波数との間で使用するために、複数の所望の通信サービスタイプをパーティションする。
【００５２】
加えて、例えば、ＮＷＳ ＢＳ３２のＷＳサービス決定器１００が、ＷＳプロバイダ相関器１０６を備えていてもよく、ＷＳプロバイダ相関器１０６は、ＷＳ ＢＳ１８およびＷＳサービスエリア１４（図１）のような、ＡＴロケーション情報８０に対応しているＷＳサービスエリアを持っているＷＳ ＢＳのＷＳ ＢＳ識別情報１０８を決定するように動作可能である。さらにオプション的に、ＷＳプロバイダ相関器１０６は、それぞれの識別されたＷＳ ＢＳ １０８に対する、対応するＷＳ ＢＳサービス１１０を決定してもよい。
【００５３】
さらには、ＮＷＳ ＢＳ３２のサービスパーティショニングモジュール９８は、ＮＷＳ ＢＳ３２およびＮＷＳサービスエリア２２（図１）のような、ＡＴロケーション情報８０に対応するＮＷＳサービスエリアを持っているＮＷＳ ＢＳのＮＷＳ ＢＳ識別情報１１６を決定するように動作可能なＮＷＳプロバイダ相関器１１４を持つＮＷＳサービス決定器１１２をさらに備えていてもよい。さらにオプション的に、ＮＷＳプロバイダ相関器１１４は、それぞれの識別されたＮＷＳ ＢＳ １１６に対する、対応するＮＷＳ ＢＳサービス１１８を決定してもよい。
【００５４】
ＷＳ ＢＳサービス１１０およびＮＷＳ ＢＳサービス１１８は、これらのものに限定されないが、音声、データ等のようなＢＳサービスタイプや、ＢＳ動作周波数情報や、ＢＳとの接続を確立するための、サービスコードまたはキーや、サービスファクタや、情報と、ＢＳとの接続を識別し、コンタクトし、確立したり、利用可能なサービスを規定したりする他の何らかのパラメータのようなものを含んでいてもよい。サービスファクタには、１つ以上のリンク品質パラメータのようなものや、帯域幅またはスループット／グッドプット、待ち時間、ジッター、パケットエラーレート、サービスコスト、各ＢＳの負荷または使用量等のようなものがある。
【００５５】
いくつかの態様において、ＷＳ ＢＳ サービス１１０のケースでは、このようなＷＳ ＢＳサービス１１０情報は、対応するＷＳ ＢＳセクタ情報をさらに含んでいてもよく、対応するＷＳ ＢＳセクタ情報は、ＷＳ ＢＳ サービスに対する上記で規定したパラメータのすべてを含むが、ＷＳ ＢＳの１つ以上の各セクタに対して識別されたものである。１つのセクタから、同じＷＳ ＢＳ内の別のものへの「ソフター」ハンドオフのために、このようなセクタ情報を利用してもよい。
【００５６】
加えて、他の態様では、ＷＳ ＢＳサービス１１０のケースにおいて、このようなＷＳ ＢＳサービス１１０情報は、現場に特有な情報およびメッセージをさらに含んでいてもよく、例えば、現場に特有な情報およびメッセージは、広告、マーケティング情報、または各ＷＳサービスエリア内の特定の現場に関連する一般的な情報のようなものがある。例えば、現場は、個人、エリア、ビルディング、企業、ストア、モール、オーディトリアム、ホール、スタジアム、またはＷＳサービスエリア内で情報をブロードキャストしたい要望を持つ他の何らかのエンティティであってもよい。
【００５７】
さらに、ＮＷＳ ＢＳ３２のサービスパーティショニングモジュール９８は、複数の所望の通信サービスタイプに対するパーティショニング情報１２４を決定するためにパーティショニングルール１２２を実行するように動作可能なパーティション決定器１２０をさらに備えていてもよい。特に、パーティショニング情報１２４は、複数の所望の通信サービスタイプ９２のそれぞれを、ＷＳ ＢＳ１８またはＮＷＳ ＢＳ３２のような対応するＷＳまたはＮＷＳサービスプロバイダと関係付ける。例えば、ＷＳ ＢＳ１８またはＮＷＳ ＢＳ３２は、決定されたＷＳ ＢＳ識別情報１０８とＮＷＳ ＢＳ識別子情報１１６とに対応している。
【００５８】
例えば、パーティショニングルール１２２は、これらのものに限定されないが、例えば、ネットワーク負荷；ＡＴに対応するサービスプラン；ＡＴのサービスプランおよびネットワーク負荷；ＡＴの（信号強度を喪失する）モビリティおよびネットワーク負荷；ならびに、所望のサービス品質および利用可能なサービス品質といった１つ以上のファクタに基づいて、通信サービスタイプ９２をパーティションできる。
【００５９】
９９において、パーティションに基づいて、複数の所望の通信サービスタイプのうちの第１のものとともに使用する少なくとも１つの利用可能なライセンスされていない周波数と、ライセンスされている周波数とともに使用する複数の所望の通信サービスタイプのうちの第２のものとを、ＮＷＳ ＢＳ３２がＡＴ１２に対して報知する。すなわち、ＮＷＳ ＢＳ３２が、パーティショニング情報１２４をＡＴ １２に送信する。
【００６０】
１０１において、パーティションに基づいて、複数の所望の通信サービスタイプの第１のものに対して、ＡＴ１２とＷＳ ＢＳ１８との間でＷＳ通信セッション１３２を確立する。例えば、ＷＳ通信セッション１３２を確立し、受信したパーティショニング情報１２４に基づいて、ベストエフォートタイプの通信を伝送するように動作可能なコール確立機能１３０を持つコール確立モジュール１２８を、ＡＴ１２は備えていてもよい。例えば、ベストエフォートタイプの通信は、テキストメッセージングデータコールまたはウェブブラウジングデータコールといったものがある。
【００６１】
オプション的に、１０３において、パーティションに基づいて、複数の所望の通信サービスタイプ９２のうちの第２のものに対して、ＡＴ１２とＮＷＳ ＢＳ３２との間でＮＷＳ通信セッション１３４を確立する。例えば、コール確立機能１３０は、ＮＷＳ通信セッション１３４を確立し、音声コールまたはリアルタイムストリーミングサービスのような、少ない待ち時間のタイプの通信を伝送するようにさらに動作可能である。他の態様では、複数の所望の通信サービスタイプ９２のうちの第２のものは、必要ならば、ＮＷＳ通信セッション１３４に対する支援を得るために、ＮＷＳ ＢＳ３２との低いオーバーへッド接続を維持するサービス向けのものであってもよい。
【００６２】
別の態様では、動的制約とＡＴロケーション関連制約とのために、例えば、ＡＴが移動するとＷＳ周波数干渉レベルが変わり、ＷＳ ＷＷＡＮ帯域が、通信に対して動的に利用不可能になるかもしれない。ＡＴが、単に、通信のためにＷＳ ＷＷＡＮ帯域のみを使用している場合、このような動的に利用不可になることは、結果的に、コールまたはデータセッションの切断を招くかもしれない。したがって、いくつかの態様では、ホワイトスペースＷＷＡＮチャネルの動的に利用不可になる可能性のために、本装置および本方法は、非ホワイトスペースＷＷＡＮ中でのＷＷＡＮ通信のための制御チャネルを提供できる。代替的に、または、さらに、非ホワイトスペースＷＷＡＮ中での低いデータレート接続性セッションを維持することが好ましいことがある。
【００６３】
例えば、サービスパーティショニングは、ＷＳ−ＷＷＡＮとＮＷＳ−ＷＷＡＮとをマージする拡張されたＷＷＡＮアーキテクチャでの（ＷＳ−ＷＷＡＮの動作に対する）チャネルパーティショニングをさらに含んでいてもよい。ＮＷＳ−ＷＷＡＮが独立型であるように、ＮＷＳ−ＷＷＡＮ中のチャネルはＮＷＳ−ＷＷＡＮ中に存在し続ける。しかしながら、ＮＷＳ−ＷＷＡＮ中では、ＷＳ−ＷＷＡＮの動作に利用するチャネルを、再使用することができる。特に、本装置および本方法は、ＷＳ−ＷＷＡＮに対するチャネルパーティショニングを提供してもよく、このＷＳ−ＷＷＡＮは、純粋にデータチャネルの動作に対して、主として付加的なホワイトスペース帯域を使用し、そしてオプション的に他のチャネルの動作に対して、付加的なホワイトスペース帯域を使用する。このケースでは、ページング、制御のようないくつかのチャネルや、ランダムアクセスチャネルや、いくつかのデータチャネルは、ＮＷＳ−ＷＷＡＮ中で保持される。
【００６４】
いくつかの態様では、図７中で提供したパーティショニングネットワークアクセスの例と、図８中で提供したネットワーク間のパーティショニングサービスタイプの例とを組み合わせてもよいことに留意すべきである。
【００６５】
図１０を参照すると、例えば、アドホックネットワークをＷＳ中で生成させることによって、ＮＷＳネットワークへのアクセスに対する競合を軽減させることができる。例えば、スタジアムにおけるイベントのような、イベントロケーション４３０中での特別なイベントでは、イベントロケーション４３０を担当するＮＷＳ ＢＳ３２のＮＷＳまたはＮＷＳ ＷＷＡＮチャネルは、高い負荷がかかることがある。いくつかのケースでは、ユーザによって通信されている実際のデータ量は、比較的少ないときもあるが、アクセス関連交換、ベアラ確立等のために、かなりの量のＮＷＳ ＷＷＡＮネットワークリソースが、ユーザによって浪費されることがある。いくつかの態様では、イベントロケーション４３０にサービスを提供する各カバレッジエリア４３４Ａ−４３４Ｇを提供するために、複数のローカルＷＳ ＢＳ１８Ａ−１８Ｆのローカルネットワーク４３２を配備する。複数のローカルＷＳ ＢＳ１８Ａ−１８Ｆは、マクロネットワークＮＷＳ ＢＳ３２と同じ周波数上で、または、異なる周波数上で動作してもよく、ネットワークアクセスに対して、および／または、通信サービスに対して、複数のローカルＷＳ ＢＳ１８Ａ−１８Ｆのうちの１つを利用するようにＮＷＳ ＢＳ３２がＡＴに指示するように、システムを構成することができる。代替的に、ネットワークアクセスに対して、および／または、通信サービスに対して、複数のローカルＷＳ ＢＳ １８Ａ−１８Ｆのうちの１つにＡＴが独立的にコンタクトできるように、システムを構成することができる。例えば、複数のローカルＷＳ ＢＳ１８Ａ−１８Ｆは、フェムト基地局であってもよい。このように、ＮＷＳ ＢＳ３２および複数のＷＳ ＢＳ１８Ａ−１８Ｆの双方とも、イベントロケーション４３０内の任意のＡＴにサービスを提供することができる。
【００６６】
例えば、１つの例では、複数のローカルＷＳ ＢＳ１８Ａ−１８Ｆは、ＮＷＳ ＢＳ３２によって使用される周波数に関して、異なる利用可能な付加的な周波数上で動作してもよい。また、ＮＷＳ ＢＳ３２、または、複数のローカルＷＳ ＢＳ１８Ａ−１８Ｆは、イベントロケーション４３０において、利用可能なローカルＷＳ ＢＳ１８Ａ−１８Ｆの周波数に関する情報をそれぞれのＡＴ１２に提供してもよい。その後、ＡＴ１２上の通信モジュール７２は、ＮＷＳ ＢＳ３２よりもより良いエアリンクまたは信号強度を、あるいは、少なくとも、十分な品質のエアリンクまたは信号強度を持つローカルＷＳ ＢＳ１８Ａ−１８Ｆのうちの１つを見出して、ＮＷＳ ＢＳ３２との通信から、ローカルＷＳ ＢＳ１８Ａ−１８Ｆのうちの１つのものとの通信へと切り替える。
【００６７】
さらに、ローカルＷＳ ＢＳ１８Ａ−１８Ｆの各距離に基づいて、ローカルＷＳ ＢＳ１８Ａ−１８Ｆによって、利用可能な付加的な周波数を再使用することができる。例えば、距離は、過剰な干渉を生じさせるであろう量分だけオーバーラップするのを避ける。これにより、増加した数のＡＴをサポートすることができる。例えば、それぞれの搬送波周波数が、Ｘ人のユーザを取り扱うことができると仮定する。さらに、異なる搬送波周波数上で動作している（Ｍ＋１）個のマクロＢＳのそれぞれは、ローカルＷＳ ＢＳ１８Ａ−１８Ｆが存在しなくても、イベントロケーションにおいて（Ｍ＋ｌ）ｘＸ人のユーザをサポートすることができる。ここで、Ｍは、正の整数である。これから、イベントロケーション４３０における搬送波周波数あたり、Ｋ個のローカルＷＳ ＢＳ１８Ａ−１８Ｆの搬送波周波数の再使用を伴うローカルＷＳ ＢＳ１８Ａ−１８Ｆの配備を仮定する。ここで、Ｋは、正の整数である。また、１つのＮＷＳ ＢＳ搬送波周波数と、ローカルＷＳ ＢＳ１８Ａ−１８Ｆによって使用される、Ｍ個の付加的な搬送波周波数とを仮定する。したがって、Ｍ個の付加的な搬送波周波数を、ＭｘＫ個のローカルＷＳ ＢＳ１８Ａ−１８Ｆに割り振ることができる。このように、サポートされるＡＴの総数は、（（ＭｘＫ）＋１）ｘＸ個であり、そしてローカルＷＳ ＢＳ １８Ａ−１８Ｆの追加によってサポートされる付加的なＡＴは、Ｍｘ（Ｋ−１）ｘＸ個である。
【００６８】
すなわち、図１０を参照すると、ローカルＷＳ ＢＳ １８Ａ−１８Ｆが、Ｋ（再使用）−２で、Ｍ（付加的な搬送波周波数の数）＝３である場合、４個の使用する搬送波周波数が存在し、イベントロケーション４３０内での再使用は２である。すなわち、ＮＷＳ ＢＳ３２が、搬送波周波数１（Ｃｌ）を使用してもよい一方で、ＷＳ ＢＳ１８Ｃおよび１８Ｄは搬送波周波数２（Ｃ２）を使用してもよく、ＷＳ ＢＳ１８Ａおよび１８Ｆは搬送波周波数３（Ｃ３）を使用してもよく、ＷＳ ＢＳ１８Ｂおよび１８Ｅは搬送波周波数４（Ｃ４）を使用してもよい。結果的に、１個のマクロおよびＮＷＳ ＢＳと、６個のＷＳ ＢＳ１８Ａ−１８Ｅであるならば、サポートされるユーザの数は、７倍まで増える。
【００６９】
別の例では、ＷＳ ＢＳ１８Ａ−１８Ｆは、それぞれ、ＮＷＳ ＷＷＡＮ無線と、ＷＳ ＷＷＡＮ無線とを備えていてもよく、複数の搬送波周波数の再使用の代わりに、ＷＳ ＢＳ１８Ａ−１８Ｆは、ＷＷＡＮ動作のために、ＮＷＳ ＢＳ３２と同じ周波数にわたって動作することができる。ＡＴは、ＷＳ ＢＳ１８Ａ−１８Ｆを検出し、搬送波周波数上のより良いエアリンクを持つＷＳ ＢＳ１８Ａ−１８Ｆへと切り替えることができ、ＷＳ ＢＳは、利用可能なＷＳ ＷＷＡＮ搬送波周波数に移るように、そしてＷＳ ＢＳのＷＳ ＷＷＡＮ無線に接続し、ベアラチャネルを確立して、そしてＷＳ ＷＷＡＮを通してデータを交換するようにＡＴを構成することができる。
【００７０】
別の例では、ＷＳ ＢＳ１８Ａ−１８Ｆが、それぞれ、ＮＷＳ無線を、例えば、ＷＷＡＮ無線とＷＬＡＮ無線との両方とも持っているフェムト基地局を含む場合、ＡＴ１２が、十分なエアリンクまたは信号強度を持つＷＳ ＢＳ１８Ａ−１８Ｆのうちの１つを検出し、それに接続してもよい。ＷＳ ＢＳは、その後、組み込まれているＷＬＡＮ無線に接続することをＡＴに対してシームレスに報知する、例えば、組み込まれているＷＬＡＮ無線のＳＳＩＤとマスターキーとをＡＴに提供する。その後、ＡＴは、ＷＳ ＢＳの組み込まれているＷＬＡＮ無線に接続し、例えば、これにより、データトラフィックをＷＬＡＮへと切り替えることができる。音声データがＷＬＡＮを通して受信できる場合、例えば、回線交換データがパケット交換ネットワークを通して受信できる場合、同様に、ＷＬＡＮを通して音声データを送り出すことができ、そうでなければ、ＷＷＡＮを通して音声データを送り出すことができる。
【００７１】
図１１を参照すると、ネットワークアクセス、またはネットワークサービス、またはこれらの双方のもののパーティショニングを促進するシステム４４０を図示している。例えば、システム４４０は、基地局、アクセスポイント等内に少なくとも部分的に存在することができる。プロセッサ、ソフトウェア、または、これらを組み合わせたもの（例えば、ファームウェア）によって実現する機能を示す機能ブロックとすることができる、機能ブロックを備えているとして、システム４４０を示していることを正しく認識すべきである。
【００７２】
システム４４０は、関連して動作できる論理グルーピング４４２の手段を備えている。例えば、論理グルーピング４４２は、第１の基地局において、ライセンスされている周波数上で、ネットワークアクセスに対する通信要求をワイヤレスアクセス端末から受信する手段４４４を備えることができる。さらに、論理グルーピング４４２は、ワイヤレスアクセス端末のロケーションに対応する、少なくとも１つの利用可能なライセンスされていない周波数を決定する手段４４６を備えることができる。また、論理グルーピング４４２は、少なくとも１つの利用可能なライセンスされていない周波数を介することになるワイヤレスアクセス端末に対して、ネットワークアクセスの少なくとも一部分をパーティションする手段４４８を備えることができる。加えて、論理グルーピング４４２は、ネットワークアクセスの少なくとも一部分を取得するのに使用する少なくとも１つの利用可能なライセンスされていない周波数をワイヤレスアクセス端末に対して報知する手段４５０を備えることができる。加えて、システム４４０は、メモリ４５２を備えることができ、メモリ４５２は、手段４４４、４４６、４４８、および４５０に関係する機能を実行するための命令を保持する。メモリ４５２の外部に存在するとして示しているが、手段４４４、４４６、４４８、および４５０のうちの１つ以上のものは、メモリ４５２内に存在できることを理解すべきである。
【００７３】
このように、この態様は、ＡＴが、ＮＷＳネットワークを利用して、ＷＳネットワークにアクセスし、所望の通信サービスと所定のＡＴ関連および／またはネットワーク関連制約に依存して、ネットワークのいずれかと、または、双方のネットワークと通信することを可能にする。
【００７４】
ＮＷＳ ＢＳにより支援されるＷＳ ＢＳハンドオフ
図１２−図１８を参照すると、別の態様では、記述する装置および方法は、ＷＳ通信コールをハンドオフするために、ＮＷＳ ＢＳ支援をＡＴに提供するように動作可能である。いくつかの態様では、各ＷＳサービスエリア１４と１６とがオーバーラップしているようなとき、例えば、図１２を参照すると、方向２１に進むＡＴ１２のコールのハンドオフは、２つのＷＳ ＢＳ１８と２０との間のものであり得る。他の態様では、図１３を参照すると、方向２１に進むＡＴ１２のコールのハンドオフは、第１のＷＳ ＢＳ１８からＮＷＳ ＢＳ４１へのものであり得る。ＡＴ１２が第２のＷＳ ＢＳ２０のＷＳサービスエリア１６に到達するまで、ＮＷＳ ＢＳ４１はコールを維持できる。このとき、ＮＷＳ ＢＳ４１が、第２のＷＳ ＢＳ２０に、コールをハンドオフする。すなわち、図１３を参照すると、ＮＷＳ ＢＳ４１は、ＷＳサービスエリア１４および１６をブリッジするＮＷＳサービスエリア４３を持っており、これにより、ＡＴ１２がＷＳサービスエリア１６に到達するまで、ＮＷＳ ＢＳ４１はコールを維持することができる。
【００７５】
図１４を参照すると、態様では、通信コールのハンドオフを実行する方法４６０は、ライセンスされている周波数上で動作している第１の基地局において、ワイヤレスアクセス端末の通信コールのハンドオフを実行する必要性の通知を受信することを含み、通信コールは、第１のライセンスされていない周波数上のものであり、第２の基地局によってサービス提供される（ブロック４６２）。例えば、ＮＷＳ ＢＳは、ＷＳ ＢＳから、またはＡＴから、ハンドオフ要求されるメッセージを受信してもよい。
【００７６】
方法は、ワイヤレスアクセス端末のロケーションを取得することをさらに含む（ブロック４６４）。例えば、ＮＷＳ ＢＳは、ポジション／ロケーションのような、または、例えば、基地局であるネットワークコンポーネントのような、ＡＴに対するロケーション関連情報を持っているネットワークデータベースにアクセスしてもよい。例えば、基地局であるネットワークコンポーネントは、ポジション／ロケーションに、あるいは、例えば、基地局またはアクセスポイントのような近接しているネットワークコンポーネントに相関付けることができる。
【００７７】
また、方法は、ライセンスされていない周波数スペクトル中で動作し、ワイヤレスアクセス端末のロケーションに対応するサービスエリアを持っている何らかの基地局を識別することを含む（ブロック４６６）。例えば、ＮＷＳ ＢＳは、ＡＴのポジション／ロケーションのような、またはネットワークロケーションを、同じ付近のＷＳ ＢＳと相関付けることができ、これにより、ハンドオフを受信するターゲットＷＳ ＢＳを決定する。
【００７８】
加えて、方法は、識別に基づいて、通信コールをハンドオフする際に使用するターゲット基地局に対する識別情報をワイヤレスアクセス端末に提供することを含む（ブロック４６８）。例えば、ＮＷＳ ＢＳが、ハンドオフメッセージをＡＴに送ってもよく、メッセージは、ＷＳ ＢＳへのコールをハンドオフするのにＡＴにより使用するための命令または他のデータを含む。
【００７９】
さらに、例えば、図１５および図１６を参照すると、１４１において、ＡＴ１２のようなワイヤレスアクセス端末と、ＷＳ ＢＳ１８のような、ライセンスされていないスペクトル中で動作している第１のＷＳ ＢＳとの間で、ＷＳ通信セッションのような、第１のライセンスされていない周波数上で通信コールが確立される。簡単にするために、図１６は、ＮＷＳ ＢＳ ３６を参照しているとはいえ、以下に記述したように、図１６は、ＮＷＳ ＢＳ４１も表していることに留意すべきである。ＷＳ通信セッション１４１は、ＷＳ通信セッション情報１４２に対応していてもよく、ＷＳ通信セッション情報１４２は、セッションのパラメータを規定する。例えば、ＷＳ通信セッション情報１４２は、これらのものに限定されないが、セッション識別子や、担当基地局識別子や、ＡＴ識別子や、１つ以上のサービス品質パラメータや、通信セッションを規定する他の何らかのファクタまたは変数のうちの１つ以上を含んでいてもよい。
【００８０】
１４３において、ライセンスされている周波数上で動作している、ＮＷＳ ＢＳのような第１の基地局が、ＡＴ１２の通信コール１４１のハンドオフを実行する必要性の通知を受信する。例えば、図１２中で説明したシナリオでは、ＮＷＳ ＢＳはＮＷＳ ＢＳ２４であってもよく、または、図１３中で記述したシナリオでは、ＮＷＳ ＢＳはＮＷＳ ＢＳ４１であってもよい。さらに、例えば、ハンドオフに対する必要性の通知は、ＡＴまたはＷＳ ＢＳによって行われた決定に、あるいは場合によっては、ＮＷＳ ＢＳ自体によってさえ行われた決定に基づいていてもよい。例えば、ＮＷＳ ＢＳとの接続を維持している、またはそうでなければＮＷＳ ＢＳにどのようにコンタクトするか知っているＡＴ１２が、ＷＳ ＢＳ１８との接続品質がしきい値よりも下に落ちたと決定したとき、あるいは、ＷＳ ＢＳ１８とのコールが切断される危険があると決定したとき、あるいは、別のＷＳ ＢＳが、ＷＳ ＢＳ１８よりも、より高い接続品質を、または、より望ましいサービス品質を提供することができるかもしれないと決定したようなときには、ＮＷＳ ＢＳによって受信された通知は、ＡＴ１２からのハンドオフ要求の受信に基づいていてもよい。さらに、通信コール１４１が切断される危険があるとＷＳ ＢＳ１８が決定したようなときは、例えば、ＮＷＳ ＢＳによって受信された通知は、ＷＳ ＢＳ１８からのハンドオフ要求の受信に基づいていてもよい。代替的に、例えば、ＮＷＳ ＢＳによって受信された通知は、ＷＳ ＢＳ、ＡＴ、またはＮＷＳ ＢＳのうちの任意のものが受信する、ＡＴ１２のロケーションおよび進行方向に基づいていてもよく、そして、隣接しているＷＳ ＢＳ１８および２０の各ＷＳサービスエリア１４および１６の記憶されている情報に基づいていてもよい。すなわち、このケースでは、接続品質のＷＳ通信コール１４１が切断されることになるであろうことや、コールが別のＢＳによってより良くサービス提供されるかもしれないことを、ＷＳ ＢＳ、ＡＴ、またはＮＷＳ ＢＳのうちの任意のものが予測できる。
【００８１】
さらに、例えば、ＮＷＳ ＢＳは、ハンドオフ決定モジュール１４４を備えていてもよく、ハンドオフ決定モジュール１４４は、ハンドオフ機能１４６を実行するために、ハンドオフに対する必要性の通知または決定によってトリガされる。このハンドオフ機能１４６は、ここで記述した機能性を実行または開始するための、アルゴリズム、ルール、ヒューリスティック等のうちの１つ以上を含む。
【００８２】
加えて、１４５において、ＮＷＳ ＢＳが、少なくとも、ＡＴ１２のロケーションを含むロケーション情報を取得する。例えば、ＮＷＳ ＢＳは、ＡＴ１２および／またはＷＳ ＢＳ１８から受信したハンドオフ要求の一部として、ＡＴロケーション情報１２４を受信してもよい。代替的に、例えば、ハンドオフ決定器モジュール１４４とハンドオフ機能１４６との実行に基づいて、ＮＷＳ ＢＳが、ＡＴロケーション情報１２４をＡＴ１２に問い合わせてもよい。別のオプションでは、ＮＷＳ ＢＳが、別のネットワークインフラストラクチャコンポーネントから、ネットワークベースのポジション決定エンティティから、または他の何らかの適した態様でＡＴロケーション情報１２４を取得してもよい。
【００８３】
１４７において、ライセンスされていない周波数スペクトル中で動作していて、ワイヤレスアクセス端末のロケーションに対応するサービスエリアを持っている何らかの基地局を、ＮＷＳ ＢＳが識別する。例えば、この基地局は、図１２のシナリオ中の、ＷＳサービスエリア１６を持っているＷＳ ＢＳ２０のようなものである。例えば、ハンドオフ決定器モジュール１４４は、ＷＳサービス決定器１００と通信を開始して、ＷＳ ＢＳ識別子（ＩＤ）情報１０８を、そしてオプション的にはＷＳ ＢＳサービス情報１１０を取得するようにハンドオフ機能１４６を実行し、これらの情報は、ＷＳ ＢＳ２０と、サービスエリア基準を満たしている他の何らかの候補ＷＳ ＢＳとに対応している。
【００８４】
ライセンスされていない周波数スペクトル中で動作し、ワイヤレスアクセス端末のロケーションに対応するサービスエリアを持っている別の基地局の識別は、ハンドオフ機能１４６を実行するハンドオフ決定器モジュール１４４によってＷＳ情報４６の解析に基づいている。１つの態様では、ＮＷＳ ＢＳは、ＷＳ情報サーバ４８からのＷＳ情報４６のキャッシュされたコピー上で動作してもよい。別の態様では、１４９において、ハンドオフ決定器モジュール１４４の実行に基づいて、ＮＷＳ ＢＳは、ハンドオフに対する必要性の通知によってトリガされ、ＷＳ情報サーバ４８と通信して、ＷＳ情報４６を取得してもよい。１４９における通信は、１４３におけるハンドオフに対する必要性の決定より前または後のいつでも行われ得ることに留意すべきである。いくつかのケースでは、例えば、更新スケジュールに基づいて、または、ＷＳ情報サーバ４８における、情報の変更に基づいて、ＮＷＳ ＢＳにおいて記憶されているＷＳ情報４６が周期的に更新される。
【００８５】
１５１において、ＮＷＳ ＢＳが、通信コールをハンドオフする際に使用するターゲット基地局に対する識別情報をワイヤレスアクセス端末に提供する。例えば、態様では、ハンドオフ決定器モジュール１４４の実行に基づいて、ＮＷＳ ＢＳがハンドオフ情報１４８をＡＴ１２に送信する。すなわち、ハンドオフ決定器モジュール１４４は、１４７において識別された基地局に基づいて、ハンドオフ情報１４８を発生させるようにハンドオフ機能１４６を実行する。新しいＢＳとの接続を確立し、ＷＳ通信セッション１４１を新しいＢＳにハンドオフするために、ハンドオフ情報１４８は、ＡＴ１２によって利用される何らかの情報を含んでいてもよい。例えば、新しいＢＳは、ＷＳ ＢＳ２０、または、ＮＷＳ ＢＳさえでもある。例えば、ハンドオフ情報１４８は、これらのものに限定されないが、ＢＳ識別子（ＩＤ）情報１０８または１１６、ＢＳサービス情報１１０または１１８を含んでいてもよく、ＢＳサービス情報１１０または１１８は、これらに限定されないが、例えば、音声、データ等のＢＳサービスタイプや、ＢＳ動作周波数情報や、ＢＳとの接続を確立するための、サービスコードまたはキーや、サービスファクタや、ＢＳとの接続を識別し、コンタクトし、確立したり、利用可能なサービスを規定したりする他の何らかのパラメータを含んでいてもよい。サービスファクタには、１つ以上のリンク品質パラメータのようなものや、帯域幅またはスループット／グッドプット、待ち時間、ジッター、パケットエラーレート、サービスコスト等のようなものがある。さらに、ハンドオフ情報１４８は、ＷＳ ＢＳセクタ情報を含んでいてもよく、ＷＳ ＢＳセクタ情報は、上述したようにＷＳ ＢＳサービス１１０情報中に含まれていてもよい。
【００８６】
いくつかの態様では、ハンドオフ情報１４８は、ＡＴ１２のロケーションに対応するサービスエリアを持っている何らかの基地局に関連していてもよい。他の態様では、ハンドオフ情報１４８は、ＡＴ１２のロケーションに対応するサービスエリアを持っており、ＡＴ１２に通信をサービス提供するのに使用する、互換性のあるまたは望ましい能力および／またはサービスをさらに持っている何らかの基地局に関連していてもよい。例えば、ハンドオフ決定器モジュール１４４および／またはハンドオフ機能１４６は、リンク品質またはサービスコストのような、ＷＳ ＢＳサービス１１０およびＮＷＳ ＢＳサービス１１８をさらに解析し、これらのファクタに基づいて、ＡＴ１２にサービス提供できる、可能性ある基地局またはセクタのうちの、あるものだけを選択してもよい。例えば、このような選択は、例えば、ＮＷＳ ＢＳに対して、サービスのコストがより低いために、ＷＳ ＢＳまたはセクタを選ぶことを含んでいてもよく、あるいは、このような選択は、より良いリンク品質のためにＮＷＳ ＢＳを選ぶことを含んでいてもよい。しかしながら、ハンドオフ機能１４６が、このような選択を行うための、任意のルール、または、予め定められたしきい値を含んでいてもよいことに、あるいは、このようなルール、しきい値、または所望のパラメータをＡＴ１２から受信してもよいことに留意すべきである。したがって、あるケースでは、ハンドオフ情報１４８は、ＡＴ１２のロケーションにおいてＡＴ１２にサービス提供するように動作可能な、複数の適格な基地局またはセクタの間から選択された１つ以上の基地局またはセクタを含んでいてもよい。
【００８７】
さらに、ハンドオフ情報１４８は、単一の基地局を、ハンドオフに対するターゲットとして識別してもよく、または、複数の可能性あるターゲット基地局を含んでいてもよい。さらに、例えば、リスト中の最初のものへの接続を確立できず、その後、リスト中の次のものが試行される場合に、ＡＴ１２が、順序付けした方法で、複数の基地局のうちの１つにコールをハンドオフしようと試行できるように、ＷＳ ＢＳサービス１１０およびＮＷＳ ＢＳサービス１１８のうちの１つのようなファクタにしたがって、複数の可能性あるターゲット基地局を順序付けしてもよい。
【００８８】
１５３において、１つの態様では、ＷＳ通信セッションがハンドオフされ、その後、例えば、ＷＳ ＢＳ２０のような新しいＷＳ ＢＳまたはセクタによってサービス提供されるように、ＡＴ１２が、ＷＳ ＢＳ２０のような新しいＷＳ ＢＳまたはセクタとの接続を確立する。例えば、ハンドオフ情報１４８に基づいてＮＷＳ ＢＳによって指示されたように、ＡＴ１２は、所定の基地局に接続してもよく、例えば、これは、コール確立モジュール１２８（図９）とコール確立機能１３０（図９）とを実行することによる。代替的に、ＡＴ１２が、サービス決定器１３１（図９）を実行してもよく、サービス決定器１３１（図９）は、潜在的なハンドオフターゲットを評価し、所望のターゲットを選択するように動作可能な論理を備える。例えば、ＮＷＳ ＢＳハンドオフ決定器モジュール１４４およびハンドオフ機能１４６の１つの態様に対して記述したのと類似した態様で、サービス決定器１３１は、リンク品質またはサービスコストのようなＷＳ ＢＳサービス１１０およびＮＷＳ ＢＳサービス１１８を解析し、そして、ユーザプリファレンスと、あるいは、しきい値と、あるいは、このようなファクタに基づいて複数の候補ターゲット基地局またはセクタ間から選択するための他の何らかのルールとを組み合わせたこれらのファクタに基づいて、ＡＴ１２にサービス提供できる可能性ある基地局またはセクタのうちの、あるものだけを選択する機能を備えていてもよい。１つ以上の選択された基地局またはセクタに基づいて、コール確立モジュール１２８（図９）は、選択された基地局またはセクタのうちの１つへのコールをハンドオフしようと試行することができ、例えば、ハンドオフを行うことは、成功するまで、所定の順序で試行する。１つ以上の選択された基地局またはセクタは、いかに良くユーザプリファレンス、しきい値、または選択ルールを満たすかにしたがった順序でランク付けしてもよい。
【００８９】
代替的な態様または付加的な態様では、１５５および１５７において、ハンドオフを実行する際に支援するために、ＮＷＳ ＢＳが、ＷＳ ＢＳ１８のような現在担当しているＷＳ ＢＳと、ＷＳ ＢＳ２０のようなターゲットＷＳ ＢＳとに対して、ハンドオフ情報１４８のすべて、または、ハンドオフ情報１４８の何らかの部分を提供する。例えば、このシチェーションでは、ＷＳ通信セッション１４１を維持する際に連続性を可能にするために、ハンドオフ情報１４８は、ＷＳ通信セッション情報１４２をさらに含んでいてもよい。
【００９０】
代替的な態様または付加的な態様では、１５９および１６１において、ハンドオフを実行する際に支援するために、ＮＷＳ ＢＳは、ＷＳ ＢＳ１８および２０のような担当ＷＳ ＢＳおよびターゲットＷＳ ＢＳ間とトンネルを確立する。そしてさらに、ＷＳ ＢＳ２０は、ＷＳ ＢＳ２０に対してセッションを完全にハンドオフできるまで、ＷＳ通信セッション１４１に対応するデータストリームを確実に維持するために、パケットをすべてバッファリングしてもよい。例えば、ＮＷＳ ＢＳは、１５９および１６１において、通信トンネルを確立するように動作可能なトンネル発生器１５２を持つトンネリングモジュール１５０を備えていてもよい。
【００９１】
さらなる別の代替的な態様または付加的な態様では、１６３において、ＮＷＳ ＢＳに対してコールをハンドオフすることに関して上記で説明したように、ＮＷＳ ＢＳは、ターゲットＢＳであってもよく、ＷＳ通信セッション１４１をＮＷＳ通信セッションに変換してもよい。例えば、このケースは、図１３中に記述したシナリオに対応していてもよい。例えば、ＮＷＳ ＢＳは、ＷＳ通信セッションをＮＷＳ通信セッションに変換するように動作可能な通信セッション発生器１５６を持つコール確立モジュール１５４を備えていてもよい。
【００９２】
このケースでは、ＮＷＳ ＢＳは、ハンドオフルールとＡＴモビリティとにしたがって、ＮＷＳ通信セッションを維持してもよい。例えば、ＮＷＳ ＢＳサービスエリアおよびＮＷＳ ＢＳサービスエリアがオーバーラップしている場合に、例えば、ＮＷＳ ＢＳは、ＡＴ１２が新しいＷＳサービスエリアに到達するまでＮＷＳ通信セッションを維持してもよい。さらに、例えば、ＡＴが担当ＮＷＳ ＢＳセルの外に移動しようとしていて、ＡＴが入ろうとしている新しいＮＷＳセルに関係付けられているような、より強い信号を持つ新しいＮＷＳ ＢＳに対して、ＡＴがハンドオフされるかもしれない場合には、例えば、ＮＷＳ ＢＳは、例えば、ＡＴ１２が新しいＮＷＳサービスエリアに到達するまでＮＷＳ通信セッションを維持してもよい。ＡＴのモビリティに依存して、任意の数の、ＮＷＳからＷＳへのハンドオフ、または、ＮＷＳからＮＷＳへのハンドオフが存在し得る。
【００９３】
さらには、ＡＴをＷＳ ＢＳに戻すようにハンドオフすることをＮＷＳ ＢＳが決定したときには、サポートされているサービスの何らかの部分または低いデータレート接続をＮＷＳ ＢＳにおいて維持しつつ、サポートされているサービスのすべて、または、サポートされるサービスの何らかの部分だけをターゲットＷＳ ＢＳに移すことをＮＷＳ ＢＳが決定するような、ＮＷＳ ＢＳが上述した動的サービス分割を実現してもよい。
【００９４】
例えば、ハンドオフ決定器モジュール１４４は、ハンドオフ機能１４６を実行して、ＡＴロケーション情報１２４に対する更新を周期的に取得し、ハンドオフ情報１４８を再評価してもよい。例えば、１６５および１６７において、ＡＴ１２がＷＳサービスエリア１６のようなＷＳサービスエリアに到達すると、ＮＷＳ ＢＳは、ハンドオフ決定器モジュール１４４を実行して、ハンドオフおよびハンドオフ情報１４８をＡＴ１２とターゲットＷＳ ＢＳ２０とに通知してもよく、これにより、１５３におけるハンドオフとＷＳ通信セッションとが可能になる。
【００９５】
すなわち、ＡＴが非ホワイトスペース基地局自体に対してハンドオフされるので、そのホワイトスペースＷＷＡＮデータトラフィックは、ＮＷＳ ＢＳのスペクトルおよびインフラストラクチャリソースに動かす可能性がある。ＡＴを担当できるホワイトスペース基地局が存在しない場合に、これは生じるかもしれない。例えば、セル端において、あるいは、例えば、ホワイトスペース基地局の電力が制限されているような場合に、ホワイトスペース基地局の可能性あるカバレッジの制限が原因で、これは起こるかもしれない。その後、ＡＴが移動し続けると、ＡＴは、利用可能である場合、ホワイトスペース基地局サービスエリアに再び移動するかもしれない。（別のホワイトスペース基地局が欠如している状態で）ＡＴのホワイトスペース通信セッションを切断するか否かについての、または、ライセンスされている非ホワイトスペーススペクトル中でＡＴのセッションを続けるか否かについての選択を、加入ポリシー、プロバイダの現在のシステム負荷等に基づいて、インフラストラクチャプロバイダに委ねることができる。
【００９６】
加えて、前に述べたように、ハンドオフは、「ソフター」ハンドオフを含んでいてもよく、「ソフター」ハンドオフは、ＷＳ周波数の典型的な変更を伴う、同じＷＳ ＢＳのセクタ間のハンドオフである。
【００９７】
さらに、これらの周波数間ソフターハンドオフは、各ＡＴにとって利用可能な互換性ＷＳスペクトルとともに、ＷＳ ＢＳまたはセクタにとって利用可能なＷＳスペクトルに対する許容を考慮に入れる必要があることがある。例えば、異なるホワイトスペースＷＷＡＮクライアント、例えば、異なるＡＴは、それらの各ロケーションにおいて使用する、異なる許可されたＷＳ周波数帯域を持っているかもしれない。例えば、ＡＴは、ＷＳ ＢＳが認識しないかもしれない別のホワイトスペース送信（例えば、その隣接における短距離ピアツーピア（Ｐ２Ｐ）送信、またはマイクロフォン）を検出するかもしれない。すなわち、許容できるＷＳ周波数帯域内の各ＡＴによって検出されたこのようなＷＳ干渉を、各ＡＴに対する非互換性ＷＳ周波数帯域として識別できる。したがって、異なるＡＴは、異なるＡＴの各ＷＳ通信能力に関して異なる制約を持つことがあり、異なるＡＴの各ＷＳ通信能力は、各ＷＳ ＢＳによって扱うことができるものである。
【００９８】
例えば、図１７を参照すると、ＷＳ感知モジュール７８が、所定のＷＳ ＢＳに関係する利用可能なＷＳ周波数１０４のうちの１つ以上に対するＷＳ干渉レベル８０を識別する。さらに、ＷＳ感知モジュール７８は、ＷＳ干渉レベル８０の識別に基づいて、利用可能なＷＳ周波数１０４の中から、互換性および／または非互換性のＷＳ周波数８１を発生させる論理を備えていてもよい。例えば、所定のＷＳ周波数に対する各干渉レベル８０がしきい値を超えている場合、そのＷＳ周波数は、非互換性の周波数として識別されることがあり、または、そのＷＳ周波数は、互換性ＷＳ周波数のリストから除外されることがある。
【００９９】
さらに、これらの識別されたＡＴ ＷＳ通信制約に基づいて、ＡＴは、例えば、ＮＷＳ ＢＳのようなＮＷＳ ＷＷＡＮインフラストラクチャを、またはＷＳ ＢＳを使用して通信し、通信の適切な周波数帯域をＷＳ ＢＳと交渉する必要があることがある。異なるＡＴが、異なる互換性のＷＳ周波数帯域を決定してもよく、ＷＳ ＢＳは、これらの異なるＡＴの異なる周波数帯域において、これらの異なるＡＴのそれぞれをサポートする必要があることがある。したがって、図１７を参照すると、ＷＳ ＢＳは、ＡＴとの通信がサポートされている間、利用可能な帯域１０４全体にわたって、周波数ホッピングスキーム１５８を、例えば、ハンドオフ機能１４６の一部として採用することがある。記述した態様では、ＷＳ ＢＳによって使用される周波数ホッピングスキーム１５８は、サービス提供されている各ＡＴに対する互換性または非互換性の帯域８１（または、間接的に、ＷＳ干渉レベル８０）を考慮に入れるだろう。ここで、周波数帯域のこの互換性および／または非互換性セットは、それぞれのＡＴに対して変えることができる。この情報を、ＡＴに特有な互換性および／または非互換性の情報１６０と呼ぶことがある。すなわち、ＷＳ ＢＳは、ＷＳ ＢＳによってサービス提供されている各ＡＴに対する何らかの互換性および／または非互換性のＷＳ周波数帯域を受信し、周波数ホッピングスキーム１５８において周波数を再割り当てするときに、各ＡＴに対する識別された非互換性のＷＳ周波数帯域を、各ＡＴに対する潜在的な新しい周波数としての考慮対象から取り除く。したがって、サービス提供されているＡＴのロケーション情報８４と、ＡＴの各ＷＳ通信制約、例えば、ＡＴに特有な互換性および／または非互換性の情報１６０とに基づいて、ＷＳ ＢＳは、互換性のある、利用可能なＷＳ周波数にＡＴをハンドオフするために、その周波数ホッピングスキーム１５８を所定の方向に修正することができる。さらに、主として、ＷＳ ＢＳに関して説明したが、ＮＷＳ ＢＳは、先に規定した情報およびメカニズムを使用して、同じ機能性を実行する能力を持っていてもよいことに留意すべきである。
【０１００】
加えて、いくつかの態様では、ハンドオフに対するアンカーは、例えば、基地局／ノードＢ／ｅノードＢ、ＲＮＣ、ＳＧＳＮ、ＧＧＳＮにおけるような、またはＷＷＡＮネットワークの外部におけるような、ワイヤレスインフラストラクチャの任意のレベルにおけるものとすることができる。例えば、ＷＳネットワーク１１およびＮＷＳネットワーク１３の双方と通信する任意のエンティティは、アンカーとして機能し、ハンドオフの間の通信の連続性を保証することができる。例えば、上記で説明したように、トンネル６６（図２）を、ネットワークアーキテクチャの任意の階層レベルにおいて生成してもよく、そしてこのようなものを、この目的のために利用してもよい。
【０１０１】
さらに、ＵＭＴＳ技術ベースのシステムでは、セッションを維持するためのクライアント／ＡＴデータの動き、例えば、ＩＰトラフィックまたはデータパケットのハンドオフは、任意の階層レベルにおいて、例えば、ノードＢにおいて、ＲＮＣにおいて、ＳＧＳＮにおいて、またはＧＧＳＮにおいて起こってもよい。また、ＬＴＥ技術ベースのシステムでは、ＩＰトラフィックは、ｅノードＢによって伝送できるので、ｅノードＢは、相互間でＩＰトラフィックをトンネルすることができる。そして、直接的なＩＰまたはクライアントデータトンネリング、例えば、基地局間のトンネル６６（図２）は、ハンドオフの間のオプションである。インフラストラクチャがトンネリングをサポートする場合に、このようなトンネリングを使用してもよいが、より高いアークテクチャのレベルにおいてトンネリングを実行することができる。
【０１０２】
図１８を参照すると、ＷＳ通信コールをハンドオフするための、ＡＴに対するＮＷＳ ＢＳ支援を促進するシステム４７０を図示している。例えば、システム４７０は、基地局、アクセスポイント等内に少なくとも部分的に存在することができる。システム４７０は、機能ブロックを備えているとして示しており、この機能ブロックは、プロセッサ、ソフトウェア、または、これらを組み合わせたもの（例えば、ファームウェア）によって実現される機能を示す機能ブロックとすることができることを正しく認識すべきである。
【０１０３】
システム４７０は、関連して動作できる手段の論理グルーピング４７２を備えている。例えば、論理グルーピング４７２は、ライセンスされている周波数上で動作する第１の基地局において、ワイヤレスアクセス端末の通信コールのハンドオフを実行する必要性の通知を受信する手段を備えることができ、通信コールは、第１のライセンスされていない周波数上でのものであり、第２の基地局によってサービス提供される（ブロック４７４）。また、論理グルーピング４７２は、ワイヤレスアクセス端末のロケーションを取得する手段を備えることができる（ブロック４７６）。さらに、論理グルーピング４７２は、ライセンスされていない周波数スペクトル中で動作し、ワイヤレスアクセス端末のロケーションに対応するサービスエリアを持っている何らかの基地局を識別する手段を備えることができる（ブロック４７８）。加えて、論理グルーピング４７２は、識別に基づいて、通信コールをハンドオフする際に使用するターゲット基地局に対する識別情報をワイヤレスアクセス端末に提供する手段を備えることができる（ブロック４８０）。さらには、システム４７０は、メモリ４８２を備えることができ、メモリ４８２は、手段４７４、４７６、４７８、および４８０に関係する機能を実行するための命令を保持する。メモリ４８２の外部に存在するとして示しているが、手段４７４、４７６、４７８、および４８０のうちの１つ以上は、メモリ４８２内に存在できることを理解すべきである。
【０１０４】
このように、この態様では、記述した装置および方法は、通信セッション情報を交換して、非ホワイトスペース基地局（ＮＷＳ ＢＳ）の支援によりホワイトスペース基地局（ＷＳ ＢＳ）間のホワイトスペース通信コールのハンドオフを、または、ＷＳ ＢＳとＮＷＳ ＢＳとの間のハンドオフを実行するように動作可能である。
【０１０５】
ＷＳ情報のキャッシュ
図１９−図２２を参照すると、さらなる態様では、記述した装置および方法は、ＮＷＳネットワークインフラストラクチャの１つ以上のレベルにおいてホワイトスペース情報をキャッシュするように動作可能である。
【０１０６】
図１９を参照すると、態様では、ホワイトスペース情報を取得する方法５００は、第１のインフラストラクチャ階層レベルに位置付けられている第１のネットワークインフラストラクチャデバイスにおいて、ホワイトスペース情報の第１のバージョンをキャッシュすることを含む（ブロック５０２）。例えば、ネットワークコンポーネントは、ホワイトスペース情報のデータベースを備えていてもよい。
【０１０７】
方法は、ホワイトスペース情報の第１のバージョンに対応する無効化メッセージを受信することをさらに含む（ブロック５０４）。例えば、ＮＷＳ ＢＳ、ＷＳ ＢＳ、または他の何らかの監視コンポーネントが、例えば、ＷＳ帯域中で使用中の新しいマイクロフォンあるいは新しく送信しているまたはもはや送信していないＷＳ ＢＳのような、ホワイトスペース情報の変化を識別し、この変化情報をネットワークデータベースに転送してもよい。
【０１０８】
また、方法は、無効化メッセージに基づいて、キャッシュされたホワイトスペース情報の第１のバージョンを無効化することを含む（ブロック５０６）。例えば、ネットワークデータベースは、受信した変化情報に基づいて、記憶されたＷＳ情報の少なくとも一部分を更新するように動作する。
【０１０９】
さらに、方法は、インフラストラクチャ更新プロトコルに基づいて、ネットワークインフラストラクチャデバイスにおいて、ホワイトスペース情報の更新された第２のバージョンを取得することを含む。（ブロック５０８）。例えば、ネットワークデータベースが、変更を行った後に、ホワイトスペース情報の新しいバージョンを更新および記憶する。加えて、方法は、インフラストラクチャ更新プロトコルにしたがって、ホワイトスペース情報の更新された第２のバージョンを、第２のインフラストラクチャ階層レベルに位置付けられている第２のインフラストラクチャデバイスに対して報知することを含む（ブロック５１０）。例えば、ネットワークデータベースが、少なくとも、ホワイトスペース情報の変化した部分を、ＮＷＳ ＢＳ、ＷＳ ＢＳ等のような別のネットワークコンポーネントに転送する。
【０１１０】
図２０および図２１を参照すると、より特定の態様では、例えば、１７１において、第１のインフラストラクチャ階層レベルに位置付けられている第１のネットワークインフラストラクチャデバイスが、ホワイトスペース情報の第１のバージョンを取得してもよい。例えば、ネットワークインフラストラクチャ５０は、レベル１７０、１７２、および１７４のような複数の階層レベルを含んでいてもよく、この複数の階層レベルは、デバイス１７６、１７８、および１８０のような１つ以上のインフラストラクチャデバイスを含む。この例では、複数の階層レベルは、ｎレベルを含み、ここで、ｎは、正の整数である。オプション的に、いくつかの態様では、ＮＷＳ ＢＳおよび／またはＷＳ ＢＳを、ネットワークインフラストラクチャ５０の一部と考えてもよい。例えば、階層レベル１７０、１７２、および１７４は、ＷＳ情報サーバ４８から、ＮＷＳ ＢＳ３２および／またはＷＳ ＢＳ１８のようなＮＷＳ ＢＳおよび／またはＷＳ ＢＳに伸びるノード構成に基づいていてもよい。ここで、ＷＳ情報サーバ４８を、最高レベルと考え、そしてＮＷＳ ＢＳおよび／またはＷＳ ＢＳを、最低ノードと考える。しかしながら、他の階層的構成を利用してもよいことを理解すべきである。
【０１１１】
いずれのケースにおいても、取得されたＷＳ情報４６は、識別子または値のような対応するバージョン１８２を持つ。バージョン１８２を使用して、対応するＷＳ情報４６の状態を識別してもよい。例えば、対応するＷＳ情報４６の状態は、情報は最新情報であるか否かといったものがある。
【０１１２】
さらに、ＷＳ情報４６の取得は、任意の数の状況に基づいていてもよく、例えば、ＷＳ通信セッションを確立するための、ＢＳによって受信された要求や、スケジューリングされた、または周期的な更新や、または、ＷＳ情報４６をＷＳ情報サーバ４８から取得することをトリガするための他の何らかのメカニズムのようなものに基づいていてもよい。
【０１１３】
加えて、取得は、任意のインフラストラクチャデバイス１７６、１７８、および１８０によって実行されてもよく、任意のインフラストラクチャデバイスは、オプション的には、任意の階層レベル１７０、１７２、および１７４における、ＮＷＳ ＢＳ３２および／またはＷＳ ＢＳ１８のようなＮＷＳ ＢＳおよび／またはＷＳ ＢＳを含む。例示を容易にするために、図２０および２１では、１７１における取得は、第１の階層レベル１７０における第１のインフラストラクチャデバイス１７６によって実行される。
【０１１４】
１７３において、第１の階層レベル１７０における第１のインフラストラクチャデバイス１７６のような各インフラストラクチャデバイスが、ホワイトスペース情報４６のバージョン１８２をキャッシュする。例えば、ネットワークインフラストラクチャ５０、すなわち、１つ以上のインフラストラクチャデバイス１７６、１７８、および１８０、ならびに／あるいは、ＢＳ３２および１８は、ホワイトスペース情報４６のバージョン１８２を記憶するように動作可能なメモリ１８を備えていてもよい。加えて、同様に、ホワイトスペース情報サーバ４８は、ホワイトスペース情報４６のバージョン１８２を記憶するように動作可能なメモリ１８４を備えることに留意すべきである。さらには、メモリ１８４は、バージョン更新モジュール１８６の一部であってもよく、または、バージョン更新モジュール１８６と通信してもよく、バージョン更新モジュール１８６は、ホワイトスペース情報サーバ４８、１つ以上のインフラストラクチャデバイス１７６、１７８、および１８０とともに、ＷＳ ＢＳ３２およびＷＳ ＢＳ１８のような１つ以上のＮＷＳ ＢＳおよびＷＳ ＢＳ中に備えられていてもよいことに留意すべきである。
【０１１５】
１７５において、第１の階層レベル１７０における第１のインフラストラクチャデバイス１７６のような１つ以上のインフラストラクチャデバイスが、ホワイトスペース情報４６の第１のバージョン１８２に対応する無効化メッセージ１８８を受信する。例えば、ＷＳ情報更新プロトコル１９０の実行に基づいて、ＷＳ情報サーバ４８が、無効化メッセージ１８８を発生させ、これを１つ以上のインフラストラクチャデバイスに送信してもよい。１つの態様では、例えば、無効化メッセージ１８８は、単に、ＷＳ情報サーバ４８が、ＷＳ情報４６の更新されたバージョン１９２を、更新されたＷＳ情報１９４とともに有していることを示していてもよい。このような「変更表示」は、更新されたバージョンを、更新されたＷＳ情報１９４とともに取得することを、各インフラストラクチャデバイスに任せる。別の態様では、例えば、無効化メッセージ１８８は、更新されたバージョン１９２を、更新されたＷＳ情報１９４とともに含んでいてもよい。
【０１１６】
１７７において、第１の階層レベル１７０における第１のインフラストラクチャデバイス１７６のような１つ以上のインフラストラクチャデバイスが、無効化メッセージ１８８に基づいて、キャッシュされたホワイトスペース情報４６の第１のバージョン１８２を無効化する。例えば、各インフラストラクチャデバイスによって実行されるバージョン更新モジュール１８６は、ＷＳ情報４６の内在バージョン１８２の使用を防ぐように実行可能なインフラストラクチャ更新プロトコル１９６を備えていてもよく、例えば、これは、これらには限定されないが、使用するためのものではないとして、ＷＳ情報４６の内在バージョン１８２をマーキングすることによって、またはそうでなければ識別することによって、あるいは情報を消去するようなことによる。
【０１１７】
いくつかのオプション的な態様では、１７９、１８１、および１８３において、デバイス１７６、１７８、１８０、および３２または１８のような各インフラストラクチャデバイスが、インフラストラクチャ更新プロトコル１９６にしたがって、無効化メッセージ１８８を互いに連続的に通知する。例えば、階層的構成におけるすべてのデバイスに通知されるまで、より高いレベルのインフラストラクチャデバイスは、近接の、より低いレベルのインフラストラクチャデバイス等に通知してもよい。それに応じて、１８５、１８７、および１８９において、これらの各インフラストラクチャデバイスが、無効化メッセージに基づいて、キャッシュされたホワイトスペース情報４６のこれらの各バージョン１８２を無効化してもよい。
【０１１８】
加えて、１９１において、第１の階層レベル１７０における第１のインフラストラクチャデバイス１７６のような１つ以上のインフラストラクチャデバイスが、ホワイトスペース情報の更新された第２のバージョン、例えば、更新されたバージョン１９２に対応する更新されたＷＳ情報１９４を取得する。１つの態様では、ホワイトスペース情報の更新された第２のバージョンの取得は、ＷＳ情報更新プロトコル１９０に基づいており、ＷＳ情報更新プロトコル１９０は、ＷＳ情報サーバ４８が、更新されたバージョン１９２に対応する更新されたＷＳ情報１９４を無効化メッセージ１８８中に含めるように命令したかもしれない。これにより、各インフラストラクチャデバイスのバージョン更新モジュール１８６をトリガし、更新された情報をメッセージからパーズする。別の態様では、インフラストラクチャ更新プロトコル１９６は、無効化メッセージ１８８が「変更表示」になるように命令したかもしれない。これにより、各インフラストラクチャデバイスのバージョン更新モジュール１８６をトリガし、１９３および１９５において送信およびメッセージ送信し、更新されたバージョン１９２に対応する更新されたＷＳ情報１９４を要求して受信する。
【０１１９】
図２０および図２１では、明確性のために、インフラストラクチャデバイス１７８、１８０、および３２または１８による各取得を図示していないが、１９１、または１９３および１９５では、デバイス１７６に対して記述したのと類似した態様でこれらのデバイスによって各取得を実行してもよいことに留意すべきである。先に述べたように、実際の取得プロセスは、実行されているインフラストラクチャ更新プロトコル１９６に基づいて命令される。
【０１２０】
１９７において、第１の階層レベル１７０における第１のインフラストラクチャデバイス１７６のような１つ以上のインフラストラクチャデバイスが、更新されたバージョン１９２に対応する更新されたＷＳ情報１９４を更新してキャッシュする。例えば、デバイスは、更新情報を記憶するようにバージョン更新モジュール１８６を実行してもよい。
【０１２１】
１９９において、第１の階層レベル１７０における第１のインフラストラクチャデバイス１７６のような１つ以上のインフラストラクチャデバイスが、インフラストラクチャ更新プロトコルにしたがって、第２のインフラストラクチャ階層レベルに位置付けられている第２のインフラストラクチャデバイスに対して、ホワイトスペース情報の更新された第２のバージョンを報知する。例えば、図２０および図２１では、デバイス１７６が、階層レベル１７２におけるデバイス１７８に情報を提供するが、所定のインフラストラクチャ更新プロトコル１９６に依存して、他のインプリメンテーションも可能である。
【０１２２】
類似した態様では、インフラストラクチャ更新プロトコル１９６に基づいて、後続する更新メッセージ２０１および２０３を、異なるデバイス１８０および３２ならびに／あるいは１８に送信してもよく、これにより、２０５、２０７、および２０９において、キャッシュされたＷＳ情報の対応する更新を可能にする。
【０１２３】
このような態様では、記述する装置および方法は、非常に効率的な態様で、最も現在のＷＳ情報４６によりネットワークインフラストラクチャ５０の全体を更新することを効率的に可能にする。例えば、１つのインフラストラクチャデバイスが、隣接インフラストラクチャデバイスに通知して更新することを可能にする更新プロトコル１９６を構築することによって、大量のシステムオーバーヘッドおよびＷＳ情報サーバ４８の処理リソースは、キャッシュされたＷＳ情報４６を持つそれぞれのインフラストラクチャデバイスがネットワークを通して個々の通信をＷＳ情報サーバ４８と交換することと比較して、セーブされる。
【０１２４】
オプション的に、２１１および２１３において、装置および方法は、ＮＷＳ ＢＳおよび／またはＷＳ ＢＳが、ローカルＷＳ情報における変更を監視し、関連性のあるローカルＷＳバリエーション情報１９８をＷＳ情報サーバ４８に対して報知することをさらに含んでいてもよい。例えば、ＮＷＳ ＢＳおよび／またはＷＳ ＢＳのＷＳ感知モジュール７８は、ローカルＷＳバリエーション情報１９８を発生させるように動作可能な解析器機能２０２を持つＷＳバリエーション解析器２００をさらに備えていてもよい。例えば、解析器機能２０２は、アルゴリズムや、ヒューリスティックや、ニューラルネットワークや、人工知能を備えていても、また、感知したＷＳ情報を解析して、ローカルＷＳバリエーション情報１９８を決定するのに適した他の何らかのメカニズムを備えていてもよい。例えば、アドホックＷＳ通信セッションを確立するときに考慮に入れることが望ましいと思われるぐらい長くいる地理的エリア中で、例えば、解析器機能２０２は、新しい送信や、または以前に知られている送信の欠如のようなＷＳ送信の相違を経時的に識別してもよい。したがって、ＷＳ感知モジュール７８は、２１３において、決定したローカルＷＳバリエーション情報１９８の送信を開始するように実行可能であってもよい。
【０１２５】
それに応じて、２１５において、ＷＳ情報サーバ４８が、決定されたローカルＷＳバリエーション情報１９８を受信し、これらを解析し、適切であると考えられた場合に、更新されたバージョン１９２を、更新されたＷＳ情報１９４とともに発生させてもよく、これにより、例えば、１７１において、アクションの開始をトリガする。
【０１２６】
図２２を参照すると、ＮＷＳネットワークインフラストラクチャの１つ以上のレベルにおいてホワイトスペース情報のキャッシュを促進するシステム５２０を図示している。例えば、システム５２０は、基地局、アクセスポイント等内に少なくとも部分的に存在することができる。システム５２０は、機能ブロックを備えているとして示しており、この機能ブロックは、プロセッサ、ソフトウェア、または、これらを組み合わせたもの（例えば、ファームウェア）によって実現される機能を示す機能ブロックとすることができることを正しく認識すべきである。
【０１２７】
システム５２０は、関連して動作できる、論理グルーピング５２２の手段を備えている。例えば、論理グルーピング５２２は、第１のインフラストラクチャ階層レベルに位置付けられている第１のネットワークインフラストラクチャデバイスにおいて、ホワイトスペース情報の第１のバージョンをキャッシュする手段を備えることができる（ブロック５２４）。さらに、論理グルーピング５２２は、ホワイトスペース情報の第１のバージョンに対応する無効化メッセージを受信する手段を備えることができる（ブロック５２６）。また、論理グルーピング５２２は、無効化メッセージに基づいて、キャッシュされたホワイトスペース情報の第１のバージョンを無効化する手段を備えることができる（ブロック５２８）。さらに、論理グルーピング５２２は、インフラストラクチャ更新プロトコルに基づいて、ネットワークインフラストラクチャデバイスにおいて、ホワイトスペース情報の更新された第２のバージョンを取得する手段を備えることができる（ブロック５３０）。加えて、論理グルーピング５２２は、インフラストラクチャ更新プロトコルにしたがって、ホワイトスペース情報の更新された第２のバージョンを、第２のインフラストラクチャ階層レベルに位置付けられている第２のインフラストラクチャデバイスに対して報知する手段を備えることができる（ブロック５３２）。さらには、システム５２０は、手段５２４、５２６、５２８、５３０、および５３２に関係する機能を実行するための命令を保持するメモリ５３４を備えることができる。メモリ５３４の外部に存在するとして示しているが、手段５２４、５２６、５２８、５３０、および５３２のうちの１つ以上は、メモリ５３４内に存在できることを理解すべきである。
【０１２８】
このように、キャッシュされたホワイトスペース情報は、さまざまなメカニズムにしたがって、ネットワークインフラストラクチャの１つ以上のレベルにおいて維持して更新してもよい。さらに、この態様は、ＮＷＳネットワークインフラストラクチャの１つ以上のレベルにおけるホワイトスペース情報を分散させることによって、ホワイトスペース情報サーバにおける負荷を減少させ、これにより、ホワイトスペース通信を確立しようとしているＡＴのようなホワイトスペースデバイスに対する、ホワイトスペース情報の配信の待ち時間を減少させる。
【０１２９】
Ｐ２Ｐ ＷＳ通信
図２３−図２６を参照すると、さらなる態様では、記述する装置および方法は、１つ以上のＮＷＳ ＢＳからの、または、ネットワークサーバのような別のネットワークコンポーネントからの支援により２つのＡＴ間のピアツーピア（Ｐ２Ｐ）ＷＳ通信を可能にするように動作可能である。
【０１３０】
図２３を参照すると、態様では、ピアツーピア（Ｐ２Ｐ）通信を確立する方法５４０は、ライセンスされている周波数上で動作している第１の基地局において、ライセンスされてない周波数スペクトル中での通信セッションに対する通信要求を受信することを含み、通信要求は、第１のロケーション情報を持つ第１のワイヤレス通信デバイスに対応し、通信要求は、第２のロケーション情報を持つ第２のワイヤレス通信デバイスを通信セッションに対する宛先として識別する（ブロック５４２）。例えば、ＮＷＳ ＢＳが、Ｐ２Ｐセッションを開始するための要求、または、既存のセッションをハンドオフするための要求をＡＴから受信してもよい。
【０１３１】
方法は、第１のロケーション情報と第２のロケーション情報とに対応している１つ以上の利用可能なライセンスされてない周波数を送信することをさらに含む（ブロック５４４）。例えば、ＮＷＳ ＢＳは、ネットワークデータベースにまたは対応するＷＳ ＢＳにアクセスして、第１のロケーション情報と第２のロケーション情報とに対応する各１つ以上の利用可能なライセンスされてない周波数を要求および／またはアクセスし、その後、周波数をテストするために、各ＡＴと、対応するＷＳ ＢＳまたは第２のワイヤレス通信デバイスとに対して、これらの周波数を転送してもよい。
【０１３２】
また、方法は、利用可能なライセンスされてない周波数のそれぞれに対する干渉レベルを受信することを含む（ブロック５４６）。例えば、第１および第２のワイヤレス通信デバイスから、またはピアデバイスから、またはＷＳ ＢＳから、利用可能なライセンスされてない周波数に対応する干渉測定値を受信するといったことによって、ＮＷＳ ＢＳは、１つ以上の利用可能なライセンスされてない周波数に対する各干渉レベルを取得してもよく、そうでない場合には、ＮＷＳ ＢＳは、ピアデバイスの付近のまたはＷＳ ＢＳの付近の他のデバイスによる測定値に基づいて干渉レベルを取得してもよい。オプション的に、干渉レベルとともに、ＮＷＳ ＢＳは、デバイスから、または、ＷＳ ＢＳから、好ましい周波数の識別子または好ましい周波数のランク付けを受信してもよい。
【０１３３】
さらには、方法は、第１のワイヤレスデバイスと第２のワイヤレス通信デバイスとの間のピアツーピア（Ｐ２Ｐ）通信を確立するために、利用可能なライセンスされてない周波数のそれぞれの干渉レベルに基づいて、１つ以上の利用可能なライセンスされてない周波数のうちの１つを識別することを含む（ブロック５４８）。例えば、ピア通信セッションの確立を可能にするために、利用可能なライセンスされてない周波数のうちの１つが、双方のピアデバイスに対して十分に少ない干渉量を持つとＮＷＳ ＢＳが決定してもよく、あるいは、ＮＷＳ ＢＳが、最低の干渉レベルを持っている利用可能なライセンスされてない周波数のうちの１つを識別し、情報をピアデバイスに提供してもよい。この情報は、識別された利用可能なライセンスされてない周波数上で通信を確立するためのものである。オプション的に、いくつかの態様では、ＮＷＳ ＢＳが、先に言及したような、受信したプリファレンスまたはランク付け情報に基づいて、利用可能なライセンスされてない周波数を識別してもよく、あるいは、ＮＷＳ ＢＳが、１つのピアまたは双方のピアに周波数オプションを提供し、ピアツーピア通信の際に使用する選択された利用可能なライセンスされてない周波数をピアが決定できるようにしてもよい。
【０１３４】
オプション的に、方法は、Ｐ２Ｐ通信を確立する、１つ以上の利用可能なライセンスされていない周波数のうちの１つに対する訂正された干渉レベルに基づいて、１つ以上の利用可能なライセンスされていない周波数のうちの別のものへのＰ２Ｐ通信の切り替えを指示することを含む（ブロック５５０）。例えば、ＮＷＳ ＢＳが、各干渉レベルに対する更新を受信し、以前に割り当てられたライセンスされてない周波数よりも、より適した干渉レベルを持っている新しい利用可能なライセンスされてない周波数を決定してもよい。
【０１３５】
すなわち、記述した態様は、ＷＳまたはＮＷＳのいずれかを通して、ＡＴがネットワークに接続することを可能にする。その後、ＡＴは、ネットワークからの支援により、ＷＳを通して、別の近くのピアとのＰ２Ｐリンクを形成することができる。
【０１３６】
図２４および図２５を参照すると、より特定の態様では、２２１において、第１のワイヤレス通信デバイスが、ライセンスされている周波数上で動作している第１の基地局に対して、ライセンスされてない周波数スペクトル中での通信セッションに対する通信要求を送信する。このケースでは、第１のワイヤレス通信デバイスは、第１のロケーション情報を持ち、通信要求は、第２のロケーション情報を持っている第２のワイヤレス通信デバイスを、通信セッションに対する宛先として識別する。例えば、図１を参照すると、第１のワイヤレス通信デバイスはＡＴ１２であってもよく、そして第２のワイヤレス通信デバイスはＡＴ５２であってもよく、そして双方とも、ＷＳサービスエリア１４のような同じＷＳサービスエリア内に存在することになるこれらの地理ロケーションを規定している各ＡＴロケーション情報８４を持っている。さらに、例えば、ライセンスされている周波数上で動作している第１の基地局は、ＮＷＳ ＢＳ３２であってもよく、ＮＷＳ ＢＳ３２は、ＡＴ１２および５２が位置付けられている、サービスエリア２２（図１）を持つ。
【０１３７】
１つのオプション的な態様では、２２１における通信要求は、ピアツーピア（Ｐ２Ｐ）ＷＳ通信セッションを望んでいるとの表示を含んでいてもよいことに留意すべきである。例えば、ＡＴ１２およびＡＴ５２のそれぞれは、それぞれのデバイスが他のものを発見し、Ｐ２Ｐ ＷＳ通信セッションの確立を開始することを可能にするように実行可能なＰ２Ｐ論理２２２を持つクライアントＰ２Ｐモジュール２２０を備えていてもよい。例えば、２２１における通信要求より前に、２２３および２２５において、それぞれのＡＴ１２および５２は、ＮＷＷ ＢＳ３２を通して交換を実行してもよく、ＮＷＷ ＢＳ３２は、互いを発見する際にＡＴを支援し、Ｐ２Ｐ ＷＳ通信セッションを確立する際に支援するように実行可能なＰ２Ｐ論理２２６を持つＢＳ Ｐ２Ｐモジュール２２４を備えていてもよい。
【０１３８】
代替的に、別の態様では、２２１における通信要求は、一般通信要求であってもよく、ＮＷＳ ＢＳ３２は、ＢＳ Ｐ２Ｐモジュール２２４を動作させて、１つ以上のＰ２Ｐ ＷＳ候補２３２を発生させるように実行可能なＰ２Ｐ ＷＳ機能２３０を持つＰ２Ｐロケーション相関器２２８を実行させてもよい。１つ以上のＰ２Ｐ ＷＳ候補２３２は、同じＷＳサービスエリア中で動作し、コールに関係しているＡＴである。例えば、Ｐ２Ｐ ＷＳ機能２３０は、Ｐ２Ｐ ＷＳ候補２３２を識別するために、各ＡＴロケーション情報８４とＷＳ情報４６とに基づいているルールを備えていてもよい。例えば、２２３および２２５において、ＮＷＳ ＢＳ３２は、ＢＳ Ｐ２Ｐモジュール２２４を実行して、各ＡＴロケーション情報８４をＡＴ１２および５２から集めてもよい。
【０１３９】
２２７において、ＡＴ１２および５２からの各ＡＴロケーション情報８４に基づいて、ＮＷＳ ＢＳ３２が、利用可能なＷＳ周波数１０４を決定する。例えば、ＮＷＳ ＢＳ３２のＢＳ Ｐ２Ｐモジュール２２４が、ＷＳサービス決定器１００と協働してもよく、ＷＳサービス決定器１００は、１つ以上の利用可能なＷＳ周波数１０４を決定するためにＷＳ周波数相関器１０２を実行する。さらに、いくつかの態様では、２２９において、利用可能なＷＳ周波数１０４を決定するより前に、ＮＷＳ ＢＳ３２は、ＷＳ情報サーバ４８と通信し、ＷＳ情報４６を取得してもよい。しかしながら、そのＷＳ情報４６は、いつでも取得されてもよく、ＮＷＳ ＢＳ３２上で既にキャッシュされていてもよいことに留意すべきである。
【０１４０】
２３１および２３３において、ＡＴ１２およびＡＴ５２は、それぞれ、第１のロケーション情報と第２のロケーション情報とに、例えば、各ＡＴロケーション情報８４に対応する、１つ以上の利用可能なライセンスされてない周波数、例えば、利用可能なＷＳ周波数１０４を受信する。
【０１４１】
２３５および２３７において、ＡＴ１２およびＡＴ５２のうちの少なくとも１つは、それぞれ、利用可能なライセンスされてない周波数のそれぞれに対する干渉レベルを決定する。例えば、いくつかの態様では、ＡＴのうちの１つのみが干渉レベルを決定する一方で、他の態様では、両方のＡＴが干渉レベルを決定する。この干渉レベルは、ＡＴのロケーション間の距離に依存して、ＡＴによって異なる。例えば、利用可能なライセンスされてない周波数のそれぞれ１０４に対する、ＷＳ周波数と、対応する干渉レベル８０とを測定するために、それぞれのＡＴ１２および５２は、ＷＳ感知モジュール７８を実行してもよい。
【０１４２】
２３９および２４１において、ＡＴ１２およびＡＴ５２のうちの、１つまたは双方が、報告メッセージをＮＷＳ ＢＳ３２に送信する。例えば、報告メッセージは、ＷＳ周波数報告情報２３４を含んでいてもよく、ＷＳ周波数報告情報２３４は、利用可能なライセンスされてない周波数のそれぞれに対するＷＳ周波数／干渉レベル８０含む。そしてオプション的には、報告メッセージは、例えば、各ＷＳ周波数／干渉レベル８０に基づくＰ２Ｐ論理２２２の実行にしたがった、ＡＴが選択した利用可能なＷＳ周波数を、またはＷＳ周波数プリファレンスのＡＴ特有のランキングを含んでいてもよい。
【０１４３】
２４３において、ＮＷＳ ＢＳ３２が、１つのＡＴまたは双方のＡＴから報告メッセージを受信し、ＷＳ Ｐ２Ｐ通信セッションの確立のために、選択されたＷＳ周波数２３８を決定するようにＷＳ選択器２３６を実行する。例えば、いくつかの態様では、ＷＳ選択器２３６が、１つのＡＴまたは双方のＡＴからの、利用可能なライセンスされてない周波数のそれぞれに対する報告されたＷＳ周波数／干渉レベル８０に基づいて、選択されたＷＳ周波数２３８を決定する。他の態様では、選択されたＷＳ周波数２３８を決定するために、ＷＳ選択器２３６は、ＷＳ周波数選択またはランク付けされたＷＳ周波数プリファレンスを考慮する、あるいは、一致させる。
【０１４４】
いずれのケースにおいても、２４５および２４７において、ＡＴ１２およびＡＴ５２の双方とも、選択されたＷＳ周波数２３８を受信する。
【０１４５】
さらに、２４９において、各クライアントＰ２Ｐモジュール２２２の実行に基づいて、ＡＴ１２およびＡＴ５２が、選択されたＷＳ周波数上で、Ｐ２Ｐ ＷＳ通信セッションを確立する。したがって、利用可能なライセンスされてない周波数のそれぞれの決定された干渉レベルに基づいて、１つ以上の利用可能なライセンスされてない周波数のうちの１つ上で、Ｐ２Ｐ通信が確立される。
【０１４６】
２５１および２５３において、ＡＴ１２および５２のうちの１つまたは双方が、選択されたＷＳ周波数２３８を感知し、干渉レベル８０の値をリフレッシュしてもよい。例えば、ＡＴ１２および５２のうちの１つ、または、ＡＴ１２および５２の双方が、スケジュールのようなものに基づいて、または、Ｐ２Ｐ ＷＳ通信セッションのサービス品質パラメータの劣化のようなトリガイベントに基づいて、ＷＳ感知モジュール７８を実行してもよい。さらに、この感知は、利用可能なＷＳ周波数１０４のそれぞれを感知することと、対応する干渉レベル８０をリフレッシュすることを伴っていてもよい。
【０１４７】
オプション的な態様では、２５５において、ＡＴは、Ｐ２Ｐ通信を確立する、１つ以上の利用可能なライセンスされていない周波数のうちの１つに対して決定された、訂正された干渉レベルに基づいて、１つ以上の利用可能なライセンスされていない周波数のうちの別のものへとＰ２Ｐ通信を切り替えることに同意してもよい。例えば、選択されたＷＳ周波数２３８に対する干渉レベル８０がしきい値を超えた場合、ＡＴ１２および５２が、しきい値よりも下の干渉レベルを持つもののような、利用可能なＷＳ周波数１０４のうちの別のものへと切り替えることに同意してもよい。
【０１４８】
代替的に、２５７および２５９において、ＡＴ１２およびＡＴ５２のうちの１つ、または双方は、周波数変更要求をＮＷＳ ＢＳ３２に送ってもよく、ＮＷＳ ＢＳ３２は、２４３において記述したのと類似した方法であるが、リフレッシュされた干渉情報ならびに／あるいはＡＴ周波数選択またはプリファレンスに基づいて、新しい周波数の選択を管理してもよく、リフレッシュされた干渉情報ならびに／あるいはＡＴ周波数選択またはプリファレンスはすべて、周波数変更要求中に含まれていてもよい。したがって、ＡＴは、動作４５および２４７に類似して、新しい周波数が報知され、動作２５５におけるように、Ｐ２Ｐ ＷＳ通信セッションが新しいＷＳ周波数に移される。
【０１４９】
別の態様において、ピアは、最初、非ホワイトスペース中で互いを見つける必要がある。そのため、ピアは、何らかのインターネットサイト上で互いを見つけるかもしれない。そして、地理ロケーションに基づいて、ピアは、地理的に近接内にピアが存在することを見出すかもしれない。これは、ピアは、通信するための可能性あるホワイトスペーススペクトルを見つけ出すためにホワイトスペース情報サーバと交渉するときである。このような交渉は、ホワイトスペース情報サーバにピアを接続している非ホワイトスペース基地局を通して行われ得る。その後、ピアは、選択されたホワイトスペーススペクトルを通して、通信を確立することに進むことができる。モビリティのために、例えば、（マイクロフォンが検出されるような、または、何らかの他の送信が存在するような）スペクトル感知に基づいて、あるいは、ピアが動くときには、（ホワイトスペースサーバからの情報に基づいている）ピアにとって利用可能なテーブルルックアップに基づいて、ピアは、行く新しいホワイトスペース領域を見つける必要がある可能性がある。このようなシチュエーションにおいて、ホワイトスペース周波数再交渉が行われ得る。最初のセットアップに対してでさえ、何らかの干渉が感知された場合には、この再交渉が行われ得る。
【０１５０】
双方のピアが、ＷＷＡＮを通して通信している必要ないことに留意すべきである。ピアのうちの１つは、ＤＳＬを通して自宅にあるかもしれず、もう一方は、使用するホワイトスペーススペクトルを決定するためにＷＷＡＮを使用している。加えて、ピアは、非ホワイトスペースＷＷＡＮからホワイトスペースＷＷＡＮに移動し、そしてその後、ピアを発見した可能性がある。そのケースでは、インフラストラクチャからの支援は、ホワイトスペースＷＷＡＮから来るだろう。
【０１５１】
図２６を参照すると、１つ以上のＮＷＳ ＢＳからの支援により２つのＡＴ間でピアツーピア（Ｐ２Ｐ）ＷＳ通信を促進するシステム５６０を図示している。例えば、システム５６０は、基地局、アクセスポイント等内に少なくとも部分的に存在することができる。システム５６０は、基地局、アクセスポイント、等内に少なくとも部分的に存在することができ、システム５６０は、機能ブロックを備えているとして示しており、この機能ブロックは、プロセッサ、ソフトウェア、または、これらを組み合わせたもの（例えば、ファームウェア）によって実現される機能を示す機能ブロックとすることができることを正しく認識すべきである。
【０１５２】
システム５６０は、関連して動作できる、論理グルーピング５６２の手段を備えている。例えば、論理グルーピング５６２は、ライセンスされている周波数上で動作している第１の基地局において、ライセンスされてない周波数スペクトル中での通信セッションに対する通信要求を受信する手段を備えることができる。通信要求は、第１のロケーション情報を持つ第１のワイヤレス通信デバイスに対応し、通信要求は、第２のロケーション情報を持つ第２のワイヤレス通信デバイスを、通信セッションに対する宛先として識別する（ブロック５６４）。論理グルーピング５６２は、第１のロケーション情報と第２のロケーション情報とに対応する１つ以上の利用可能なラインセンスされていない周波数を送信する手段も備えることができる（ブロック５６６）。さらに、論理グルーピング５６２は、利用可能なライセンスされていない周波数のそれぞれに対する干渉レベルを受信する手段を備えることができる（ブロック５６８）。さらには、論理グルーピング５６２は、ピアツーピア（Ｐ２Ｐ）通信を確立するために、利用可能なライセンスされていない周波数のそれぞれの決定された干渉レベルに基づいて、１つ以上の利用可能なライセンスされていない周波数のうちの１つを識別する手段を備えることができる（ブロック５７０）。オプション的に、論理グルーピング５６２は、Ｐ２Ｐ通信を確立する、１つ以上の利用可能なライセンスされていない周波数のうちの１つに対して決定された、訂正された干渉レベルに基づいて、１つ以上の利用可能なライセンスされていない周波数のうちの別のものへとＰ２Ｐ通信を切り替える手段を備えることができる（ブロック５７２）。さらには、システム５２０は、手段５６４、５６６、５６８、５７０、および５７２に関係する機能を実行するための命令を保持するメモリ５７４を備えることができる。メモリ５７４の外部に存在するとして示しているが、手段５６４、５６６、５６８、５７０、および５７２のうちの１つ以上が、メモリ５７４内に存在することができることを理解すべきである。
【０１５３】
このように、この態様は、ＮＷＳおよび／またはＷＳ ＷＷＡＮ、あるいはサーバのような別のネットワークコンポーネントによって支援されるＰ２Ｐホワイトスペース通信に対する効率的なスキームを提供する。例えば、ここでは、適したホワイトスペース周波数を見出すのに、ホワイトスペーススペクトル全体的を評価したならば消費されるであろうエネルギーよりも、消費するエネルギーを実質的により少なくするために、ＡＴは、ＮＷＳ ＢＳにより提供されるホワイトスペース情報を利用する。
【０１５４】
ホワイトスペース基地局の現場に特有なブロードキャスティング
図２７−図３０を参照すると、別の態様では、記述する装置および方法は、ホワイトスペース基地局により、情報の現場に特有なブロードキャスティングを可能にするように動作可能である。この、情報の現場に特有なブロードキャスティングを、現場キャスティングと呼ぶ。例えば、このような現場に特有なブロードキャスティングは、広告、マーケティング情報、一般的な現場情報等を含んでいてもよい。１つの使用ケースでは、セールをしているストアが、ＷＳサービスエリア内のあらゆるデバイスにセールを広告したいことがある。このケースでは、ストアは、ＷＳサービスエリア中に位置付けられているかもしれないし、または、位置付けられていないかもしれない。あるいは、ストアは、ＷＳサービスエリア中にターゲットオーディエンスを持っているかもしれない。このようなことであるから、ＷＳサービスエリア中に位置付けられており、ブロードキャストを受信する何らかのデバイスが、ストアのセールの広告にアクセスできる。
【０１５５】
図２７を参照すると、態様では、現場に特有な情報を受信する方法５８０は、アクセス端末において、ライセンスされている周波数上で動作している第１の基地局から、ライセンスされていないスペクトル中で動作している第２の基地局に対するブロードキャストチャネル情報を取得することを含む（ブロック５８２）。例えば、ＡＴが、ＮＷＳ ＢＳからのパイロットメッセージ中で、または、パイロットメッセージ中で識別された周波数への同調に基づいて、ブロードキャストチャネル情報を受信してもよい。
【０１５６】
方法は、ブロードキャストチャネル情報に基づいて、第２の基地局のブロードキャストチャネルに同調することをさらに含む（ブロック５８４）。例えば、ＡＴが、ＡＴ上の無線またはモデムを、ブロードキャストチャネル情報中で識別されたブロードキャストチャネルに同調させてもよい。
【０１５７】
また、方法は、ブロードキャストチャネル上で、現場特有メッセージを受信することを含む（ブロック５８６）。例えば、ＡＴが配置されている、特定のロケーションまたは現場に対してターゲット付けられている１つ以上のメッセージを、ＡＴが受信してもよい。
【０１５８】
加えて、方法は、現場特有メッセージを記憶または提示することを含む（ブロック５８８）。例えば、ＡＴが、ユーザインターフェースを通して、受信したメッセージをユーザに提供してもよい。これは、例えば、テキストまたはグラフィックをディスプレイ上に提示すること、ならびに／あるいは、スピーカを通してオーディオを発生させること、のようなものである。これにより、ＡＴのユーザが、現場に特有な情報を受信することが可能になる。
【０１５９】
さらに詳細には、図２８および図２９を参照すると、例えば、２７１において、ＡＴ１２が、ＮＷＳ ＢＳ３２と通信し、ＡＴの付近のＷＳ ＢＳに関する情報を取得してもよい。例えば、ＡＴ１２は、ＷＳ ＢＳ１８のような１つ以上のＷＳ ＢＳのＷＳサービスエリア中に位置付けられているかもしれない。通信は、任意の方法で開始してもよい。任意の方法は、これに限定されるものではないが、ＡＴ１２がＮＷＳ ＢＳ３２を発見すると行われることや、または、ＡＴ１２によるＷＳ ＢＳ情報に対する特定の要求に基づくものや、またはさらに詳細には、ＷＳ ＢＳの現場に特有なブロードキャスト情報に基づくものを含む。先に述べたように、それぞれのＷＳ ＢＳに対する情報を、ＷＳ ＢＳサービス情報１１０として規定してもよい。ＷＳ ＢＳサービス情報１１０は、１つ以上の周波数のようなＷＳ ＢＳブロードキャストチャネル情報２７２を含んでいてもよい。上述したように、２７７では、ＮＷＳ ＢＳ３２は、ＷＳサービス決定器１００を実行して、例えば、ＮＷＳ ＢＳ３２に隣接しているＷＳ ＢＳ１８のようなＷＳ ＢＳから２７３において受信した情報といったものに基づいて、および／または、ＷＳ情報サーバ１４８から２７５において取得した情報といったものに基づいて、このＷＳ情報を取得しても、あるいは、ＡＴ１２のロケーションに基づいて、以前に受信したＷＳ ＢＳ情報を処理してもよい。
【０１６０】
ブロードキャスト周波数またはチャネル情報を受信すると、２７９において、ＡＴ１２が、１つ以上のブロードキャスト周波数／チャネルに同調し、そして、２８１において、１つ以上の現場特有メッセージ２７４のブロードキャストを取得してもよい。例えば、ＡＴ１２は、識別された周波数のうちの１つ以上のもの上でブロードキャストを受信するためにＡＴ１２を同調させるように、通信モジュール７２とＷＳコンポーネント７４とを動作させてもよい。さらに、例えば、それぞれの現場特有メッセージ２７４は、メッセージを規定している現場メタデータを含んでいてもよい。例えば、現場メタデータは、これらのものに限定されないが、現場の名前や、現場のロケーションや、トピックを規定しているキーワードのような、メッセージの主題事項の記述や、デモグラフィック情報のような、ターゲットオーディエンスを識別するデータや、受信デバイス関連情報や、広告または現場情報のようなメッセージデータや、付加的なデータに対するリンクや、電話番号や、あるいは、現場特有メッセージを受信するデバイスが、現場特有メッセージのコンテンツにおける関心のレベルを決定することを可能にする他の何らかのデータのうちの１つ以上のもののようなものがある。
【０１６１】
ＷＳ ＢＳは比較的広いサービスエリアを持つことがあるので、ブロードキャストは、ＷＳサービスエリア内の地理的に異なるエリアに対する多くの異なる現場特有メッセージを含んでいてもよい。したがって、いくつかのオプション的な態様では、２８３において、ＡＴ１２が、ＡＴに関連性のある現場特有メッセージのみを記憶および／または提示するように、ＡＴ１２は、１つ以上の現場特有メッセージ２８３をフィルタリングしてもよい。例えば、ＡＴ１２は、現場特有メッセージ２８３を解析し、例えば、アセスされた、関心のあるレベルに基づいて、あるいは、メッセージ中のメタデータを解析することによって、および／または、ＡＴに特有な情報またはＡＴユーザ情報をさらに考慮に入れることによって決定された適応可能性に基づいて、現場特有メッセージ２８３を記憶および／または提示するか否かを、現場特有メッセージ２８３を廃棄するか否かを決定するように動作可能な、メッセージ選択機能２７８を持つ現場キャストメッセージ選択器モジュール２７６を備えていてもよい。
【０１６２】
例えば、態様では、ＡＴロケーションに対して予め定められた関係を持っている現場に対応する現場特有メッセージ２８３を記憶するように、メッセージ選択機能２７８が、ＡＴロケーションに基づき得る現場特有メッセージ２８３をフィルタリングしてもよい。ＡＴロケーションに対する予め定められた関係は、例えば、現在のＡＴロケーションの８．０４５キロメートル（５マイル）以内の現場のような距離しきい値を、または、例えば、ＡＴの速度および方向または動きの履歴に基づいて、予測された将来のロケーションを含んでいてもよい。
【０１６３】
他の態様では、メッセージ選択機能２７８が、現場特有メッセージの選択をユーザから受信できるように、現場特有メッセージを識別し、または、例えば、ユーザインターフェースを通して、現場特有メッセージをＡＴのユーザに提示してもよい。
【０１６４】
さらなる別の態様では、メッセージ選択機能２７８は、どの現場特有メッセージを記憶および／または提示するかを自動的に選択する論理を備えていてもよい。例えば、現場キャストメッセージ選択器モジュール２７６は、例えば、ユーザ入力される、または、例えば、ユーザ対話履歴と、ユーザにとって関心のあるエリアとに基づいて自動的に決定される、ユーザプロファイルおよび／またはユーザプリファレンス２８０を含んでいてもよく、そして、ＡＴは、一致を見出すために、現場特有メッセージを規定しているメタデータをユーザプリファレンスと比較し、その後、一致している現場特有メッセージ２８２を保存および／または提示してもよい。
【０１６５】
いずれのケースにおいても、２８５において、一致している現場特有メッセージ２８２のうちの１つ以上を含む、現場特有メッセージ２７４のうちの１つ以上を、メモリ中もしくはデータ記憶中に記憶させてもよく、ならびに／あるいは、ユーザによる消費のために、例えば、ディスプレイまたはスピーカのうちの１つ以上のような出力メカニズム上に提示させてもよく、または、ユーザによる選択的リコールのために、データ記憶中もしくはメモリ中に保存させてもよい。
【０１６６】
オプション的に、２８７、２８９および２９１において、１つ以上の現場特有メッセージ２７４に応答して、ＡＴ１２は、それぞれ、ＮＷＳ ＢＳ３２、ＷＳ ＢＳ１８、またはＩＰネットワーク５２のうちの１つ以上のものと通信してもよい。例えば、現場特有メッセージ２７４は、ハイパーリンクを含んでいてもよく、ユーザが、このハイパーリンクを使用して、インターネットのようなＩＰネットワーク５２に接続し、製品情報のような付加的な情報を取得するためにウェブサーバにアクセスし、あるいは、マッピングサーバのようなものにアクセスして、マップを入手したり、または現場への方向を入手したり、または現場内への方向を入手することができる。さらに、例えば、現場特有メッセージ２７４は、例えば、ストアの電話番号を、または、広告された製品の注文をとることができるオペレータへの電話番号を含んでいてもよく、ＡＴ１２は、宛先として電話番号を持っている、ＮＷＳ ＢＳまたはＷＳ ＢＳとの通信コールを確立してもよい。これらは、現場特有メッセージ２７４を受信し、現場特有メッセージ２７４と対話することに基づいて行われ得る、無数の可能性ある対話のうちのほんの数例であることに留意すべきである。
【０１６７】
図３０を参照すると、現場キャスティングと呼ばれる、現場に特有な情報のブロードキャスティングを促進するシステム５９０を図示している。例えば、システム５９０は、基地局、アクセスポイント等内に少なくとも部分的に存在することができる。プロセッサ、ソフトウェア、またはこれらを組み合わせたもの（例えば、ファームウェア）によって実現する機能を示す機能ブロックとすることができる、機能ブロックを備えているとして、システム５９０を示していることを正しく認識すべきである。
【０１６８】
システム５９０は、関連して動作できる、論理グルーピング５９２の手段を備えている。例えば、論理グルーピング５９２は、アクセス端末において、ライセンスされている周波数上で動作している第１の基地局から、ライセンスされていないスペクトル中で動作している第２の基地局に対するブロードキャストチャネル情報を取得する手段を備えることができる（ブロック５９４）。論理グルーピング５９２は、ブロードキャストチャネル情報に基づいて、第２の基地局のブロードキャストチャネルに同調する手段も備えることができる（ブロック５９６）。さらに、論理グルーピング５９２は、ブロードキャストチャネル上で、現場特有メッセージを受信する手段を備えることができる（ブロック５９８）。加えて、論理グルーピング５９２は、現場特有メッセージを記憶または提示する手段を備えることができる（ブロック６００）。さらには、システム５９０は、手段５９４、５９６、５９８、および６００に関係する機能を実行するための命令を保持するメモリ６０２を備えることができる。メモリ６０２の外部に存在するとして示しているが、手段５９４、５９６、５９８、および６００のうちの１つ以上のものが、メモリ６０２内に存在することができることを理解すべきである。
【０１６９】
このように、この態様では、記述した装置および方法は、現場キャスティングサービスを提供するように動作可能である。
【０１７０】
図３１を参照すると、１つの態様では、ＡＴ、ＮＷＢ ＢＳ、ＷＳ ＢＳ、ネットワークインフラストラクチャ、ＷＳ情報サーバ（図１および図２）のような、上述したコンポーネントのうちの任意のものは、コンピュータデバイス３００として動作してもよい。コンピュータデバイス３００は、ここで記述した、方法、コンポーネント、または機能のうちの１つ以上のものに関係する処理機能を実行するプロセッサ３０２を備えている。例えば、プロセッサ３０２は、ネットワークアクセスおよび／または通信サービスの動的なパーティショニングや、ＷＢ ＢＳからのコールのハンドオフを実行する際の支援や、ＷＳ情報の動的なキャッシュや、ピアツーピア通信の確立や、ＷＳ ＢＳの現場特有なブロードキャスティング、のうちの１つ以上のものを実行することができる。プロセッサ３０２は、単一のまたは複数のセットのプロセッサまたはマルチコアのプロセッサを含むことができる。さらには、プロセッサ３０２は、組み込まれた処理システムおよび／または分散処理システムとして実現することができる。
【０１７１】
コンピュータデバイス３００は、アプリケーションのローカルバージョン、コード、プロセッサ３０２によって実行される、命令またはモジュールを記憶するようなメモリ３０４をさらに備える。メモリ３０４は、ランダムアクセスメモリ（ＲＡＭ）や、リードオンリーメモリ（ＲＯＭ）や、テープや、磁気ディスクや、光ディスクや、揮発メモリや、不揮発メモリや、これらを任意に組み合わせたもののような、コンピュータによって使用可能な何らかのタイプのメモリを含むことができる。
【０１７２】
さらに、コンピュータデバイス３００は、通信コンポーネント３０６を備え、通信コンポーネント３０６は、１つ以上のここで記述したような、ハードウェアや、ソフトウェアや、サービスを利用している１人以上の当事者との通信を確立および維持を行う。通信コンポーネント３０６は、コンピュータデバイス３００上のコンポーネント間通信とともに、コンピュータデバイス３００と外部デバイスとの間の通信を伝送してもよい。例えば、外部デバイスには、通信ネットワークにわたって位置付けられているデバイス、および／または、コンピュータデバイス３００にシリアルにまたはローカルに接続されているデバイスのようなものがある。例えば、通信コンポーネント３０６は、１つ以上のバスを備えていてもよく、そして、外部デバイスとインターフェースするために動作可能な、それぞれ、送信機および受信機に関係する、送信チェーンコンポーネントおよび受信チェーンコンポーネントをさらに備えていてもよい。さらに、例えば、ＡＴ１２に関しては、通信コンポーネント３０６は、通信モジュール７２（図２）を備えていてもよい。
【０１７３】
加えて、コンピュータデバイス３００は、データ記憶３０８をさらに備えていてもよく、データ記憶３０８は、メモリの任意の適した組み合わせとすることができ、ここで記述した態様に関連して用いる、情報や、データベースや、プログラムのマス記憶を提供する。例えば、データ記憶３０８は、プロセッサ３０２によって現在実行されていないアプリケーションに対するデータリポジトリであってもよい。
【０１７４】
加えて、コンピュータデバイス３００は、コンピュータデバイス３００のユーザからの入力を受け取るように動作可能であり、そしてユーザへの提示のための出力を発生させるようにさらに動作可能なユーザインターフェースコンポーネント３１０を備えていてもよい。ユーザインターフェースコンポーネント３１０は、これらのものに限定されないが、キーボード、数字パッド、マウス、タッチ感応型ディスプレイ、ナビゲーションキー、機能キー、マイクロフォン、音声認識コンポーネント、ユーザからの入力を受け取ることができる他の何らかのメカニズム、または、これらを任意に組み合わせたものを含む、１つ以上の入力デバイスを備えていてもよい。さらに、ユーザインターフェースコンポーネント３１０は、これらのものに限定されないが、ディスプレイ、スピーカ、触覚フィードバックメカニズム、プリンタ、ユーザへの出力を提示することができる他の何らかのメカニズム、または、これらを任意に組み合わせたものを含む、１つ以上の出力デバイスを備えていてもよい。
【０１７５】
本出願において使用されているような、「コンポーネント」、「モジュール」、「システム」という用語や、これらに類するものは、コンピュータ関連エンティティを含むことを意図しており、コンピュータ関連エンティティは、これらのものに限定されないが、例えば、ハードウェア、ファームウェア、ハードウェアおよびソフトウェアを組み合わせたもの、ソフトウェア、または実行中のソフトウェアといったものがある。例えば、コンポーネントは、プロセッサ上で実行しているプロセスや、プロセッサや、オブジェクトや、実行可能ファイルや、実行のスレッドや、プログラムや、および／またはコンピュータであってもよいが、これらのものに限定されない。例示によると、コンピューティングデバイス上で実行しているアプリケーションおよびコンピューティングデバイスの双方とも、コンポーネントとすることができる。１つ以上のコンポーネントは、実行のプロセスおよび／またはスレッド内に存在することができ、コンポーネントは、１つのコンピュータ上で局所化および／または２つ以上のコンピュータ間で分散されてもよい。さらに、これらのコンポーネントは、その上に記憶されたさまざまなデータ構造を有するさまざまなコンピュータ読み取り可能媒体から実行することができる。コンポーネントは、ローカルシステム中の、分散システム中の別のコンポーネントと対話する１つのコンポーネントからのデータ、および／または、インターネットのようなネットワークを通して信号により他のシステムと対話する１つのコンポーネントからのデータといった、１つ以上のデータパケットを有する信号にしたがうような、ローカルおよび／または遠隔のプロセスによって通信してもよい。
【０１７６】
さらに、端末に関連してさまざまな態様をここで記述し、端末は、ワイヤード端末またはワイヤレス端末とすることができる。また、端末を、システム、デバイス、加入者ユニット、加入者局、移動局、移動体、移動体デバイス、遠隔局、遠隔端末、アクセス端末、ユーザ端末、端末、通信デバイス、ユーザエージェント、ユーザデバイス、またはユーザ機器（ＵＥ）とも呼ぶことがある。ワイヤレス端末は、セルラ電話機、衛星電話機、コードレス電話機、セッション開始プロトコル（ＳＩＰ）電話機、ワイヤレスローカルループ（ＷＬＬ）局、パーソナルデジタルアシスタント（ＰＤＡ）、ワイヤレス接続能力を有するハンドヘルドデバイス、コンピューティングデバイスまたはワイヤレスモデムに接続されている他の処理デバイスであってもよい。さらに、ここでは、基地局に関連してさまざまな態様を記述した。基地局は、ワイヤレス端末と通信するために利用され、ノードＢとも呼ばれることもあり、または、他の何らかの専門用語で呼ばれることもある。
【０１７７】
さらに、「または」という用語は、排他的な「または」というよりむしろ、包含的な「または」を意味することを意図している。すなわち、特定の明記がない限り、または、文脈から明らかでない限り、「ＸがＡまたはＢを用いる」というフレーズは、自然な包含的順列のうちのいずれかを意味することを意図している。すなわち、「ＸがＡまたはＢを用いる」というフレーズは、下記の例：ＸがＡを用いる；ＸがＢを用いる；または、ＸがＡおよびＢの双方を用いる、のうちのいずれのものによって適合される。さらに、本願明細書および添付した特許請求の範囲で使用している冠詞「ａ」および「ａｎ」は、特定の明記がない限り、または、単数形を意図する文脈から明らかでない限り、一般的に、「１つ以上」を意味すると解釈すべきである。
【０１７８】
ＣＤＭＡや、ＴＤＭＡや、ＦＤＭＡや、ＯＦＤＭＡや、ＳＣ−ＦＤＭＡや、他のシステムのような、さまざまなワイヤレス通信システムに対して、ここで記述した技術を使用してもよい。「システム」および「ネットワーク」という用語は、互換性があるように使用することが多い。ＣＤＭＡシステムは、ユニバーサル地上無線アクセス（ＵＴＲＡ）、ｃｄｍａ２０００等のような無線技術を実現してもよい。ＵＴＲＡは、広帯域ＣＤＭＡ（Ｗ−ＣＤＭＡ）やＣＤＭＡの他の変形を含んでいる。さらに、ｃｄｍａ２０００は、ＩＳ−２０００、ＩＳ−９５、およびＩＳ−８５６標準規格をカバーしている。ＴＤＭＡシステムは、グローバルシステムフォーモバイル通信（ＧＳＭ（登録商標））のような無線技術を実現してもよい。ＯＦＤＭＡシステムは、進化したＵＴＲＡ（Ｅ−ＵＴＲＡ）や、ウルトラモバイルブロードバンド（ＵＭＢ）や、ＩＥＥＥ８０２．１１（Ｗｉ−Ｆｉ（登録商標））や、ＩＥＥＥ８０２．１６（ＷｉＭＡＸ）や、ＩＥＥＥ８０２．２０や、フラッシュ−ＯＦＤＭ等のような無線技術を実現してもよい。ＵＴＲＡおよびＥ−ＵＴＲＡは、ユニバーサル移動体電気通信システム（ＵＭＴＳ）の一部である。３ＧＰＰロングタームエボリューション（ＬＴＥ）は、Ｅ−ＵＴＲＡを使用するＵＭＴＳのリリースであり、ダウンリンク上ではＯＦＤＭＡを用い、アップリンク上ではＳＣ−ＦＤＭＡを用いる。ＵＴＲＡや、Ｅ−ＵＴＲＡや、ＵＭＴＳや、ＬＴＥや、ＧＳＭは、「第３世代パートナーシッププロジェクト」（３ＧＰＰ）と名付けられている機関による文書中に記述されている。加えて、ｃｄｍａ２０００およびＵＭＢは、「第３世代パートナーシッププロジェクト２」（３ＧＰＰ２）と名付けられている機関による文書中に記述されている。さらに、このようなワイヤレス通信システムは、付加的に、ピアツーピア（例えば、移動体間）アドホックネットワークシステムを含んでいてもよく、ピアツーピア（例えば、移動体間）アドホックネットワークシステムは、対でない無認可のスペクトル、８０２．ｘｘワイヤレスＬＡＮ、ブルートゥース（登録商標）、および他の何らかの短距離または長距離のワイヤレス通信技術を使用することが多い。
【０１７９】
多数のデバイス、コンポーネント、モジュール、およびこれらに類するものを備えていてもよいシステムの観点から、さまざまな態様または特徴をここで記述する。さまざまなシステムが付加的なデバイス、コンポーネント、モジュール等を備えていてもよく、および／または、図面に関連して説明したデバイス、コンポーネント、モジュール等のすべてを備えていなくてもよいことを理解および正しく認識すべきである。これらのアプローチを組み合わせたものも使用してもよい。
【０１８０】
ここに開示した実施形態に関連して記述した、さまざまな例示的な論理、論理的ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、ディスクリートゲートまたはトランジスタ論理、ディスクリートハードウェアコンポーネント、あるいは、ここに記述した機能を行うように設計されたこれらの任意のものを組み合わせたもので、実現されるか、あるいは実行されてもよい。汎用プロセッサはマイクロプロセッサであってもよいが、代替実施形態では、プロセッサは、何らかの従来のプロセッサ、制御装置、マイクロ制御装置、または状態機械であってもよい。プロセッサはまた、コンピューティングデバイスを組み合わせたものとして、例えば、ＤＳＰとマイクロプロセッサを組み合わせたものとして、複数のマイクロプロセッサとして、ＤＳＰコアと併用した１つ以上のマイクロプロセッサとして、あるいは、このような構成の他の何らかのものとして実現してもよい。さらに、少なくとも１つのプロセッサは、上述したステップおよび／またはアクションのうちの１つ以上を実行するように動作可能な１つ以上のモジュールを備えていてもよい。
【０１８１】
さらに、ここに開示した態様と関連して記述した方法またはアルゴリズムのステップおよび／またはアクションは、直接、ハードウェアで、プロセッサにより実行されるソフトウェアモジュールで、あるいは、２つのものを組み合わせたもので具体化されてもよい。ソフトウェアモジュールは、ＲＡＭメモリ、フラシュメモリ、ＲＯＭメモリ、ＥＰＲＯＭメモリ、ＥＥＰＲＯＭメモリ、レジスタ、ハードディスク、リムーブバルディスク、ＣＤ−ＲＯＭ、あるいは技術的に知られている他の何らかの形態の記憶媒体中に存在していてもよい。例示的な記憶媒体は、プロセッサが記憶媒体から情報を読み取り、記憶媒体に情報を書き込むことができるようにプロセッサに結合されていてもよい。代替実施形態では、記憶媒体はプロセッサと一体化されてもよい。さらに、いくつかの態様では、プロセッサおよび記憶媒体は、ＡＳＩＣ中に存在していてもよい。付加的に、ＡＳＩＣは、ユーザ端末中に存在していてもよい。代替実施形態では、プロセッサおよび記憶媒体は、ユーザ端末において、ディスクリートコンポーネントとして存在していてもよい。付加的に、いくつかの態様では、方法またはアルゴリズムのステップおよび／またはアクションは、機械読み取り可能媒体上ならびに／あるいはコンピュータ読み取り可能媒体またはコンピュータ読み取り可能記憶媒体上の、コードおよび／または命令のうちの１つ、あるいは、これらのものを任意に組み合わせたものまたは組として存在していてもよく、これらの媒体は、コンピュータプログラムプロダクトに組み込まれていてもよい。
【０１８２】
１つ以上の態様では、記述した機能は、ハードウェア、ソフトウェア、ファームウェア、または、これらのものを任意に組み合わせたもので実現してもよい。ソフトウェアで実現される場合、機能は、コンピュータ読み取り可能媒体上で１つ以上の命令またはコードとして記憶または送信されてもよい。コンピュータ読み取り可能媒体は、１つの場所から別の場所へのコンピュータプログラムの転送を促進する何らかの媒体を含む通信媒体とコンピュータ記憶媒体との双方を含む。記憶媒体は、コンピュータによってアクセスできる任意の利用可能な媒体であってもよい。一例として、このようなコンピュータ読み取り可能媒体は、ＲＡＭ、ＲＯＭ、ＥＥＰＲＯＭ、ＣＤ−ＲＯＭ、あるいは、他の光ディスク記憶装置、磁気ディスク記憶装置、あるいは、他の磁気記憶デバイス、あるいは、命令またはデータ構造の形態で、所望のプログラムコードを伝送または記憶するために使用でき、コンピュータによってアクセスできる他の何らかの媒体を含むことができるが、これらのものに限定されない。また、あらゆる接続を、コンピュータ読み取り可能媒体と呼ぶことがある。例えば、同軸ケーブル、光ファイバケーブル、撚り対、デジタル加入者回線（ＤＳＬ）、または、赤外線、無線、およびマイクロ波のようなワイヤレス技術を使用して、ソフトウェアが、ウェブサイト、サーバ、または他の遠隔ソースから送信された場合に、同軸ケーブル、光ファイバケーブル、撚り対、ＤＳＬ、または赤外線、無線、マイクロ波のようなワイヤレス技術は、媒体の定義に含まれる。ここで使用したディスク（ｄｉｓｋおよびｄｉｓｃ）は、コンパクトディスク（ＣＤ）、レーザディスク（登録商標）、光ディスク、デジタル多用途ディスク（ＤＶＤ）、フロッピー（登録商標）ディスクおよびブルーレイ（登録商標）ディスクを含み、ここでは、ディスク（ｄｉｓｋ）は、通常、データを磁気的に再生する一方で、ディスク（ｄｉｓｃ）は、通常、レーザによって光学的にデータを再生する。上記の組み合わせもまた、コンピュータ読み取り可能媒体の範囲内に含められるべきである。
【０１８３】
先述した開示は、例示的な態様および／または実施形態を説明しているが、特許請求の範囲によって規定したような、記述した態様および／または実施形態の範囲から逸脱することなく、ここで、さまざまな変更および改良を行うことができることに留意すべきである。さらに、記述した態様および／または実施形態のエレメントを単数で記述または主張されていてもよいが、単数形への限定が明示的に述べられていない限り、複数が意図されている。加えて、任意の態様および／または実施形態のすべて、あるいは、任意の態様および／または実施形態の一部は、特に明記がない限り、他の何らかの態様および／または実施形態のすべて、あるいは、他の何らかの態様および／または実施形態の一部により利用されてもよい。
【図１】
2014039271.tif 000003
【図２】
2014039271.tif 000004
【図３】
2014039271.tif 000005
【図４】
2014039271.tif 000006
【図５】
2014039271.tif 000007
【図６】
2014039271.tif 000008
【図７】
2014039271.tif 000009
【図８】
2014039271.tif 000010
【図９】
2014039271.tif 000011
【図１０】
2014039271.tif 000012
【図１１】
2014039271.tif 000013
【図１２】
2014039271.tif 000014
【図１３】
2014039271.tif 000015
【図１４】
2014039271.tif 000016
【図１５】
2014039271.tif 000017
【図１６】
2014039271.tif 000018
【図１７】
2014039271.tif 000019
【図１８】
2014039271.tif 000020
【図１９】
2014039271.tif 000021
【図２０】
2014039271.tif 000022
【図２１】
2014039271.tif 000023
【図２２】
2014039271.tif 000024
【図２３】
2014039271.tif 000025
【図２４】
2014039271.tif 000026
【図２５】
2014039271.tif 000027
【図２６】
2014039271.tif 000028
【図２７】
2014039271.tif 000029
【図２８】
2014039271.tif 000030
【図２９】
2014039271.tif 000031
【図３０】
2014039271.tif 000032
【図３１】
2014039271.tif 000033
【手続補正書】
【提出日】平成25年10月7日(2013.10.7)
【手続補正１】
【補正対象書類名】特許請求の範囲
【補正対象項目名】全文
【補正方法】変更
【補正の内容】
【特許請求の範囲】
【請求項１】
通信コールのハンドオフを実行する方法において、
ライセンスされている周波数上で動作している第１の基地局において、ワイヤレスアクセス端末の通信コールのハンドオフを実行する必要性の通知を受信することと、
前記ワイヤレスアクセス端末のロケーションを取得することと、
ライセンスされていない周波数スペクトル中で動作し、前記ワイヤレスアクセス端末のロケーションに対応するサービスエリアを持っている何らかの基地局を識別することと、
前記識別に基づいて、前記通信コールをハンドオフする際に使用するターゲット基地局に対する識別情報を前記ワイヤレスアクセス端末に対して提供することとを含み、
前記通信コールは、第１のライセンスされていない周波数上でのものであり、第２の基地局によってサービス提供される方法。
【請求項２】
前記識別情報を提供することは、ホワイトスペース情報を取得することと、前記ワイヤレスアクセス端末のロケーションを、前記ホワイトスペース情報と相関付けることをさらに含む請求項１記載の方法。
【請求項３】
前記ターゲット基地局は、前記ライセンスされていない周波数スペクトル中で動作し、前記ワイヤレスアクセス端末のロケーションに対応するサービスエリアを持っている第３の基地局を含み、
前記第１の基地局を通して、前記第２の基地局から前記第３の基地局にトンネルを確立することと、
前記トンネルを通して、前記第２の基地局から前記第３の基地局に、前記通信コールに対応している通信をトンネルすることとをさらに含む請求項１記載の方法。
【請求項４】
前記提供することは、ライセンスされていない周波数スペクトル中で動作し、前記ワイヤレスアクセス端末のロケーションに対応するサービスエリアを持っている基地局が識別されなかった場合に、前記第１の基地局に対応する識別情報を提供することと、前記通信コールのハンドオフを受信することとを含む請求項１記載の方法。
【請求項５】
ライセンスされていない周波数スペクトル中で動作し、前記ワイヤレスアクセス端末のロケーションに対応するサービスエリアを持っている識別された基地局に、前記第１の基地局から前記通信コールをハンドオフすることをさらに含む請求項４記載の方法。
【請求項６】
前記通知を受信することは、前記ワイヤレスアクセス端末または前記第２の基地局によって行われた決定に基づいて受信することをさらに含む請求項１記載の方法。
【請求項７】
前記提供することは、識別された基地局に対応するサービス情報にさらに基づいて、前記識別された基地局を選択することをさらに含む請求項１記載の方法。
【請求項８】
前記選択することは、通信リンク品質またはサービスのコストのうちの少なくとも１つに基づいて選択することをさらに含む請求項７記載の方法。
【請求項９】
前記第１のライセンスされていない周波数上での前記通信コールが、前記第２の基地局のセクタの第１のセクタに対応し、前記第２の基地局は、前記第１のライセンスされていない周波数とは異なる第２のライセンスされていない周波数上で動作する第２のセクタをさらに含み、
前記方法は、アクセス端末に特有な互換性または非互換性のライセンスされていない周波数情報を取得することをさらに含み、
前記識別することは、前記アクセス端末に特有な互換性または非互換性のライセンスされていない周波数情報にしたがって、前記第２のライセンスされていない周波数が前記アクセス端末と互換性がある場合に、前記第２のセクタの前記第２のライセンスされていない周波数を識別することをさらに含む請求項１記載の方法。
【請求項１０】
前記通信コールは、複数の通信サービスタイプを含み、
前記方法は、前記ライセンスされている周波数上で動作する前記第１の基地局と、少なくとも１つの利用可能なライセンスされていない周波数上で動作する前記第２の基地局との間で使用するために、前記複数の通信サービスタイプをパーティションすることをさらに含み、
前記ターゲット基地局に対する前記識別情報の提供は、前記複数の通信サービスタイプのパーティションを識別する請求項１記載の方法。
【請求項１１】
通信コールのハンドオフを実行するように構成されている少なくとも１つのプロセッサにおいて、
ライセンスされている周波数上で動作している第１の基地局において、ワイヤレスアクセス端末の通信コールのハンドオフを実行する必要性の通知を受信する第１のモジュールと、
前記ワイヤレスアクセス端末のロケーションを取得する第２のモジュールと、
ライセンスされていない周波数スペクトル中で動作し、前記ワイヤレスアクセス端末のロケーションに対応するサービスエリアを持っている何らかの基地局を識別する第３のモジュールと、
前記識別に基づいて、前記通信コールをハンドオフする際に使用するターゲット基地局に対する識別情報を前記ワイヤレスアクセス端末に対して提供する第４のモジュールとを具備し、
前記通信コールは、第１のライセンスされていない周波数上でのものであり、第２の基地局によってサービス提供される少なくとも１つのプロセッサ。
【請求項１２】
通信コールのハンドオフを実行するように構成されているコンピュータ読み取り可能記憶媒体において、
ライセンスされている周波数上で動作している第１の基地局において、ワイヤレスアクセス端末の通信コールのハンドオフを実行する必要性の通知をコンピュータに受信させるように動作可能な少なくとも１つの命令と、
前記ワイヤレスアクセス端末のロケーションを前記コンピュータに取得させるように動作可能な少なくとも１つの命令と、
ライセンスされていない周波数スペクトル中で動作し、前記ワイヤレスアクセス端末のロケーションに対応するサービスエリアを持っている何らかの基地局を前記コンピュータに識別させるように動作可能な少なくとも１つの命令と、
前記識別に基づいて、前記通信コールをハンドオフする際に使用するターゲット基地局に対する識別情報を前記ワイヤレスアクセス端末に対して前記コンピュータに提供させるように動作可能な少なくとも１つの命令とを含み、
前記通信コールは、第１のライセンスされていない周波数上でのものであり、第２の基地局によってサービス提供されるコンピュータ読み取り可能記憶媒体。
【請求項１３】
通信コールのハンドオフを実行するように構成されている装置において、
ライセンスされている周波数上で動作している第１の基地局において、ワイヤレスアクセス端末の通信コールのハンドオフを実行する必要性の通知を受信する手段と、
前記ワイヤレスアクセス端末のロケーションを取得する手段と、
ライセンスされていない周波数スペクトル中で動作し、前記ワイヤレスアクセス端末のロケーションに対応するサービスエリアを持っている何らかの基地局を識別する手段と、
前記識別に基づいて、前記通信コールをハンドオフする際に使用するターゲット基地局に対する識別情報を前記ワイヤレスアクセス端末に対して提供する手段とを具備し、
前記通信コールは、第１のライセンスされていない周波数上でのものであり、第２の基地局によってサービス提供される装置。
【請求項１４】
基地局において、
ライセンスされている周波数上で動作している第１の基地局において、ワイヤレスアクセス端末の通信コールのハンドオフを実行する必要性の通知を受信するようにと、
前記ワイヤレスアクセス端末のロケーションを取得するようにと、
ライセンスされていない周波数スペクトル中で動作し、前記ワイヤレスアクセス端末のロケーションに対応するサービスエリアを持っている何らかの基地局を識別するようにと、
前記識別に基づいて、前記通信コールをハンドオフする際に使用するターゲット基地局に対する識別情報を前記ワイヤレスアクセス端末に対して提供するように構成されているプロセッサを具備し、
前記通信コールは、第１のライセンスされていない周波数上でのものであり、第２の基地局によってサービス提供される基地局。
【請求項１５】
ホワイトスペース情報を取得する方法において、
第１のインフラストラクチャ階層レベルに位置付けられている第１のネットワークインフラストラクチャデバイスにおいて、前記ホワイトスペース情報の第１のバージョンをキャッシュすることと、
前記ホワイトスペース情報の前記第１のバージョンに対応する無効化メッセージを受信することと、
前記無効化メッセージに基づいて、前記キャッシュしたホワイトスペース情報の前記第１のバージョンを無効化することと、
インフラストラクチャ更新プロトコルに基づいて、前記ネットワークインフラストラクチャデバイスにおいて、前記ホワイトスペース情報の更新された第２のバージョンを取得することと、
前記インフラストラクチャ更新プロトコルにしたがって、前記ホワイトスペース情報の前記更新された第２のバージョンを、第２のインフラストラクチャ階層レベルに位置付けられている第２のネットワークインフラストラクチャデバイスに対して報知することとを含む方法。
【請求項１６】
前記第１のネットワークインフラストラクチャデバイスおよび前記第２のネットワークインフラストラクチャデバイスは、非ホワイトスペースインフラストラクチャデバイスを含む請求項１５記載の方法。
【請求項１７】
前記第１のネットワークインフラストラクチャデバイスおよび前記第２のネットワークインフラストラクチャデバイスは、ホワイトスペースインフラストラクチャデバイスを含む請求項１５記載の方法。
【請求項１８】
前記第２のネットワークインフラストラクチャデバイスは、基地局を含み、前記第１のネットワークインフラストラクチャデバイスは、前記第２のネットワークインフラストラクチャデバイスよりも、前記キャッシュしたホワイトスペース情報に階層的に、より近いコンポーネントを含む請求項１５記載の方法。
【請求項１９】
前記無効化メッセージを受信することは、ホワイトスペース情報サーバが更新されたホワイトスペース情報を受信することによってトリガされる請求項１５記載の方法。
【請求項２０】
ホワイトスペース情報を取得するように構成されている少なくとも１つのプロセッサにおいて、
第１のインフラストラクチャ階層レベルに位置付けられている第１のネットワークインフラストラクチャデバイスにおいて、前記ホワイトスペース情報の第１のバージョンをキャッシュする第１のモジュールと、
前記ホワイトスペース情報の前記第１のバージョンに対応する無効化メッセージを受信する第２のモジュールと、
前記無効化メッセージに基づいて、前記キャッシュしたホワイトスペース情報の前記第１のバージョンを無効化する第３のモジュールと、
インフラストラクチャ更新プロトコルに基づいて、前記ネットワークインフラストラクチャデバイスにおいて、前記ホワイトスペース情報の更新された第２のバージョンを取得する第４のモジュールと、
前記インフラストラクチャ更新プロトコルにしたがって、前記ホワイトスペース情報の前記更新された第２のバージョンを、第２のインフラストラクチャ階層レベルに位置付けられている第２のネットワークインフラストラクチャデバイスに対して報知する第５のモジュールとを具備する少なくとも１つのプロセッサ。
【請求項２１】
ホワイトスペース情報を取得するように構成されているコンピュータ読み取り可能記憶媒体において、
第１のインフラストラクチャ階層レベルに位置付けられている第１のネットワークインフラストラクチャデバイスにおいて、前記ホワイトスペース情報の第１のバージョンをコンピュータにキャッシュさせるように動作可能な少なくとも１つの命令と、
前記ホワイトスペース情報の前記第１のバージョンに対応する無効化メッセージを前記コンピュータに受信させるように動作可能な少なくとも１つの命令と、
前記無効化メッセージに基づいて、前記キャッシュしたホワイトスペース情報の前記第１のバージョンを前記コンピュータに無効化させるように動作可能な少なくとも１つの命令と、
インフラストラクチャ更新プロトコルに基づいて、前記ネットワークインフラストラクチャデバイスにおいて、前記ホワイトスペース情報の更新された第２のバージョンを前記コンピュータに取得させるように動作可能な少なくとも１つの命令と、
前記インフラストラクチャ更新プロトコルにしたがって、前記ホワイトスペース情報の前記更新された第２のバージョンを、第２のインフラストラクチャ階層レベルに位置付けられている第２のネットワークインフラストラクチャデバイスに対して前記コンピュータに報知させるように動作可能な少なくとも１つの命令とを含むコンピュータ読み取り可能記憶媒体。
【請求項２２】
ホワイトスペース情報を取得する装置において、
第１のインフラストラクチャ階層レベルに位置付けられている第１のネットワークインフラストラクチャデバイスにおいて、前記ホワイトスペース情報の第１のバージョンをキャッシュする手段と、
前記ホワイトスペース情報の前記第１のバージョンに対応する無効化メッセージを受信する手段と、
前記無効化メッセージに基づいて、前記キャッシュしたホワイトスペース情報の前記第１のバージョンを無効化する手段と、
インフラストラクチャ更新プロトコルに基づいて、前記ネットワークインフラストラクチャデバイスにおいて、前記ホワイトスペース情報の更新された第２のバージョンを取得する手段と、
前記インフラストラクチャ更新プロトコルにしたがって、前記ホワイトスペース情報の前記更新された第２のバージョンを、第２のインフラストラクチャ階層レベルに位置付けられている第２のネットワークインフラストラクチャデバイスに対して報知する手段とを具備する装置。
【請求項２３】
コンピュータデバイスにおいて、
第１のインフラストラクチャ階層レベルに位置付けられている第１のネットワークインフラストラクチャデバイスにおいて、ホワイトスペース情報の第１のバージョンをキャッシュするようにと、
前記ホワイトスペース情報の前記第１のバージョンに対応する無効化メッセージを受信するようにと、
前記無効化メッセージに基づいて、前記キャッシュしたホワイトスペース情報の前記第１のバージョンを無効化するようにと、
インフラストラクチャ更新プロトコルに基づいて、前記ネットワークインフラストラクチャデバイスにおいて、前記ホワイトスペース情報の更新された第２のバージョンを取得するようにと、
前記インフラストラクチャ更新プロトコルにしたがって、前記ホワイトスペース情報の前記更新された第２のバージョンを、第２のインフラストラクチャ階層レベルに位置付けられている第２のネットワークインフラストラクチャデバイスに対して報知するように構成されているプロセッサを具備するコンピュータデバイス。
【請求項２４】
ピアツーピア（Ｐ２Ｐ）通信の方法において、
ライセンスされている周波数上で動作している第１の基地局において、ライセンスされていない周波数スペクトルにおける通信セッションに対する通信要求を受信することと、
第１のロケーション情報と第２のロケーション情報とに対応する１つ以上の利用可能なライセンスされていない周波数を送信することと、
前記利用可能なライセンスされていない周波数のそれぞれに対する干渉レベルを受信することと、
ピアツーピア（Ｐ２Ｐ）通信を確立するために、前記利用可能なライセンスされていない周波数のそれぞれの決定された干渉レベルに基づいて、前記１つ以上の利用可能なライセンスされていない周波数を識別することとを含み、
前記通信要求は、前記第１のロケーション情報を持つ第１のワイヤレス通信デバイスに対応し、前記通信要求は、前記第２のロケーション情報を持つ第２のワイヤレス通信デバイスを、前記通信セッションに対する宛先として識別する方法。
【請求項２５】
前記Ｐ２Ｐ通信を確立する、前記１つ以上の利用可能なライセンスされていない周波数のうちの１つに対する訂正された干渉レベルに基づいて、前記１つ以上の利用可能なライセンスされていない周波数のうちの別のものへの前記Ｐ２Ｐ通信の切り替えを指示することをさらに含む請求項２４記載の方法。
【請求項２６】
前記Ｐ２Ｐ通信を確立する、前記１つ以上の利用可能なライセンスされていない周波数のうちの１つ上で、訂正された干渉レベルを受信することをさらに含む請求項２４記載の方法。
【請求項２７】
好ましい利用可能なライセンスされていない周波数を受信することをさらに含み、
前記１つ以上の利用可能なライセンスされていない周波数の識別は、ピアツーピア（Ｐ２Ｐ）通信を確立するために、前記好ましい利用可能なライセンスされていない周波数を識別することをさらに含む請求項２４記載の方法。
【請求項２８】
ピアツーピア（Ｐ２Ｐ）通信のために構成されている少なくとも１つのプロセッサにおいて、
ライセンスされている周波数上で動作している第１の基地局において、ライセンスされていない周波数スペクトルにおける通信セッションに対する通信要求を受信する第１のモジュールと、
第１のロケーション情報と第２のロケーション情報とに対応する１つ以上の利用可能なライセンスされていない周波数を送信する第２のモジュールと、
前記利用可能なライセンスされていない周波数のそれぞれに対する干渉レベルを受信する第３のモジュールと、
ピアツーピア（Ｐ２Ｐ）通信を確立するために、前記利用可能なライセンスされていない周波数のそれぞれの決定された干渉レベルに基づいて、前記１つ以上の利用可能なライセンスされていない周波数のうちの１つを識別する第４のモジュールとを具備し、
前記通信要求は、前記第１のロケーション情報を持つ第１のワイヤレス通信デバイスに対応し、前記通信要求は、前記第２のロケーション情報を持つ第２のワイヤレス通信デバイスを、前記通信セッションに対する宛先として識別する少なくとも１つのプロセッサ。
【請求項２９】
ピアツーピア（Ｐ２Ｐ）通信のために構成されているコンピュータ読み取り可能記憶媒体において、
ライセンスされている周波数上で動作している第１の基地局において、ライセンスされていない周波数スペクトルにおける通信セッションに対する通信要求をコンピュータに受信させるように動作可能な少なくとも１つの命令と、
第１のロケーション情報と第２のロケーション情報とに対応する１つ以上の利用可能なライセンスされていない周波数を前記コンピュータに送信させるように動作可能な少なくとも１つの命令と、
前記利用可能なライセンスされていない周波数のそれぞれに対する干渉レベルを前記コンピュータに受信させるように動作可能な少なくとも１つの命令と、
ピアツーピア（Ｐ２Ｐ）通信を確立するために、前記利用可能なライセンスされていない周波数のそれぞれの決定された干渉レベルに基づいて、前記１つ以上の利用可能なライセンスされていない周波数のうちの１つを前記コンピュータに識別させるように動作可能な少なくとも１つの命令とを含み、
前記通信要求は、前記第１のロケーション情報を持つ第１のワイヤレス通信デバイスに対応し、前記通信要求は、前記第２のロケーション情報を持つ第２のワイヤレス通信デバイスを、前記通信セッションに対する宛先として識別するコンピュータ読み取り可能記憶媒体。
【請求項３０】
ピアツーピア（Ｐ２Ｐ）通信のための装置において、
ライセンスされている周波数上で動作している第１の基地局への、ライセンスされていない周波数スペクトルにおける通信セッションに対する通信要求を受信する手段と、
第１のロケーション情報と第２のロケーション情報とに対応する１つ以上の利用可能なライセンスされていない周波数を送信する手段と、
前記利用可能なライセンスされていない周波数のそれぞれに対する干渉レベルを受信する手段と、
ピアツーピア（Ｐ２Ｐ）通信を確立するために、前記利用可能なライセンスされていない周波数のそれぞれの決定された干渉レベルに基づいて、前記１つ以上の利用可能なライセンスされていない周波数のうちの１つを識別する手段とを具備し、
前記通信要求は、前記第１のロケーション情報を持つ第１のワイヤレス通信デバイスに対応し、前記通信要求は、前記第２のロケーション情報を持つ第２のワイヤレス通信デバイスを、前記通信セッションに対する宛先として識別する装置。
【請求項３１】
基地局において、
ライセンスされている周波数上で動作している第１の基地局において、ライセンスされていない周波数スペクトルにおける通信セッションに対する通信要求を受信するようにと、
第１のロケーション情報と第２のロケーション情報とに対応する１つ以上の利用可能なライセンスされていない周波数を送信するようにと、
前記利用可能なライセンスされていない周波数のそれぞれに対する干渉レベルを受信するようにと、
ピアツーピア（Ｐ２Ｐ）通信を確立するために、前記利用可能なライセンスされていない周波数のそれぞれの決定された干渉レベルに基づいて、前記１つ以上の利用可能なライセンスされていない周波数のうちの１つを識別するように構成されているプロセッサを具備し、
前記通信要求は、前記第１のロケーション情報を持つ第１のワイヤレス通信デバイスに対応し、前記通信要求は、前記第２のロケーション情報を持つ第２のワイヤレス通信デバイスを、前記通信セッションに対する宛先として識別する基地局。
【請求項３２】
現場に特有な情報を受信する方法において、
アクセス端末において、ライセンスされている周波数上で動作している第１の基地局から、ライセンスされていないスペクトル中で動作している第２の基地局に対するブロードキャストチャネル情報を取得することと、
前記ブロードキャストチャネル情報に基づいて、前記第２の基地局のブロードキャストチャネルに同調することと、
前記ブロードキャストチャネル上で、現場特有メッセージを受信することと、
前記現場特有メッセージを記憶または提示することとを含む方法。
【請求項３３】
前記現場特有メッセージの適用可能性のレベルを決定することと、
前記適用可能性のレベルに基づいて、前記現場特有メッセージを削除することとをさらに含む請求項３２記載の方法。
【請求項３４】
現場に特有な情報を受信する少なくとも１つのプロセッサにおいて、
アクセス端末において、ライセンスされている周波数上で動作している第１の基地局から、ライセンスされていないスペクトル中で動作している第２の基地局に対するブロードキャストチャネル情報を取得する第１のモジュールと、
前記ブロードキャストチャネル情報に基づいて、前記第２の基地局のブロードキャストチャネルに同調する第２のモジュールと、
前記ブロードキャストチャネル上で、現場特有メッセージを受信する第３のモジュールと、
前記現場特有メッセージを記憶または提示する第４のモジュールとを具備する少なくとも１つのプロセッサ。
【請求項３５】
現場に特有な情報を受信するためのコンピュータ読み取り可能記憶媒体において、
ライセンスされている周波数上で動作している第１の基地局から、ライセンスされていないスペクトル中で動作している第２の基地局に対するブロードキャストチャネル情報をコンピュータに取得させるように動作可能な少なくとも１つの命令と、
前記ブロードキャストチャネル情報に基づいて、前記コンピュータに、前記第２の基地局のブロードキャストチャネルに同調させるように動作可能な少なくとも１つの命令と、
前記ブロードキャストチャネル上で、現場特有メッセージを前記コンピュータに受信させるように動作可能な少なくとも１つの命令と、
前記現場特有メッセージを前記コンピュータに記憶または提示させるように動作可能な少なくとも１つの命令とを含むコンピュータ読み取り可能記憶媒体。
【請求項３６】
現場に特有な情報を受信する装置において、
アクセス端末において、ライセンスされている周波数上で動作している第１の基地局から、ライセンスされていないスペクトル中で動作している第２の基地局に対するブロードキャストチャネル情報を取得する手段と、
前記ブロードキャストチャネル情報に基づいて、前記第２の基地局のブロードキャストチャネルに同調する手段と、
前記ブロードキャストチャネル上で、現場特有メッセージを受信する手段と、
前記現場特有メッセージを記憶または提示する手段とを具備する装置。
【請求項３７】
アクセス端末において、
ライセンスされている周波数上で動作している第１の基地局から、ライセンスされていないスペクトル中で動作している第２の基地局に対するブロードキャストチャネル情報を取得するようにと、
前記ブロードキャストチャネル情報に基づいて、前記第２の基地局のブロードキャストチャネルに同調するようにと、
前記ブロードキャストチャネル上で、現場特有メッセージを受信するようにと、
前記現場特有メッセージを記憶または提示するように構成されているプロセッサを具備するアクセス端末。
【手続補正２】
【補正対象書類名】明細書
【補正対象項目名】０１８３
【補正方法】変更
【補正の内容】
【０１８３】
先述した開示は、例示的な態様および／または実施形態を説明しているが、特許請求の範囲によって規定したような、記述した態様および／または実施形態の範囲から逸脱することなく、ここで、さまざまな変更および改良を行うことができることに留意すべきである。さらに、記述した態様および／または実施形態のエレメントを単数で記述または主張されていてもよいが、単数形への限定が明示的に述べられていない限り、複数が意図されている。加えて、任意の態様および／または実施形態のすべて、あるいは、任意の態様および／または実施形態の一部は、特に明記がない限り、他の何らかの態様および／または実施形態のすべて、あるいは、他の何らかの態様および／または実施形態の一部により利用されてもよい。
以下に、本願出願の当初の特許請求の範囲に記載された発明を付記する。
［１］通信サービスを提供する方法において、
第１の基地局において、ライセンスされている周波数上で、ネットワークアクセスに対する通信要求をワイヤレスアクセス端末から受信することと、
前記ワイヤレスアクセス端末のロケーションに対応する、少なくとも１つの利用可能なライセンスされていない周波数を決定することと、
前記少なくとも１つの利用可能なライセンスされていない周波数を介することになる前記ワイヤレスアクセス端末に対して、前記ネットワークアクセスの少なくとも一部分をパーティションすることと、
前記ネットワークアクセスの少なくとも一部分を取得するのに使用する前記少なくとも１つの利用可能なライセンスされていない周波数を前記ワイヤレスアクセス端末に対して報知することとを含む方法。
［２］複数の所望の通信サービスタイプの識別子を受信することと、
前記ライセンスされている周波数と前記少なくとも１つの利用可能なライセンスされていない周波数との間で使用するために、前記複数の所望の通信サービスタイプをパーティションすることと、
前記パーティションに基づいて、前記複数の所望の通信サービスタイプのうちの第１のものとともに使用する前記少なくとも１つの利用可能なライセンスされていない周波数と、前記ライセンスされている周波数とともに使用する前記複数の所望の通信サービスタイプのうちの第２のものとを、前記ワイヤレスアクセス端末に対して報知することとをさらに含む請求項１記載の方法。
［３］前記パーティションすることは、ネットワーク負荷、あるいはワイヤレスアクセス端末に対応するサービスプラン、あるいは前記ネットワーク負荷と組み合わせた、前記ワイヤレスアクセス端末に対応するサービスプラン、あるいは前記ワイヤレスアクセス端末または前記第１の基地局の信号強度、あるいは前記ネットワーク負荷と組み合わせた、前記ワイヤレスアクセス端末の信号強度、あるいは所望のサービス品質および利用可能なサービス品質、のうちの少なくとも１つに基づいている請求項１記載の方法。
［４］前記決定することは、
前記通信要求を受信することに応答して、ＷＳ情報サーバからのＷＳ情報を要求することか、または、
前記ロケーションに対応し、前記利用可能なライセンスされていない周波数上で動作する第２の基地局を決定することのうちの少なくとも１つをさらに含み、
前記報知することは、前記第２の基地局にどのようにコンタクトするかを前記ワイヤレスアクセス端末に伝えることをさらに含む請求項１記載の方法。
［５］異なるサービスに対して、アクティブコールを前記ワイヤレスアクセス端末と確立することをさらに含む請求項１記載の方法。
［６］前記通信要求を受信するより前に、ＷＳ情報サーバからのＷＳ情報を取得することをさらに含む請求項１記載の方法。
［７］前記通信要求を受信することは、前記ワイヤレスアクセス端末上でのロケーション決定モジュールの動作に基づいている前記ワイヤレスアクセス端末のロケーションを受信することをさらに含む請求項１記載の方法。
［８］通信サービスを提供するように構成されている少なくとも１つのプロセッサにおいて、
第１の基地局において、ライセンスされている周波数上で、ネットワークアクセスに対する通信要求をワイヤレスアクセス端末から受信する第１のモジュールと、
前記ワイヤレスアクセス端末のロケーションに対応する、少なくとも１つの利用可能なライセンスされていない周波数を決定する第２のモジュールと、
前記少なくとも１つの利用可能なライセンスされていない周波数を介することになる前記ワイヤレスアクセス端末に対して、前記ネットワークアクセスの少なくとも一部分をパーティションする第３のモジュールと、
前記ネットワークアクセスの少なくとも一部分を取得するのに使用する前記少なくとも１つの利用可能なライセンスされていない周波数を前記ワイヤレスアクセス端末に対して報知する第４のモジュールとを具備する少なくとも１つのプロセッサ。
［９］通信サービスを提供するように構成されているコンピュータプログラムプロダクトにおいて、
第１の基地局において、ライセンスされている周波数上で、ネットワークアクセスに対する通信要求をワイヤレスアクセス端末からコンピュータに受信させるように動作可能な少なくとも１つの命令と、
前記ワイヤレスアクセス端末のロケーションに対応する、少なくとも１つの利用可能なライセンスされていない周波数を前記コンピュータに決定させるように動作可能な少なくとも１つの命令と、
前記少なくとも１つの利用可能なライセンスされていない周波数を介することになる前記ワイヤレスアクセス端末に対して、前記ネットワークアクセスの少なくとも一部分を前記コンピュータにパーティションさせるように動作可能な少なくとも１つの命令と、
前記ネットワークアクセスの少なくとも一部分を取得するのに使用する前記少なくとも１つの利用可能なライセンスされていない周波数を前記ワイヤレスアクセス端末に対して、前記コンピュータに報知させるように動作可能な少なくとも１つの命令とを含むコンピュータ読み取り可能媒体を具備するコンピュータプログラムプロダクト。
［１０］通信サービスを提供する装置において、
第１の基地局において、ライセンスされている周波数上で、ネットワークアクセスに対する通信要求をワイヤレスアクセス端末から受信する手段と、
前記ワイヤレスアクセス端末のロケーションに対応する、少なくとも１つの利用可能なライセンスされていない周波数を決定する手段と、
前記少なくとも１つの利用可能なライセンスされていない周波数を介することになる前記ワイヤレスアクセス端末に対して、前記ネットワークアクセスの少なくとも一部分をパーティションする手段と、
前記ネットワークアクセスの少なくとも一部分を取得するのに使用する前記少なくとも１つの利用可能なライセンスされていない周波数を前記ワイヤレスアクセス端末に対して報知する手段とを具備する装置。
［１１］基地局において、
ライセンスされている周波数上で、ネットワークアクセスに対する通信要求をワイヤレスアクセス端末から受信するようにと、
前記ワイヤレスアクセス端末のロケーションに対応する、少なくとも１つの利用可能なライセンスされていない周波数を決定するようにと、
前記少なくとも１つの利用可能なライセンスされていない周波数を介することになる前記ワイヤレスアクセス端末に対して、前記ネットワークアクセスの少なくとも一部分をパーティションするようにと、
前記ネットワークアクセスの少なくとも一部分を取得するのに使用する前記少なくとも１つの利用可能なライセンスされていない周波数を前記ワイヤレスアクセス端末に対して報知するように構成されているプロセッサを具備する基地局。
［１２］前記プロセッサは、
複数の所望の通信サービスタイプの識別子を受信するようにと、
前記ライセンスされている周波数と前記少なくとも１つの利用可能なライセンスされていない周波数との間で使用するために、前記複数の所望の通信サービスタイプをパーティションするようにと、
前記パーティションに基づいて、前記複数の所望の通信サービスタイプのうちの第１のものとともに使用する前記少なくとも１つの利用可能なライセンスされていない周波数と、前記ライセンスされている周波数とともに使用する前記複数の所望の通信サービスタイプのうちの第２のものとを、前記ワイヤレスアクセス端末に対して報知するようにさらに構成されている請求項１１記載の基地局。
［１３］前記プロセッサは、ネットワーク負荷、あるいはワイヤレスアクセス端末に対応するサービスプラン、あるいは前記ネットワーク負荷と組み合わせた、前記ワイヤレスアクセス端末に対応するサービスプラン、あるいは前記ワイヤレスアクセス端末または前記第１の基地局の信号強度、あるいは前記ネットワーク負荷と組み合わせた、前記ワイヤレスアクセス端末の信号強度、あるいは所望のサービス品質および利用可能なサービス品質、のうちの少なくとも１つに基づいてパーティションするようにさらに構成されている請求項１１記載の基地局。
［１４］前記決定することは、前記プロセッサが、
前記通信要求を受信することに応答して、ＷＳ情報サーバからのＷＳ情報を要求することか、または、
前記ロケーションに対応し、前記利用可能なライセンスされていない周波数上で動作する第２の基地局を決定することのうちの少なくとも１つを実行することをさらに含み、
前記報知することは、前記第２の基地局にどのようにコンタクトするかを前記ワイヤレスアクセス端末に伝えることをさらに含む請求項１１記載の基地局。
［１５］前記プロセッサは、異なるサービスに対して、アクティブコールを前記ワイヤレスアクセス端末と確立するようにさらに構成されている請求項１１記載の基地局。
［１６］前記プロセッサは、前記通信要求を受信するより前に、ＷＳ情報サーバからのＷＳ情報を取得するようにさらに構成されている請求項１１記載の基地局。
［１７］前記通信要求は、前記ワイヤレスアクセス端末上でのロケーション決定モジュールの動作に基づいている前記ワイヤレスアクセス端末のロケーションをさらに含む請求項１１記載の基地局。
［１８］通信コールのハンドオフを実行する方法において、
ライセンスされている周波数上で動作している第１の基地局において、ワイヤレスアクセス端末の通信コールのハンドオフを実行する必要性の通知を受信することと、
前記ワイヤレスアクセス端末のロケーションを取得することと、
ライセンスされていない周波数スペクトル中で動作し、前記ワイヤレスアクセス端末のロケーションに対応するサービスエリアを持っている何らかの基地局を識別することと、
前記識別に基づいて、前記通信コールをハンドオフする際に使用するターゲット基地局に対する識別情報を前記ワイヤレスアクセス端末に対して提供することとを含み、
前記通信コールは、第１のライセンスされていない周波数上でのものであり、第２の基地局によってサービス提供される方法。
［１９］前記識別情報を決定することは、ホワイトスペース情報を取得することと、前記ワイヤレスアクセス端末のロケーションを、前記ホワイトスペース情報と相関付けることをさらに含む請求項１８記載の方法。
［２０］前記ターゲット基地局は、前記ライセンスされていない周波数スペクトル中で動作し、前記ワイヤレスアクセス端末のロケーションに対応するサービスエリアを持っている第３の基地局を含み、
前記第１の基地局を通して、前記第２の基地局から前記ターゲット基地局にトンネルを確立することと、
前記トンネルを通して、前記第２の基地局から前記第３の基地局に、前記通信コールに対応している通信をトンネルすることとをさらに含む請求項１８記載の方法。
［２１］前記提供することは、ライセンスされていない周波数スペクトル中で動作し、前記ワイヤレスアクセス端末のロケーションに対応するサービスエリアを持っている基地局が識別されなかった場合に、前記第１の基地局に対応する識別情報を提供することと、前記通信コールのハンドオフを受信することとを含む請求項１８記載の方法。
［２２］ライセンスされていない周波数スペクトル中で動作し、前記ワイヤレスアクセス端末のロケーションに対応するサービスエリアを持っている識別された基地局に、前記第１の基地局から前記通信コールをハンドオフすることをさらに含む請求項２１記載の方法。
［２３］前記通知を受信することは、前記ワイヤレスアクセス端末または前記第２の基地局によって行われた決定に基づいて受信することをさらに含む請求項１８記載の方法。
［２４］前記提供することは、識別された基地局に対応するサービス情報にさらに基づいて、前記識別された基地局を選択することをさらに含む請求項１８記載の方法。
［２５］前記選択することは、通信リンク品質またはサービスのコストのうちの少なくとも１つに基づいて選択することをさらに含む請求項２４記載の方法。
［２６］前記第１のライセンスされていない周波数上での前記通信コールが、前記第２の基地局のセクタの第１のセクタに対応し、前記第２の基地局は、前記第１のライセンスされていない周波数とは異なる第２のライセンスされていない周波数上で動作する第２のセクタをさらに含み、
ＡＴに特有な互換性または非互換性のライセンスされていない周波数情報を取得することをさらに含み、
前記識別することは、前記ＡＴに特有な互換性または非互換性のライセンスされていない周波数情報にしたがって、前記第２のライセンスされていない周波数が前記ＡＴと互換性がある場合に、前記第２のセクタの前記第２のライセンスされていない周波数を識別することをさらに含む請求項１８記載の方法。
［２７］前記通信コールは、複数の通信サービスタイプを含み、
前記ライセンスされている周波数上で動作する前記第１の基地局と、少なくとも１つの利用可能なライセンスされていない周波数上で動作する第２の基地局との間で使用するために、前記複数の通信サービスタイプをパーティションすることをさらに含み、
前記ターゲット基地局の提供は、前記複数の通信サービスタイプのパーティションを識別する請求項１８記載の方法。
［２８］通信コールのハンドオフを実行するように構成されている少なくとも１つのプロセッサにおいて、
ライセンスされている周波数上で動作している第１の基地局において、ワイヤレスアクセス端末の通信コールのハンドオフを実行する必要性の通知を受信する第１のモジュールと、
前記ワイヤレスアクセス端末のロケーションを取得する第２のモジュールと、
ライセンスされていない周波数スペクトル中で動作し、前記ワイヤレスアクセス端末のロケーションに対応するサービスエリアを持っている何らかの基地局を識別する第３のモジュールと、
前記識別に基づいて、前記通信コールをハンドオフする際に使用するターゲット基地局に対する識別情報を前記ワイヤレスアクセス端末に対して提供する第４のモジュールとを具備し、
前記通信コールは、第１のライセンスされていない周波数上でのものであり、第２の基地局によってサービス提供される少なくとも１つのプロセッサ。
［２９］通信コールのハンドオフを実行するように構成されているコンピュータプログラムプロダクトにおいて、
ライセンスされている周波数上で動作している第１の基地局において、ワイヤレスアクセス端末の通信コールのハンドオフを実行する必要性の通知をコンピュータに受信させるように動作可能な少なくとも１つの命令と、
前記ワイヤレスアクセス端末のロケーションを前記コンピュータに取得させるように動作可能な少なくとも１つの命令と、
ライセンスされていない周波数スペクトル中で動作し、前記ワイヤレスアクセス端末のロケーションに対応するサービスエリアを持っている何らかの基地局を前記コンピュータに識別させるように動作可能な少なくとも１つの命令と、
前記識別に基づいて、前記通信コールをハンドオフする際に使用するターゲット基地局に対する識別情報を前記ワイヤレスアクセス端末に対して前記コンピュータに提供させるように動作可能な少なくとも１つの命令とを含むコンピュータ読み取り可能媒体を具備し、
前記通信コールは、第１のライセンスされていない周波数上でのものであり、第２の基地局によってサービス提供されるコンピュータプログラムプロダクト。
［３０］通信コールのハンドオフを実行するように構成されている装置において、
ライセンスされている周波数上で動作している第１の基地局において、ワイヤレスアクセス端末の通信コールのハンドオフを実行する必要性の通知を受信する手段と、
前記ワイヤレスアクセス端末のロケーションを取得する手段と、
ライセンスされていない周波数スペクトル中で動作し、前記ワイヤレスアクセス端末のロケーションに対応するサービスエリアを持っている何らかの基地局を識別する手段と、
前記識別に基づいて、前記通信コールをハンドオフする際に使用するターゲット基地局に対する識別情報を前記ワイヤレスアクセス端末に対して提供する手段とを具備し、
前記通信コールは、第１のライセンスされていない周波数上でのものであり、第２の基地局によってサービス提供される装置。
［３１］基地局において、
ライセンスされている周波数上で動作している第１の基地局において、ワイヤレスアクセス端末の通信コールのハンドオフを実行する必要性の通知を受信するようにと、
前記ワイヤレスアクセス端末のロケーションを取得するようにと、
ライセンスされていない周波数スペクトル中で動作し、前記ワイヤレスアクセス端末のロケーションに対応するサービスエリアを持っている何らかの基地局を識別するようにと、
前記識別に基づいて、前記通信コールをハンドオフする際に使用するターゲット基地局に対する識別情報を前記ワイヤレスアクセス端末に対して提供するように構成されているプロセッサを具備し、
前記通信コールは、第１のライセンスされていない周波数上でのものであり、第２の基地局によってサービス提供される基地局。
［３２］ホワイトスペース情報を取得する方法において、
第１のインフラストラクチャ階層レベルに位置付けられている第１のネットワークインフラストラクチャデバイスにおいて、前記ホワイトスペース情報の第１のバージョンをキャッシュすることと、
前記ホワイトスペース情報の前記第１のバージョンに対応する無効化メッセージを受信することと、
前記無効化メッセージに基づいて、前記キャッシュしたホワイトスペース情報の前記第１のバージョンを無効化することと、
インフラストラクチャ更新プロトコルに基づいて、前記ネットワークインフラストラクチャデバイスにおいて、前記ホワイトスペース情報の更新された第２のバージョンを取得することと、
前記インフラストラクチャ更新プロトコルにしたがって、前記ホワイトスペース情報の前記更新された第２のバージョンを、第２のインフラストラクチャ階層レベルに位置付けられている第２のインフラストラクチャデバイスに対して報知することとを含む方法。
［３３］前記第１のネットワークインフラストラクチャデバイスおよび前記第２のネットワークインフラストラクチャデバイスは、非ホワイトスペースインフラストラクチャデバイスを含む請求項３２記載の方法。
［３４］前記第１のネットワークインフラストラクチャデバイスおよび前記第２のネットワークインフラストラクチャデバイスは、ホワイトスペースインフラストラクチャデバイスを含む請求項３２記載の方法。
［３５］前記第２のネットワークインフラストラクチャデバイスは、基地局を含み、前記第１ののネットワークインフラストラクチャデバイスは、第２のネットワークインフラストラクチャデバイスよりも、前記キャッシュしたホワイトスペース情報に階層的に、より近いコンポーネントを含む請求項３２記載の方法。
［３６］前記無効化メッセージを受信することは、ホワイトスペース情報サーバが更新されたホワイトスペース情報を受信することによってトリガされる請求項３２記載の方法。
［３７］ホワイトスペース情報を取得するように構成されている少なくとも１つのプロセッサにおいて、
第１のインフラストラクチャ階層レベルに位置付けられている第１のネットワークインフラストラクチャデバイスにおいて、前記ホワイトスペース情報の第１のバージョンをキャッシュする第１のモジュールと、
前記ホワイトスペース情報の前記第１のバージョンに対応する無効化メッセージを受信する第２のモジュールと、
前記無効化メッセージに基づいて、前記キャッシュしたホワイトスペース情報の前記第１のバージョンを無効化する第３のモジュールと、
インフラストラクチャ更新プロトコルに基づいて、前記ネットワークインフラストラクチャデバイスにおいて、前記ホワイトスペース情報の更新された第２のバージョンを取得する第４のモジュールと、
前記インフラストラクチャ更新プロトコルにしたがって、前記ホワイトスペース情報の前記更新された第２のバージョンを、第２のインフラストラクチャ階層レベルに位置付けられている第２のインフラストラクチャデバイスに対して報知する第５のモジュールとを具備する少なくとも１つのプロセッサ。
［３８］ホワイトスペース情報を取得するように構成されているコンピュータプログラムプロダクトにおいて、
第１のインフラストラクチャ階層レベルに位置付けられている第１のネットワークインフラストラクチャデバイスにおいて、前記ホワイトスペース情報の第１のバージョンをコンピュータにキャッシュさせるように動作可能な少なくとも１つの命令と、
前記ホワイトスペース情報の前記第１のバージョンに対応する無効化メッセージを前記コンピュータに受信させるように動作可能な少なくとも１つの命令と、
前記無効化メッセージに基づいて、前記キャッシュしたホワイトスペース情報の前記第１のバージョンを前記コンピュータに無効化させるように動作可能な少なくとも１つの命令と、
インフラストラクチャ更新プロトコルに基づいて、前記ネットワークインフラストラクチャデバイスにおいて、前記ホワイトスペース情報の更新された第２のバージョンを前記コンピュータに取得させるように動作可能な少なくとも１つの命令と、
前記インフラストラクチャ更新プロトコルにしたがって、前記ホワイトスペース情報の前記更新された第２のバージョンを、第２のインフラストラクチャ階層レベルに位置付けられている第２のインフラストラクチャデバイスに対して前記コンピュータに報知させるように動作可能な少なくとも１つの命令とを含むコンピュータ読み取り可能媒体を具備するコンピュータプログラムプロダクト。
［３９］ホワイトスペース情報を取得する装置において、
第１のインフラストラクチャ階層レベルに位置付けられている第１のネットワークインフラストラクチャデバイスにおいて、前記ホワイトスペース情報の第１のバージョンをキャッシュする手段と、
前記ホワイトスペース情報の前記第１のバージョンに対応する無効化メッセージを受信する手段と、
前記無効化メッセージに基づいて、前記キャッシュしたホワイトスペース情報の前記第１のバージョンを無効化する手段と、
インフラストラクチャ更新プロトコルに基づいて、前記ネットワークインフラストラクチャデバイスにおいて、前記ホワイトスペース情報の更新された第２のバージョンを取得する手段と、
前記インフラストラクチャ更新プロトコルにしたがって、前記ホワイトスペース情報の前記更新された第２のバージョンを、第２のインフラストラクチャ階層レベルに位置付けられている第２のインフラストラクチャデバイスに対して報知する手段とを具備する装置。
［４０］コンピュータデバイスにおいて、
第１のインフラストラクチャ階層レベルに位置付けられている第１のネットワークインフラストラクチャデバイスにおいて、前記ホワイトスペース情報の第１のバージョンをキャッシュするようにと、
前記ホワイトスペース情報の前記第１のバージョンに対応する無効化メッセージを受信するようにと、
前記無効化メッセージに基づいて、前記キャッシュしたホワイトスペース情報の前記第１のバージョンを無効化するようにと、
インフラストラクチャ更新プロトコルに基づいて、前記ネットワークインフラストラクチャデバイスにおいて、前記ホワイトスペース情報の更新された第２のバージョンを取得するようにと、
前記インフラストラクチャ更新プロトコルにしたがって、前記ホワイトスペース情報の前記更新された第２のバージョンを、第２のインフラストラクチャ階層レベルに位置付けられている第２のインフラストラクチャデバイスに対して報知するように構成されているプロセッサを具備するコンピュータデバイス。
［４１］ピアツーピア（Ｐ２Ｐ）通信の方法において、
ライセンスされている周波数上で動作している第１の基地局において、ライセンスされていない周波数スペクトルにおける通信セッションに対する通信要求を受信することと、
第１のロケーション情報と第２のロケーション情報とに対応する１つ以上の利用可能なラインセンスされていない周波数を送信することと、
前記利用可能なライセンスされていない周波数のそれぞれに対する干渉レベルを受信することと、
ピアツーピア（Ｐ２Ｐ）通信を確立するために、前記利用可能なライセンスされていない周波数のそれぞれの決定された干渉レベルに基づいて、前記１つ以上の利用可能なライセンスされていない周波数を識別することとを含み、
前記通信要求は、前記第１のロケーション情報を持つ第１のワイヤレス通信デバイスに対応し、前記通信要求は、前記第２のロケーション情報を持つ第２のワイヤレス通信デバイスを、前記通信セッションに対する宛先として識別する方法。
［４２］前記Ｐ２Ｐ通信を確立する、前記１つ以上の利用可能なライセンスされていない周波数のうちの１つに対する訂正された干渉レベルに基づいて、前記１つ以上の利用可能なライセンスされていない周波数のうちの別のものへの前記Ｐ２Ｐ通信の切り替えを指示することをさらに含む請求項４１記載の方法。
［４３］前記Ｐ２Ｐ通信を確立する、前記１つ以上の利用可能なライセンスされていない周波数のうちの１つ上で、訂正された干渉レベルを受信することをさらに含む請求項４１記載の方法。
［４４］好ましい利用可能なライセンスされていない周波数を受信することをさらに含み、
前記１つ以上の利用可能なライセンスされていない周波数の識別は、ピアツーピア（Ｐ２Ｐ）通信を確立するために、前記好ましい利用可能なライセンスされていない周波数を識別することをさらに含む請求項４１記載の方法。
［４５］ピアツーピア（Ｐ２Ｐ）通信のために構成されている少なくとも１つのプロセッサにおいて、
ライセンスされている周波数上で動作している第１の基地局において、ライセンスされていない周波数スペクトルにおける通信セッションに対する通信要求を受信する第１のモジュールと、
第１のロケーション情報と第２のロケーション情報とに対応する１つ以上の利用可能なラインセンスされていない周波数を送信する第２のモジュールと、
前記利用可能なライセンスされていない周波数のそれぞれに対する干渉レベルを受信する第３のモジュールと、
ピアツーピア（Ｐ２Ｐ）通信を確立するために、前記利用可能なライセンスされていない周波数のそれぞれの決定された干渉レベルに基づいて、前記１つ以上の利用可能なライセンスされていない周波数のうちの１つを識別する第４のモジュールとを具備し、
前記通信要求は、前記第１のロケーション情報を持つ第１のワイヤレス通信デバイスに対応し、前記通信要求は、前記第２のロケーション情報を持つ第２のワイヤレス通信デバイスを、前記通信セッションに対する宛先として識別する少なくとも１つのプロセッサ。
［４６］ピアツーピア（Ｐ２Ｐ）通信のために構成されているコンピュータプログラムプロダクトにおいて、
ライセンスされている周波数上で動作している第１の基地局において、ライセンスされていない周波数スペクトルにおける通信セッションに対する通信要求をコンピュータに受信させるように動作可能な少なくとも１つの命令と、
第１のロケーション情報と第２のロケーション情報とに対応する１つ以上の利用可能なラインセンスされていない周波数を前記コンピュータに送信させるように動作可能な少なくとも１つの命令と、
前記利用可能なライセンスされていない周波数のそれぞれに対する干渉レベルを前記コンピュータに受信させるように動作可能な少なくとも１つの命令と、
ピアツーピア（Ｐ２Ｐ）通信を確立するために、前記利用可能なライセンスされていない周波数のそれぞれの決定された干渉レベルに基づいて、前記１つ以上の利用可能なライセンスされていない周波数のうちの１つを前記コンピュータに識別させるように動作可能な少なくとも１つの命令とを含むコンピュータ読み取り可能媒体を具備し、
前記通信要求は、前記第１のロケーション情報を持つ第１のワイヤレス通信デバイスに対応し、前記通信要求は、前記第２のロケーション情報を持つ第２のワイヤレス通信デバイスを、前記通信セッションに対する宛先として識別するコンピュータプログラムプロダクト。
［４７］ピアツーピア（Ｐ２Ｐ）通信のための装置において、
ライセンスされている周波数上で動作している第１の基地局への、ライセンスされていない周波数スペクトルにおける通信セッションに対する通信要求を受信する手段と、
第１のロケーション情報と第２のロケーション情報とに対応する１つ以上の利用可能なラインセンスされていない周波数を送信する手段と、
前記利用可能なライセンスされていない周波数のそれぞれに対する干渉レベルを受信する手段と、
ピアツーピア（Ｐ２Ｐ）通信を確立するために、前記利用可能なライセンスされていない周波数のそれぞれの決定された干渉レベルに基づいて、前記１つ以上の利用可能なライセンスされていない周波数のうちの１つを識別する手段とを具備し、
前記通信要求は、前記第１のロケーション情報を持つ第１のワイヤレス通信デバイスに対応し、前記通信要求は、前記第２のロケーション情報を持つ第２のワイヤレス通信デバイスを、前記通信セッションに対する宛先として識別する装置。
［４８］基地局において、
ライセンスされている周波数上で動作している第１の基地局において、ライセンスされていない周波数スペクトルにおける通信セッションに対する通信要求を受信するようにと、
第１のロケーション情報と第２のロケーション情報とに対応する１つ以上の利用可能なラインセンスされていない周波数を送信するようにと、
前記利用可能なライセンスされていない周波数のそれぞれに対する干渉レベルを受信するようにと、
ピアツーピア（Ｐ２Ｐ）通信を確立するために、前記利用可能なライセンスされていない周波数のそれぞれの決定された干渉レベルに基づいて、前記１つ以上の利用可能なライセンスされていない周波数のうちの１つを識別するように構成されているプロセッサを具備し、
前記通信要求は、前記第１のロケーション情報を持つ第１のワイヤレス通信デバイスに対応し、前記通信要求は、前記第２のロケーション情報を持つ第２のワイヤレス通信デバイスを、前記通信セッションに対する宛先として識別する基地局。
［４９］現場に特有な情報を受信する方法において、
アクセス端末において、ライセンスされている周波数上で動作している第１の基地局から、ライセンスされていないスペクトル中で動作している第２の基地局に対するブロードキャストチャネル情報を取得することと、
前記ブロードキャストチャネル情報に基づいて、前記第２の基地局の前記ブロードキャストチャネルに同調することと、
前記ブロードキャストチャネル上で、現場特有メッセージを受信することと、
前記現場特有メッセージを記憶または提示することとを含む方法。
［５０］前記現場特有メッセージの適用可能性のレベルを決定することと、
前記適用可能性のレベルに基づいて、前記現場特有メッセージを削除することとをさらに含む請求項１記載の方法。
［５１］現場に特有な情報を受信する少なくとも１つのプロセッサにおいて、
アクセス端末において、ライセンスされている周波数上で動作している第１の基地局から、ライセンスされていないスペクトル中で動作している第２の基地局に対するブロードキャストチャネル情報を取得する第１のモジュールと、
前記ブロードキャストチャネル情報に基づいて、前記第２の基地局の前記ブロードキャストチャネルに同調する第２のモジュールと、
前記ブロードキャストチャネル上で、現場特有メッセージを受信する第３のモジュールと、
前記現場特有メッセージを記憶または提示する第４のモジュールとを具備する少なくとも１つのプロセッサ。
［５２］現場に特有な情報を受信するためのコンピュータプログラムプロダクトにおいて、
ライセンスされている周波数上で動作している第１の基地局から、ライセンスされていないスペクトル中で動作している第２の基地局に対するブロードキャストチャネル情報をコンピュータに取得させるように動作可能な少なくとも１つの命令と、
前記ブロードキャストチャネル情報に基づいて、前記コンピュータに、前記第２の基地局の前記ブロードキャストチャネルに同調させるように動作可能な少なくとも１つの命令と、
前記ブロードキャストチャネル上で、現場特有メッセージを前記コンピュータに受信させるように動作可能な少なくとも１つの命令と、
前記現場特有メッセージを前記コンピュータに記憶または提示させるように動作可能な少なくとも１つの命令とを含むコンピュータ読み取り可能媒体を具備するコンピュータプログラムプロダクト。
［５３］現場に特有な情報を受信する装置において、
アクセス端末において、ライセンスされている周波数上で動作している第１の基地局から、ライセンスされていないスペクトル中で動作している第２の基地局に対するブロードキャストチャネル情報を取得する手段と、
前記ブロードキャストチャネル情報に基づいて、前記第２の基地局の前記ブロードキャストチャネルに同調する手段と、
前記ブロードキャストチャネル上で、現場特有メッセージを受信する手段と、
前記現場特有メッセージを記憶または提示する手段とを具備する装置。
[５４］アクセス端末において、
ライセンスされている周波数上で動作している第１の基地局から、ライセンスされていないスペクトル中で動作している第２の基地局に対するブロードキャストチャネル情報を取得するようにと、
前記ブロードキャストチャネル情報に基づいて、前記第２の基地局の前記ブロードキャストチャネルに同調するようにと、
前記ブロードキャストチャネル上で、現場特有メッセージを受信するようにと、
前記現場特有メッセージを記憶または提示するように構成されているプロセッサを具備するアクセス端末。
【外国語明細書】
2014039271000001.pdf